(57)【要約】【課題】不適切なハンドオーバ動作を検出することにより、通信の安定化を図ることが可能な無線通信システム、無線端末装置、通信制御方法および通信制御プログラムを提供する。【解決手段】無線通信システムは、無線基地局装置１０１の基地局識別情報、無線基地局装置１０１が無線端末装置２０２に付与する端末識別情報、および無線端末装置２０２の固有の識別情報等の一致、ならびに無線端末装置２０２の滞在時間に基づいて、無線端末装置２０２による不適切な移動動作を判断するか、または無線端末装置による移動動作のタイミングを調整する。【選択図】図１
2013110727.tif 000002
【特許請求の範囲】
【請求項１】
無線端末装置と、複数の無線基地局装置とを備え、前記無線端末装置がハンドオーバ動作を行なうことにより前記複数の無線基地局装置と通信可能な無線通信システムであって、
前記無線基地局装置は、自己を通信先として選択する前記無線端末装置に端末識別情報を付与し、
前記無線端末装置は、前記複数の無線基地局装置のうち、第１の無線基地局装置から第２の無線基地局装置へのハンドオーバ動作を行なう場合に、前記第１の無線基地局装置の基地局識別情報、および前記第１の無線基地局装置から付与された端末識別情報を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、保持した前記基地局識別情報および前記端末識別情報を前記無線基地局装置に通知する、無線通信システム。
【請求項２】
前記第１の無線基地局装置は、自己を通信先として選択する前記無線端末装置の前記第２の無線基地局装置へのハンドオーバ動作が完了しても、前記無線端末装置に付与した前記端末識別情報を保持する、請求項１に記載の無線通信システム。
【請求項３】
前記第１の無線基地局装置は、さらに、前記無線端末装置による自己から前記第２の無線基地局装置へのハンドオーバ動作の種別を保持する、請求項２に記載の無線通信システム。
【請求項４】
前記第１の無線基地局装置は、さらに、前記無線端末装置による自己から前記第２の無線基地局装置へのハンドオーバ動作が行われた際の前記無線端末装置の移動速度を保持する、請求項２または請求項３に記載の無線通信システム。
【請求項５】
前記無線端末装置は、前記第１の無線基地局装置から前記第２の無線基地局装置へのハンドオーバ動作を行なう場合に、さらに、前記ハンドオーバ動作の種別を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、さらに、保持した前記ハンドオーバ動作の種別を前記無線基地局装置に通知する、請求項１から請求項４のいずれか１項に記載の無線通信システム。
【請求項６】
前記無線端末装置は、前記第１の無線基地局装置から前記第２の無線基地局装置へのハンドオーバ動作を行なう場合に、さらに、前記ハンドオーバ動作が行われた際の自己の移動速度を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、さらに、保持した前記移動速度を前記無線基地局装置に通知する、請求項１から請求項５のいずれか１項に記載の無線通信システム。
【請求項７】
無線端末装置と、複数の無線基地局装置とを備え、前記無線端末装置がハンドオーバ動作を行なうことにより前記複数の無線基地局装置と通信可能な無線通信システムであって、
前記無線端末装置は、前記複数の無線基地局装置のうち、第１の無線基地局装置から第２の無線基地局装置へのハンドオーバ動作を行なう場合に、前記ハンドオーバ動作の種別を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、保持した前記ハンドオーバ動作の種別を前記無線基地局装置に通知する、無線通信システム。
【請求項８】
前記第１の無線基地局装置は、自己を通信先として選択する前記無線端末装置の前記第２の無線基地局装置へのハンドオーバ動作が完了しても、前記ハンドオーバ動作の種別を保持する、請求項７に記載の無線通信システム。
【請求項９】
前記無線端末装置は、前記第１の無線基地局装置から前記第２の無線基地局装置へのハンドオーバ動作を行なう場合に、さらに、前記第１の無線基地局装置の基地局識別情報を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、さらに、保持した前記基地局識別情報を前記無線基地局装置に通知する、請求項７または請求項８に記載の無線通信システム。
【請求項１０】
無線端末装置と、複数の無線基地局装置とを備え、前記無線端末装置がハンドオーバ動作を行なうことにより前記複数の無線基地局装置と通信可能な無線通信システムであって、
前記無線端末装置は、前記複数の無線基地局装置のうち、第１の無線基地局装置から第２の無線基地局装置へのハンドオーバ動作を行なう場合に、前記ハンドオーバ動作が行われた際の自己の移動速度を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、保持した前記移動速度を前記無線基地局装置に通知する、無線通信システム。
【請求項１１】
前記第１の無線基地局装置は、自己を通信先として選択する前記無線端末装置の前記第２の無線基地局装置へのハンドオーバ動作が完了しても、前記ハンドオーバ動作が行われた際の前記無線端末装置の前記移動速度を保持する、請求項１０に記載の無線通信システム。
【請求項１２】
前記無線端末装置は、前記第１の無線基地局装置から前記第２の無線基地局装置へのハンドオーバ動作を行なう場合に、さらに、前記第１の無線基地局装置の基地局識別情報を保持し、
前記無線端末装置は、前記第２の無線基地局装置へのハンドオーバ動作の完了後、新たに無線基地局装置との通信を再開する場合または新たに無線基地局装置へのハンドオーバ動作を行なう場合に、さらに、保持した前記基地局識別情報を前記無線基地局装置に通知する、請求項１０または請求項１１に記載の無線通信システム。
【請求項１３】
無線端末装置と、複数の無線基地局装置とを備え、前記無線端末装置が移動動作を行なうことにより前記複数の無線基地局装置と通信可能な無線通信システムであって、
前記無線基地局装置は、自己を通信先として選択する前記無線端末装置に端末識別情報を付与し、
前記無線端末装置は、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持し、
前記第１の無線基地局装置は、自己を通信先として選択していた前記無線端末装置の前記第２の無線基地局装置への移動動作のタイミングからの経過時間を計測し、
前記無線端末装置は、前記第２の無線基地局装置への移動動作の完了後、新たに無線基地局装置との通信を再開する場合または新たに無線基地局装置への移動動作を行なう場合には、保持した前記基地局識別情報および前記端末識別情報を前記無線基地局装置に通知し、
前記第１の無線基地局装置は、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項１４】
無線端末装置と、複数の無線基地局装置とを備え、前記無線端末装置が移動動作を行なうことにより前記複数の無線基地局装置と通信可能な無線通信システムであって、
前記無線基地局装置は、自己を通信先として選択する前記無線端末装置に端末識別情報を付与し、
前記無線端末装置は、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持し、
前記第１の無線基地局装置は、自己を通信先として選択していた前記無線端末装置の前記第２の無線基地局装置への移動動作のタイミングからの経過時間を計測し、
前記無線端末装置は、前記第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知し、
前記第１の無線基地局装置は、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項１５】
前記第１の無線基地局装置は、自己を通信先として選択する前記無線端末装置の前記第２の無線基地局装置への移動動作が完了しても、前記無線端末装置に付与した前記端末識別情報を保持し、前記経過時間が前記所定値以上になると前記端末識別情報を消去する、請求項１３または請求項１４に記載の無線通信システム。
【請求項１６】
前記無線端末装置は、前記基地局識別情報および前記端末識別情報を前記無線基地局装置に通知した場合、または自己の前記第２の無線基地局装置への移動動作のタイミングから所定時間経過後、保持した前記基地局識別情報および前記端末識別情報を消去する、請求項１３に記載の無線通信システム。
【請求項１７】
前記無線端末装置は、前記端末識別情報を前記無線基地局装置に通知した場合、または自己の前記第２の無線基地局装置への移動動作のタイミングから所定時間経過後、保持した前記基地局識別情報および前記端末識別情報を消去する、請求項１４に記載の無線通信システム。
【請求項１８】
前記無線端末装置は、前記端末識別情報を、無線基地局装置に対する接続動作中、または前記接続動作の完了直後に前記無線基地局装置へ送信する、請求項１３から請求項１７のいずれか１項に記載の無線通信システム。
【請求項１９】
前記無線端末装置は、前記端末識別情報を、無線基地局装置に対する再接続動作中、または前記再接続動作の完了直後に前記無線基地局装置へ送信する、請求項１３から請求項１７のいずれか１項に記載の無線通信システム。
【請求項２０】
前記無線端末装置は、前記端末識別情報を、無線基地局装置へのハンドオーバ動作中、または前記ハンドオーバ動作の完了直後に前記無線基地局装置へ送信する、請求項１３から請求項１７のいずれか１項に記載の無線通信システム。
【請求項２１】
前記無線端末装置は、前記端末識別情報を、無線基地局装置からの要求に応じて前記無線基地局装置へ送信する、請求項１３から請求項１７のいずれか１項に記載の無線通信システム。
【請求項２２】
前記第１の無線基地局装置は、前記経過時間が所定値未満の場合には、自己を新たに通信先として選択する無線端末装置に対して、前記付与した端末識別情報と同じ端末識別情報を付与しない、請求項１３から請求項２１のいずれか１項に記載の無線通信システム。
【請求項２３】
前記無線端末装置は、ハンドオーバ動作の実行回数、接続動作の実行回数および再接続動作の実行回数のうちのいずれか１つ、または少なくともいずれか２つの組み合わせの合計、が所定回数を超えると、保持した前記端末識別情報を消去する、請求項１３から請求項２２のいずれか１項に記載の無線通信システム。
【請求項２４】
無線端末装置と、複数の無線基地局装置とを備え、前記無線端末装置が移動動作を行なうことにより前記複数の無線基地局装置と通信可能な無線通信システムであって、
前記無線端末装置は、前記複数の無線基地局装置のうち、第１の無線基地局装置から第２の無線基地局装置への移動動作を行なう場合に、前記第１の無線基地局装置の基地局識別情報を保持し、
前記無線端末装置は、自己の前記第２の無線基地局装置への移動動作のタイミングからの経過時間を計測し、
前記無線端末装置は、前記第２の無線基地局装置への移動動作の完了後、新たに無線基地局装置との通信を再開する際または新たに無線基地局装置への移動動作を開始する際、保持した前記第１の無線基地局装置の基地局識別情報と新たに通信先として選択する前記無線基地局装置の基地局識別情報とが一致し、かつ前記経過時間が所定値未満である場合には、所定情報を前記無線基地局装置に通知し、
前記第１の無線基地局装置は、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項２５】
前記無線端末装置は、前記所定情報を前記無線基地局装置に通知した場合、または前記経過時間が前記所定値以上になると、保持した前記基地局識別情報を消去する、請求項２４に記載の無線通信システム。
【請求項２６】
無線端末装置と、複数の無線基地局装置とを備え、前記無線端末装置が移動動作を行なうことにより前記複数の無線基地局装置と通信可能な無線通信システムであって、
前記無線端末装置は、前記複数の無線基地局装置のうち、第１の無線基地局装置から第２の無線基地局装置への移動動作を行なう場合に、前記第１の無線基地局装置の基地局識別情報を保持し、
前記無線端末装置は、自己の前記第２の無線基地局装置への移動動作のタイミングからの経過時間を計測し、
前記無線端末装置は、前記第２の無線基地局装置への移動動作の完了後、新たに無線基地局装置との通信を再開する際または新たに無線基地局装置への移動動作を開始する際、前記経過時間が所定値未満である場合には、保持した前記基地局識別情報を前記無線基地局装置に通知し、
前記第１の無線基地局装置は、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断する、無線通信システム。
【請求項２７】
前記無線端末装置は、前記基地局識別情報を前記無線基地局装置に通知した場合、または前記経過時間が前記所定値以上になると、保持した前記基地局識別情報を消去する、請求項２６に記載の無線通信システム。
【請求項２８】
無線端末装置と、複数の無線基地局装置とを備え、前記無線端末装置が移動動作を行なうことにより前記複数の無線基地局装置と通信可能な無線通信システムであって、
第１の無線基地局装置は、自己を通信先として選択する前記無線端末装置の端末識別情報を自己以外の装置から取得し、
前記第１の無線基地局装置は、自己を通信先として選択していた前記無線端末装置の第２の無線基地局装置への移動動作のタイミングからの経過時間を計測し、
前記無線端末装置は、前記第１の無線基地局装置から前記第２の無線基地局装置への移動動作の完了後、新たに無線基地局装置との通信を再開する場合または新たに無線基地局装置への移動動作を行なう場合には、自己の端末識別情報を前記無線基地局装置に通知し、
前記第１の無線基地局装置は、前記無線端末装置からの前記通知を受けて、前記無線端末装置から通知された前記端末識別情報が、取得した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項２９】
前記第１の無線基地局装置は、自己を通信先として選択する前記無線端末装置の前記第２の無線基地局装置への移動動作が完了しても、前記無線端末装置の前記端末識別情報を保持し、前記経過時間が前記所定値以上になると前記端末識別情報を消去する、請求項２８に記載の無線通信システム。
【請求項３０】
無線端末装置と、複数の無線基地局装置とを備え、前記無線端末装置が移動動作を行なうことにより前記複数の無線基地局装置と通信可能な無線通信システムであって、
前記無線基地局装置は、自己を通信先として選択する前記無線端末装置に端末識別情報を付与するとともに、自己を通信先として選択していた前記無線端末装置による自己から他の無線基地局装置への移動動作のタイミングからの経過時間を計測し、
前記無線端末装置は、自己が通信先として選択した無線基地局装置の基地局識別情報、および前記無線基地局装置から付与された端末識別情報を所定期間分保持し、
前記無線端末装置は、前記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した前記基地局識別情報および前記端末識別情報を前記無線基地局装置に通知し、
前記第１の無線基地局装置は、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項３１】
無線端末装置と、複数の無線基地局装置とを備え、前記無線端末装置が移動動作を行なうことにより前記複数の無線基地局装置と通信可能な無線通信システムであって、
前記無線基地局装置は、自己を通信先として選択する前記無線端末装置に端末識別情報を付与するとともに、自己を通信先として選択していた前記無線端末装置による自己から他の無線基地局装置への移動動作のタイミングからの経過時間を計測し、
前記無線端末装置は、自己が通信先として選択した無線基地局装置の基地局識別情報、および前記無線基地局装置から付与された端末識別情報を所定期間分保持し、
前記無線端末装置は、前記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知し、
前記第１の無線基地局装置は、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項３２】
無線端末装置と、複数の無線基地局装置とを備え、前記無線端末装置が移動動作を行なうことにより前記複数の無線基地局装置と通信可能な無線通信システムであって、
前記無線端末装置は、自己が通信先として選択した無線基地局装置の基地局識別情報を所定期間分保持するとともに、自己の他の無線基地局装置への移動動作のタイミングからの経過時間を計測し、
前記無線端末装置は、前記複数の無線基地局装置のうち、第１の無線基地局装置から第２の無線基地局装置への移動動作の完了後、新たに無線基地局装置との通信を再開する際または新たに無線基地局装置への移動動作を開始する際、保持した前記基地局識別情報と新たに通信先として選択する前記無線基地局装置の基地局識別情報とが一致し、かつ自己の前記第２の無線基地局装置への移動動作のタイミングからの経過時間が所定値未満である場合には、所定情報を前記無線基地局装置に通知し、
前記第１の無線基地局装置は、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項３３】
無線端末装置と、複数の無線基地局装置とを備え、前記無線端末装置が移動動作を行なうことにより前記複数の無線基地局装置と通信可能な無線通信システムであって、
前記無線端末装置は、自己が通信先として選択した無線基地局装置の基地局識別情報を所定期間分保持するとともに、自己の他の無線基地局装置への移動動作のタイミングからの経過時間を計測し、
前記無線端末装置は、前記複数の無線基地局装置のうち、第１の無線基地局装置から第２の無線基地局装置への移動動作の完了後、新たに無線基地局装置との通信を再開する際または新たに無線基地局装置への移動動作を開始する際、自己の前記第２の無線基地局装置への移動動作のタイミングからの経過時間が所定値未満である場合には、保持した前記基地局識別情報を前記無線基地局装置に通知し、
前記第１の無線基地局装置は、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整する、無線通信システム。
【請求項３４】
ハンドオーバ動作を行なうことにより複数の無線基地局装置と通信可能な無線端末装置であって、
前記無線基地局装置は、自己を通信先として選択する無線端末装置に端末識別情報を付与し、
前記複数の無線基地局装置のうち、第１の無線基地局装置から第２の無線基地局装置への自己の無線端末装置のハンドオーバ動作が行なわれる場合に、前記第１の無線基地局装置の基地局識別情報、および前記第１の無線基地局装置から自己の無線端末装置に対して付与された端末識別情報を保持するための保持部と、
前記第２の無線基地局装置へのハンドオーバ動作の完了後、自己の無線端末装置において、新たに無線基地局装置との通信を再開する場合または新たに無線基地局装置へのハンドオーバ動作を行なう場合に、前記保持部によって保持された前記基地局識別情報および前記端末識別情報を前記無線基地局装置に通知するための通知部とを備える、無線端末装置。
【請求項３５】
ハンドオーバ動作を行なうことにより複数の無線基地局装置と通信可能な無線端末装置であって、
前記複数の無線基地局装置のうち、第１の無線基地局装置から第２の無線基地局装置への自己の無線端末装置のハンドオーバ動作が行なわれる場合に、前記ハンドオーバ動作の種別を保持するための保持部と、
前記第２の無線基地局装置へのハンドオーバ動作の完了後、自己の無線端末装置において、新たに無線基地局装置との通信を再開する場合または新たに無線基地局装置へのハンドオーバ動作を行なう場合に、前記保持部によって保持された前記ハンドオーバ動作の種別を前記無線基地局装置に通知するための通知部とを備える、無線端末装置。
【請求項３６】
ハンドオーバ動作を行なうことにより複数の無線基地局装置と通信可能な無線端末装置であって、
前記複数の無線基地局装置のうち、第１の無線基地局装置から第２の無線基地局装置への自己の無線端末装置のハンドオーバ動作が行なわれる場合に、前記ハンドオーバ動作が行われた際の自己の無線端末装置の移動速度を保持するための保持部と、
前記第２の無線基地局装置へのハンドオーバ動作の完了後、自己の無線端末装置において、新たに無線基地局装置との通信を再開する場合または新たに無線基地局装置へのハンドオーバ動作を行なう場合に、前記保持部によって保持された前記移動速度を前記無線基地局装置に通知するための通知部とを備える、無線端末装置。
【請求項３７】
無線端末装置と、複数の無線基地局装置とを備え、前記無線端末装置がハンドオーバ動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置へのハンドオーバ動作を行なう場合に、前記第１の無線基地局装置の基地局識別情報、および前記第１の無線基地局装置から付与された端末識別情報を保持するステップと、
前記無線端末装置が、前記第２の無線基地局装置へのハンドオーバ動作の完了後、新たに無線基地局装置との通信を再開する場合または新たに無線基地局装置へのハンドオーバ動作を行なう場合に、保持した前記基地局識別情報および前記端末識別情報を前記無線基地局装置に通知するステップとを含む、通信制御方法。
【請求項３８】
無線端末装置と、複数の無線基地局装置とを備え、前記無線端末装置がハンドオーバ動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置へのハンドオーバ動作を行なう場合に、前記ハンドオーバ動作の種別を保持するステップと、
前記無線端末装置が、前記第２の無線基地局装置へのハンドオーバ動作の完了後、新たに無線基地局装置との通信を再開する場合または新たに無線基地局装置へのハンドオーバ動作を行なう場合に、保持した前記ハンドオーバ動作の種別を前記無線基地局装置に通知するステップとを含む、通信制御方法。
【請求項３９】
無線端末装置と、複数の無線基地局装置とを備え、前記無線端末装置がハンドオーバ動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置へのハンドオーバ動作を行なう場合に、前記ハンドオーバ動作が行われた際の自己の移動速度を保持するステップと、
前記無線端末装置が、前記第２の無線基地局装置へのハンドオーバ動作の完了後、新たに無線基地局装置との通信を再開する場合または新たに無線基地局装置へのハンドオーバ動作を行なう場合に、保持した前記移動速度を前記無線基地局装置に通知するステップとを含む、通信制御方法。
【請求項４０】
無線端末装置と、複数の無線基地局装置とを備え、前記無線端末装置が移動動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持するステップと、
前記第１の無線基地局装置が、自己を通信先として選択していた前記無線端末装置の前記第２の無線基地局装置への移動動作のタイミングからの経過時間を計測するステップと、
前記無線端末装置が、前記第２の無線基地局装置への移動動作の完了後、新たに無線基地局装置との通信を再開する場合または新たに無線基地局装置への移動動作を行なう場合に、保持した前記基地局識別情報および前記端末識別情報を前記無線基地局装置に通知するステップと、
前記第１の無線基地局装置が、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４１】
無線端末装置と、複数の無線基地局装置とを備え、前記無線端末装置が移動動作を行なうことにより前記複数の無線基地局装置と通信可能な無線通信システムにおける通信制御方法であって、
前記無線基地局装置が、自己を通信先として選択する前記無線端末装置に端末識別情報を付与するステップと、
前記無線端末装置が、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持するステップと、
前記第１の無線基地局装置が、自己を通信先として選択していた前記無線端末装置の前記第２の無線基地局装置への移動動作のタイミングからの経過時間を計測するステップと、
前記無線端末装置が、前記第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知するステップと、
前記第１の無線基地局装置が、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４２】
無線端末装置と、複数の無線基地局装置とを備え、前記無線端末装置が移動動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置への移動動作を行なう場合に、前記第１の無線基地局装置の基地局識別情報を保持するステップと、
前記無線端末装置が、自己の前記第２の無線基地局装置への移動動作のタイミングからの経過時間を計測するステップと、
前記無線端末装置が、前記第２の無線基地局装置への移動動作の完了後、新たに無線基地局装置との通信を再開する際または新たに無線基地局装置への移動動作を開始する際、保持した前記第１の無線基地局装置の基地局識別情報と新たに通信先として選択する前記無線基地局装置の基地局識別情報とが一致し、かつ前記経過時間が所定値未満である場合には、所定情報を前記無線基地局装置に通知するステップと、
前記第１の無線基地局装置が、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４３】
無線端末装置と、複数の無線基地局装置とを備え、前記無線端末装置が移動動作を行なうことにより前記複数の無線基地局装置と通信可能な無線通信システムにおける通信制御方法であって、
前記無線端末装置が、前記複数の無線基地局装置のうち、第１の無線基地局装置から第２の無線基地局装置への移動動作を行なう場合に、前記第１の無線基地局装置の基地局識別情報を保持するステップと、
前記無線端末装置が、自己の前記第２の無線基地局装置への移動動作のタイミングからの経過時間を計測するステップと、
前記無線端末装置が、前記第２の無線基地局装置への移動動作の完了後、新たに無線基地局装置との通信を再開する際または新たに無線基地局装置への移動動作を開始する際、前記経過時間が所定値未満である場合には、保持した前記基地局識別情報を前記無線基地局装置に通知するステップと、
前記第１の無線基地局装置が、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４４】
無線端末装置と、複数の無線基地局装置とを備え、前記無線端末装置が移動動作を行なうことにより前記複数の無線基地局装置と通信可能な無線通信システムにおける通信制御方法であって、
第１の無線基地局装置が、自己を通信先として選択する前記無線端末装置の端末識別情報を自己以外の装置から取得するステップと、
前記第１の無線基地局装置が、自己を通信先として選択していた前記無線端末装置の第２の無線基地局装置への移動動作のタイミングからの経過時間を計測するステップと、
前記無線端末装置が、前記第１の無線基地局装置から前記第２の無線基地局装置への移動動作の完了後、新たに無線基地局装置との通信を再開する場合または新たに無線基地局装置への移動動作を行なう場合には、自己の端末識別情報を前記無線基地局装置に通知するステップと、
前記第１の無線基地局装置が、前記無線端末装置からの前記通知を受けて、前記無線端末装置から通知された前記端末識別情報が、取得した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４５】
無線端末装置と、複数の無線基地局装置とを備え、前記無線端末装置が移動動作を行なうことにより前記複数の無線基地局装置と通信可能な無線通信システムにおける通信制御方法であって、
前記無線基地局装置が、自己を通信先として選択していた前記無線端末装置による自己から他の無線基地局装置への移動動作のタイミングからの経過時間を計測するステップと、
前記無線端末装置が、自己が通信先として選択した無線基地局装置の基地局識別情報、および前記無線基地局装置から付与された端末識別情報を所定期間分保持するステップと、
前記無線端末装置が、前記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した前記基地局識別情報および前記端末識別情報を前記無線基地局装置に通知するステップと、
前記第１の無線基地局装置が、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４６】
無線端末装置と、複数の無線基地局装置とを備え、前記無線端末装置が移動動作を行なうことにより前記複数の無線基地局装置と通信可能な無線通信システムにおける通信制御方法であって、
前記無線基地局装置が、自己を通信先として選択する前記無線端末装置に端末識別情報を付与するとともに、自己を通信先として選択していた前記無線端末装置による自己から他の無線基地局装置への移動動作のタイミングからの経過時間を計測するステップと、
前記無線端末装置が、自己が通信先として選択した無線基地局装置の基地局識別情報、および前記無線基地局装置から付与された端末識別情報を所定期間分保持するステップと、
前記無線端末装置が、前記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知するステップと、
前記第１の無線基地局装置が、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４７】
無線端末装置と、複数の無線基地局装置とを備え、前記無線端末装置が移動動作を行なうことにより前記複数の無線基地局装置と通信可能な無線通信システムにおける通信制御方法であって、
前記無線端末装置が、自己が通信先として選択した無線基地局装置の基地局識別情報を所定期間分保持するとともに、自己の他の無線基地局装置への移動動作のタイミングからの経過時間を計測するステップと、
前記無線端末装置が、前記複数の無線基地局装置のうち、第１の無線基地局装置から第２の無線基地局装置への移動動作の完了後、新たに無線基地局装置との通信を再開する際または新たに無線基地局装置への移動動作を開始する際、保持した前記基地局識別情報と新たに通信先として選択する前記無線基地局装置の基地局識別情報とが一致し、かつ自己の前記第２の無線基地局装置への移動動作のタイミングからの経過時間が所定値未満である場合には、所定情報を前記無線基地局装置に通知するステップと、
前記第１の無線基地局装置が、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４８】
無線端末装置と、複数の無線基地局装置とを備え、前記無線端末装置が移動動作を行なうことにより前記複数の無線基地局装置と通信可能な無線通信システムにおける通信制御方法であって、
前記無線端末装置が、自己が通信先として選択した無線基地局装置の基地局識別情報を所定期間分保持するとともに、自己の他の無線基地局装置への移動動作のタイミングからの経過時間を計測するステップと、
前記無線端末装置が、前記複数の無線基地局装置のうち、第１の無線基地局装置から第２の無線基地局装置への移動動作の完了後、新たに無線基地局装置との通信を再開する際または新たに無線基地局装置への移動動作を開始する際、自己の前記第２の無線基地局装置への移動動作のタイミングからの経過時間が所定値未満である場合には、保持した前記基地局識別情報を前記無線基地局装置に通知し、
前記第１の無線基地局装置が、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを含む、通信制御方法。
【請求項４９】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線端末装置が、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持するステップと、
前記第１の無線基地局装置が、自己を通信先として選択していた前記無線端末装置の前記第２の無線基地局装置への移動動作のタイミングからの経過時間を計測するステップと、
前記無線端末装置が、前記第２の無線基地局装置への移動動作の完了後、新たに無線基地局装置との通信を再開する場合または新たに無線基地局装置への移動動作を行なう場合に、保持した前記基地局識別情報および前記端末識別情報を前記無線基地局装置に通知するステップと、
前記第１の無線基地局装置が、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５０】
無線端末装置と、複数の無線基地局装置とを備え、前記無線端末装置が移動動作を行なうことにより前記複数の無線基地局装置と通信可能な無線通信システムにおける通信制御プログラムであって、コンピュータに、
前記無線基地局装置が、自己を通信先として選択する前記無線端末装置に端末識別情報を付与するステップと、
前記無線端末装置が、前記複数の無線基地局装置のうち、第１の無線基地局装置から第２の無線基地局装置への移動動作を行なう場合に、前記第１の無線基地局装置の基地局識別情報、および前記第１の無線基地局装置から付与された端末識別情報を保持するステップと、
前記第１の無線基地局装置が、自己を通信先として選択していた前記無線端末装置の前記第２の無線基地局装置への移動動作のタイミングからの経過時間を計測するステップと、
前記無線端末装置が、前記第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知するステップと、
前記第１の無線基地局装置が、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５１】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線端末装置が、前記複数の無線基地局装置のうち、第１の無線基地局装置から第２の無線基地局装置への移動動作を行なう場合に、前記第１の無線基地局装置の基地局識別情報を保持するステップと、
前記無線端末装置が、自己の前記第２の無線基地局装置への移動動作のタイミングからの経過時間を計測するステップと、
前記無線端末装置が、前記第２の無線基地局装置への移動動作の完了後、新たに無線基地局装置との通信を再開する際または新たに無線基地局装置への移動動作を開始する際、保持した前記第１の無線基地局装置の基地局識別情報と新たに通信先として選択する前記無線基地局装置の基地局識別情報とが一致し、かつ前記経過時間が所定値未満である場合には、所定情報を前記無線基地局装置に通知するステップと、
前記第１の無線基地局装置が、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５２】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線端末装置が、前記複数の無線基地局装置のうち、第１の無線基地局装置から第２の無線基地局装置への移動動作を行なう場合に、前記第１の無線基地局装置の基地局識別情報を保持するステップと、
前記無線端末装置が、自己の前記第２の無線基地局装置への移動動作のタイミングからの経過時間を計測するステップと、
前記無線端末装置が、前記第２の無線基地局装置への移動動作の完了後、新たに無線基地局装置との通信を再開する際または新たに無線基地局装置への移動動作を開始する際、前記経過時間が所定値未満である場合には、保持した前記基地局識別情報を前記無線基地局装置に通知するステップと、
前記第１の無線基地局装置が、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５３】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
第１の無線基地局装置が、自己を通信先として選択する前記無線端末装置の端末識別情報を自己以外の装置から取得するステップと、
前記第１の無線基地局装置が、自己を通信先として選択していた前記無線端末装置の第２の無線基地局装置への移動動作のタイミングからの経過時間を計測するステップと、
前記無線端末装置が、前記第１の無線基地局装置から前記第２の無線基地局装置への移動動作の完了後、新たに無線基地局装置との通信を再開する場合または新たに無線基地局装置への移動動作を行なう場合には、自己の端末識別情報を前記無線基地局装置に通知するステップと、
前記第１の無線基地局装置が、前記無線端末装置からの前記通知を受けて、前記無線端末装置から通知された前記端末識別情報が、取得した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５４】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線基地局装置が、自己を通信先として選択していた前記無線端末装置による自己から他の無線基地局装置への移動動作のタイミングからの経過時間を計測するステップと、
前記無線端末装置が、自己が通信先として選択した無線基地局装置の基地局識別情報、および前記無線基地局装置から付与された端末識別情報を所定期間分保持するステップと、
前記無線端末装置が、前記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した前記基地局識別情報および前記端末識別情報を前記無線基地局装置に通知するステップと、
前記第１の無線基地局装置が、前記無線端末装置からの前記通知を受けて、前記無線端末装置から通知された前記基地局識別情報が自己の識別情報と一致し、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５５】
無線端末装置と、複数の無線基地局装置とを備え、前記無線端末装置が移動動作を行なうことにより前記複数の無線基地局装置と通信可能な無線通信システムにおける通信制御プログラムであって、コンピュータに、
前記無線基地局装置が、自己を通信先として選択する前記無線端末装置に端末識別情報を付与するとともに、自己を通信先として選択していた前記無線端末装置による自己から他の無線基地局装置への移動動作のタイミングからの経過時間を計測するステップと、
前記無線端末装置が、自己が通信先として選択した無線基地局装置の基地局識別情報、および前記無線基地局装置から付与された端末識別情報を所定期間分保持するステップと、
前記無線端末装置が、前記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した前記第１の無線基地局装置の基地局識別情報と新たに通信先として選択する前記無線基地局装置の基地局識別情報とが一致するときには、保持した前記端末識別情報を前記無線基地局装置に通知するステップと、
前記第１の無線基地局装置が、前記無線端末装置からの前記通知を受けて、前記無線端末装置から通知された前記端末識別情報が、自己の付与した前記端末識別情報と一致し、かつ前記経過時間が所定値未満である場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５６】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線端末装置が、自己が通信先として選択した無線基地局装置の基地局識別情報を所定期間分保持するとともに、自己の他の無線基地局装置への移動動作のタイミングからの経過時間を計測するステップと、
前記無線端末装置が、前記複数の無線基地局装置のうち、第１の無線基地局装置から第２の無線基地局装置への移動動作の完了後、新たに無線基地局装置との通信を再開する際または新たに無線基地局装置への移動動作を開始する際、保持した前記基地局識別情報と新たに通信先として選択する前記無線基地局装置の基地局識別情報とが一致し、かつ自己の前記第２の無線基地局装置への移動動作のタイミングからの経過時間が所定値未満である場合には、所定情報を前記無線基地局装置に通知するステップと、
前記第１の無線基地局装置が、前記無線端末装置からの前記所定情報を含む前記通知を受けて、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【請求項５７】
無線端末装置と、複数の無線基地局装置とを備え、前記無線端末装置が移動動作を行なうことにより前記複数の無線基地局装置と通信可能な無線通信システムにおいて用いられる通信制御プログラムであって、コンピュータに、
前記無線端末装置が、自己が通信先として選択した無線基地局装置の基地局識別情報を所定期間分保持するとともに、自己の他の無線基地局装置への移動動作のタイミングからの経過時間を計測するステップと、
前記無線端末装置が、前記複数の無線基地局装置のうち、第１の無線基地局装置から第２の無線基地局装置への移動動作の完了後、新たに無線基地局装置との通信を再開する際または新たに無線基地局装置への移動動作を開始する際、自己の前記第２の無線基地局装置への移動動作のタイミングからの経過時間が所定値未満である場合には、保持した前記基地局識別情報を前記無線基地局装置に通知し、
前記第１の無線基地局装置が、前記無線端末装置からの前記通知を受けて、前記無線端末装置から通知された前記基地局識別情報が自己の識別情報と一致する場合には、前記無線端末装置による前記第１の無線基地局装置から前記第２の無線基地局装置への移動動作が不適切であったと判断するか、または無線端末装置による前記第１の無線基地局装置から前記第２の無線基地局装置への移動動作のタイミングを調整するステップとを実行させるための、通信制御プログラム。
【発明の詳細な説明】
【技術分野】
【０００１】
本発明は、無線通信システム、無線端末装置、通信制御方法および通信制御プログラムに関し、特に、無線端末装置が移動動作を行なうことにより複数の無線基地局装置と通信可能な通信システムにおける無線通信システム、無線端末装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、不適切なハンドオーバ動作を検出することにより、通信の安定化を図ることが可能な無線通信システム、無線端末装置、通信制御方法および通信制御プログラムを提供することである。
【課題を解決するための手段】
【００１２】
（１）上記課題を解決するために、この発明のある局面に係わる無線通信システムは、無線端末装置と、複数の無線基地局装置とを備え、上記無線端末装置がハンドオーバ動作を行なうことにより上記複数の無線基地局装置と通信可能な無線通信システムであって、上記無線基地局装置は、自己を通信先として選択する上記無線端末装置に端末識別情報を付与し、上記無線端末装置は、上記複数の無線基地局装置のうち、第１の無線基地局装置から第２の無線基地局装置へのハンドオーバ動作を行なう場合に、上記第１の無線基地局装置の基地局識別情報、および上記第１の無線基地局装置から付与された端末識別情報を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、保持した上記基地局識別情報および上記端末識別情報を上記無線基地局装置に通知する。
【００１３】
このような構成により、不適切なハンドオーバ動作の発生の原因となった、無線端末装置が２つ前に通信接続を確立していた第１の無線基地局装置は、自己と通信接続を確立していた無線端末装置のうち、どの無線端末装置のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００１４】
（２）好ましくは、上記第１の無線基地局装置は、自己を通信先として選択する上記無線端末装置の上記第２の無線基地局装置へのハンドオーバ動作が完了しても、上記無線端末装置に付与した上記端末識別情報を保持する。
【００１５】
このような構成により、第１の無線基地局装置において、自己が付与した端末識別情報と無線端末装置が通知する端末識別情報との照合を容易に行なうことができる。
【００１６】
（３）より好ましくは、上記第１の無線基地局装置は、さらに、上記無線端末装置による自己から上記第２の無線基地局装置へのハンドオーバ動作の種別を保持する。
【００１７】
このような構成により、第１の無線基地局装置において、問題のあったハンドオーバ動作の種別を容易に認識することができるため、不適切なハンドオーバ動作をより詳細に解析し、ハンドオーバ動作の最適化処理をより適切に行なうことができる。また、無線端末装置においてハンドオーバ動作の種別を保持し、無線基地局装置に通知する必要がなくなるため、無線端末装置の構成および処理の簡易化を図ることができる。
【００１８】
（４）より好ましくは、上記第１の無線基地局装置は、さらに、上記無線端末装置による自己から上記第２の無線基地局装置へのハンドオーバ動作が行なわれた際の上記無線端末装置の移動速度を保持する。
【００１９】
このような構成により、第１の無線基地局装置において、問題のあったハンドオーバ動作の際の無線端末装置の移動速度を容易に認識することができるため、不適切なハンドオーバ動作をより詳細に解析し、ハンドオーバ動作の最適化処理をより適切に行なうことができる。また、無線端末装置において移動速度を保持し、無線基地局装置に通知する必要がなくなるため、無線端末装置の構成および処理の簡易化を図ることができる。
【００２０】
（５）好ましくは、上記無線端末装置は、上記第１の無線基地局装置から上記第２の無線基地局装置へのハンドオーバ動作を行なう場合に、さらに、上記ハンドオーバ動作の種別を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、さらに、保持した上記ハンドオーバ動作の種別を上記無線基地局装置に通知する。
【００２１】
このような構成により、第１の無線基地局装置において、問題のあったハンドオーバ動作の種別を容易に認識することができるため、不適切なハンドオーバ動作をより詳細に解析し、ハンドオーバ動作の最適化処理をより適切に行なうことができる。また、無線基地局装置においてハンドオーバ動作の種別を保持する必要がなくなるため、無線基地局装置の構成および処理の簡易化を図ることができる。
【００２２】
（６）好ましくは、上記無線端末装置は、上記第１の無線基地局装置から上記第２の無線基地局装置へのハンドオーバ動作を行なう場合に、さらに、上記ハンドオーバ動作が行なわれた際の自己の移動速度を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、さらに、保持した上記移動速度を上記無線基地局装置に通知する。
【００２３】
このような構成により、第１の無線基地局装置において、問題のあったハンドオーバ動作の際の無線端末装置の移動速度を容易に認識することができるため、不適切なハンドオーバ動作をより詳細に解析し、ハンドオーバ動作の最適化処理をより適切に行なうことができる。また、無線基地局装置において移動速度を保持する必要がなくなるため、無線基地局装置の構成および処理の簡易化を図ることができる。
【００２４】
（７）またこの発明の別の局面に係わる無線通信システムは、無線端末装置と、複数の無線基地局装置とを備え、上記無線端末装置がハンドオーバ動作を行なうことにより上記複数の無線基地局装置と通信可能な無線通信システムであって、上記無線端末装置は、上記複数の無線基地局装置のうち、第１の無線基地局装置から第２の無線基地局装置へのハンドオーバ動作を行なう場合に、上記ハンドオーバ動作の種別を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、保持した上記ハンドオーバ動作の種別を上記無線基地局装置に通知する。
【００２５】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００２６】
（８）好ましくは、上記第１の無線基地局装置は、自己を通信先として選択する上記無線端末装置の上記第２の無線基地局装置へのハンドオーバ動作が完了しても、上記ハンドオーバ動作の種別を保持する。
【００２７】
このような構成により、第１の無線基地局装置において、自己が過去に実行判断を行ったハンドオーバ動作の種別と無線端末装置が通知するハンドオーバ動作の種別との照合を容易に行なうことができる。
【００２８】
（９）好ましくは、上記無線端末装置は、上記第１の無線基地局装置から上記第２の無線基地局装置へのハンドオーバ動作を行なう場合に、さらに、上記第１の無線基地局装置の基地局識別情報を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、さらに、保持した上記基地局識別情報を上記無線基地局装置に通知する。
【００２９】
このような構成により、第１の無線基地局装置において、自己が過去に実行判断を行ったハンドオーバ動作の種別と無線端末装置が通知するハンドオーバ動作の種別との照合をさらに容易に行なうことができる。
【００３０】
（１０）またこの発明の別の局面に係わる無線通信システムは、無線端末装置と、複数の無線基地局装置とを備え、上記無線端末装置がハンドオーバ動作を行なうことにより上記複数の無線基地局装置と通信可能な無線通信システムであって、上記無線端末装置は、上記複数の無線基地局装置のうち、第１の無線基地局装置から第２の無線基地局装置へのハンドオーバ動作を行なう場合に、上記ハンドオーバ動作が行なわれた際の自己の移動速度を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、保持した上記移動速度を上記無線基地局装置に通知する。
【００３１】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００３２】
（１１）好ましくは、上記第１の無線基地局装置は、自己を通信先として選択する上記無線端末装置の上記第２の無線基地局装置へのハンドオーバ動作が完了しても、上記ハンドオーバ動作が行なわれた際の上記無線端末装置の上記移動速度を保持する。
【００３３】
このような構成により、第１の無線基地局装置において、自己が過去に実行判断を行ったハンドオーバ動作の際の無線端末装置の移動速度と無線端末装置が通知する移動速度との照合を容易に行なうことができるため、問題のあったハンドオーバ動作の種別を容易に認識することができる。
【００３４】
（１２）好ましくは、上記無線端末装置は、上記第１の無線基地局装置から上記第２の無線基地局装置へのハンドオーバ動作を行なう場合に、さらに、上記第１の無線基地局装置の基地局識別情報を保持し、上記無線端末装置は、上記第２の無線基地局装置へのハンドオーバ動作の完了後、新たに無線基地局装置との通信を再開する場合または新たに無線基地局装置へのハンドオーバ動作を行なう場合に、さらに、保持した上記基地局識別情報を上記無線基地局装置に通知する。
【００３５】
このような構成により、第１の無線基地局装置において、自己が過去に実行判断を行ったハンドオーバ動作の際の無線端末装置の移動速度と無線端末装置が通知する移動速度との照合をさらに容易に行なうことができるため、問題のあったハンドオーバ動作の種別をさらに容易に認識することができる。
【００３６】
（１３）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線基地局装置は、自己を通信先として選択する上記無線端末装置に端末識別情報を付与し、上記無線端末装置は、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持し、上記第１の無線基地局装置は、自己を通信先として選択していた上記無線端末装置の上記第２の無線基地局装置への移動動作のタイミングからの経過時間を計測し、上記無線端末装置は、上記第２の無線基地局装置への移動動作の完了後、新たに無線基地局装置との通信を再開する場合または新たに無線基地局装置への移動動作を行なう場合には、保持した上記基地局識別情報および上記端末識別情報を上記無線基地局装置に通知し、上記第１の無線基地局装置は、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００３７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【００３８】
（１４）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線基地局装置は、自己を通信先として選択する上記無線端末装置に端末識別情報を付与し、上記無線端末装置は、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持し、上記第１の無線基地局装置は、自己を通信先として選択していた上記無線端末装置の上記第２の無線基地局装置への移動動作のタイミングからの経過時間を計測し、上記無線端末装置は、上記第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知し、上記第１の無線基地局装置は、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整する。
【００３９】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。
【００４０】
（１５）好ましくは、上記第１の無線基地局装置は、自己を通信先として選択する上記無線端末装置の上記第２の無線基地局装置への移動動作が完了しても、上記無線端末装置に付与した上記端末識別情報を保持し、上記経過時間が上記所定値以上になると上記端末識別情報を消去する。
【００４１】
このような構成により、無線基地局装置は、無線端末装置に付与した識別情報の保持および解放を適切に行なうことができる。
【００４２】
（１６）好ましくは、上記無線端末装置は、上記基地局識別情報および上記端末識別情報を上記無線基地局装置に通知した場合、または自己の上記第２の無線基地局装置への移動動作のタイミングから所定時間経過後、保持した上記基地局識別情報および上記端末識別情報を消去する。
【００４３】
このような構成により、無線端末装置において、無線基地局装置の識別情報および無線基地局装置から付与された識別情報の解放を適切なタイミングで行なうことができる。
【００４４】
（１７）好ましくは、上記無線端末装置は、上記端末識別情報を上記無線基地局装置に通知した場合、または自己の上記第２の無線基地局装置への移動動作のタイミングから所定時間経過後、保持した上記基地局識別情報および上記端末識別情報を消去する。
【００４５】
このような構成により、無線端末装置において、無線基地局装置の識別情報および無線基地局装置から付与された識別情報の解放を適切なタイミングで行なうことができる。
【００４６】
（１８）好ましくは、上記無線端末装置は、上記端末識別情報を、無線基地局装置に対する接続動作中、または上記接続動作の完了直後に上記無線基地局装置へ送信する。
【００４７】
このように、無線端末装置から無線基地局装置への端末識別情報の通知を、無線端末装置および無線基地局装置間で情報の送受信が可能になってからなるべく早いタイミングで、具体的には、接続動作中または接続動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【００４８】
（１９）好ましくは、上記無線端末装置は、上記端末識別情報を、無線基地局装置に対する再接続動作中、または上記再接続動作の完了直後に上記無線基地局装置へ送信する。
【００４９】
このように、無線端末装置から無線基地局装置への端末識別情報の通知を、無線端末装置および無線基地局装置間で情報の送受信が可能になってからなるべく早いタイミングで、具体的には、再接続動作中または再接続動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【００５０】
（２０）好ましくは、上記無線端末装置は、上記端末識別情報を、無線基地局装置へのハンドオーバ動作中、または上記ハンドオーバ動作の完了直後に上記無線基地局装置へ送信する。
【００５１】
このように、無線端末装置から無線基地局装置への端末識別情報の通知を、無線端末装置および無線基地局装置間で情報の送受信が可能になってからなるべく早いタイミングで、具体的には、ハンドオーバ動作中またはハンドオーバ動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【００５２】
（２１）好ましくは、上記無線端末装置は、上記端末識別情報を、無線基地局装置からの要求に応じて上記無線基地局装置へ送信する。
【００５３】
無線基地局装置の設置場所によっては、周辺の地理的情報などに応じてハンドオーバ動作のパラメータを固定的に設定する場合がある。上記のように、無線端末装置が、無線基地局装置から求められた場合のみ端末識別情報を送信する構成により、上記のような場所に設置される無線基地局装置に対して、ハンドオーバ動作のパラメータ調整を促すような情報が無線端末装置から無駄に送信されることを防ぐことができる。
【００５４】
（２２）好ましくは、上記第１の無線基地局装置は、上記経過時間が所定値未満の場合には、自己を新たに通信先として選択する無線端末装置に対して、上記付与した端末識別情報と同じ端末識別情報を付与しない。
【００５５】
無線基地局装置において複数の無線端末装置に同じ識別情報を付与してしまうと、無線端末装置が端末識別情報を送信してきても、どのハンドオーバ動作からの経過時間を参照すれば良いかが分からなくなる。上記のように、所定時間内は過去に割り当てた端末識別情報を新規の無線端末装置に対して割り当てない構成により、使用すべき上記経過時間を正しく取得し、不適切なハンドオーバ動作をより正確に検出することが可能となる。
【００５６】
（２３）好ましくは、上記無線端末装置は、ハンドオーバ動作の実行回数、接続動作の実行回数および再接続動作の実行回数のうちのいずれか１つ、または少なくともいずれか２つの組み合わせの合計、が所定回数を超えると、保持した上記端末識別情報を消去する。
【００５７】
接続動作、再接続動作、およびハンドオーバ動作のたびに無線基地局装置から付与された端末識別番号を記憶すると、無線端末装置の使用可能なメモリ領域が大幅に減少してしまう。上記のように、規定の回数を超えた場合に端末識別情報を消去する構成により、無線端末装置の使用可能なメモリ領域の大幅な減少を防ぐことが可能となる。
【００５８】
（２４）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線端末装置は、上記複数の無線基地局装置のうち、第１の無線基地局装置から第２の無線基地局装置への移動動作を行なう場合に、上記第１の無線基地局装置の基地局識別情報を保持し、上記無線端末装置は、自己の上記第２の無線基地局装置への移動動作のタイミングからの経過時間を計測し、上記無線端末装置は、上記第２の無線基地局装置への移動動作の完了後、新たに無線基地局装置との通信を再開する際または新たに無線基地局装置への移動動作を開始する際、保持した上記第１の無線基地局装置の基地局識別情報と新たに通信先として選択する上記無線基地局装置の基地局識別情報とが一致し、かつ上記経過時間が所定値未満である場合には、所定情報を上記無線基地局装置に通知し、上記第１の無線基地局装置は、上記無線端末装置からの上記所定情報を含む上記通知を受けて、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００５９】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。
【００６０】
（２５）好ましくは、上記無線端末装置は、上記所定情報を上記無線基地局装置に通知した場合、または上記経過時間が上記所定値以上になると、保持した上記基地局識別情報を消去する。
【００６１】
このような構成により、無線端末装置において、無線基地局装置の識別情報の解放を適切なタイミングで行なうことができる。
【００６２】
（２６）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線端末装置は、上記複数の無線基地局装置のうち、第１の無線基地局装置から第２の無線基地局装置への移動動作を行なう場合に、上記第１の無線基地局装置の基地局識別情報を保持し、上記無線端末装置は、自己の上記第２の無線基地局装置への移動動作のタイミングからの経過時間を計測し、上記無線端末装置は、上記第２の無線基地局装置への移動動作の完了後、新たに無線基地局装置との通信を再開する際または新たに無線基地局装置への移動動作を開始する際、上記経過時間が所定値未満である場合には、保持した上記基地局識別情報を上記無線基地局装置に通知し、上記第１の無線基地局装置は、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００６３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。
【００６４】
（２７）好ましくは、上記無線端末装置は、上記基地局識別情報を上記無線基地局装置に通知した場合、または上記経過時間が上記所定値以上になると、保持した上記基地局識別情報を消去する。
【００６５】
このような構成により、無線端末装置において、無線基地局装置の識別情報の解放を適切なタイミングで行なうことができる。
【００６６】
（２８）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、第１の無線基地局装置は、自己を通信先として選択する上記無線端末装置の端末識別情報を自己以外の装置から取得し、上記第１の無線基地局装置は、自己を通信先として選択していた上記無線端末装置の第２の無線基地局装置への移動動作のタイミングからの経過時間を計測し、上記無線端末装置は、上記第１の無線基地局装置から上記第２の無線基地局装置への移動動作の完了後、新たに無線基地局装置との通信を再開する場合または新たに無線基地局装置への移動動作を行なう場合には、自己の端末識別情報を上記無線基地局装置に通知し、上記第１の無線基地局装置は、上記無線端末装置からの上記通知を受けて、上記無線端末装置から通知された上記端末識別情報が、取得した上記端末識別情報と一致し、かつ上記経過時間が所定値未満である場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００６７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置に固有の識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【００６８】
（２９）好ましくは、上記第１の無線基地局装置は、自己を通信先として選択する上記無線端末装置の上記第２の無線基地局装置への移動動作が完了しても、上記無線端末装置の上記端末識別情報を保持し、上記経過時間が上記所定値以上になると上記端末識別情報を消去する。
【００６９】
このような構成により、無線基地局装置は、無線端末装置に固有の識別情報の保持および解放を適切に行なうことができる。
【００７０】
（３０）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線基地局装置は、自己を通信先として選択する上記無線端末装置に端末識別情報を付与するとともに、自己を通信先として選択していた上記無線端末装置による自己から他の無線基地局装置への移動動作のタイミングからの経過時間を計測し、上記無線端末装置は、自己が通信先として選択した無線基地局装置の基地局識別情報、および上記無線基地局装置から付与された端末識別情報を所定期間分保持し、上記無線端末装置は、上記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した上記基地局識別情報および上記端末識別情報を上記無線基地局装置に通知し、上記第１の無線基地局装置は、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００７１】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【００７２】
（３１）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線基地局装置は、自己を通信先として選択する上記無線端末装置に端末識別情報を付与するとともに、自己を通信先として選択していた上記無線端末装置による自己から他の無線基地局装置への移動動作のタイミングからの経過時間を計測し、上記無線端末装置は、自己が通信先として選択した無線基地局装置の基地局識別情報、および上記無線基地局装置から付与された端末識別情報を所定期間分保持し、上記無線端末装置は、上記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知し、上記第１の無線基地局装置は、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整する。
【００７３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。そして、無線基地局装置においてより的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【００７４】
（３２）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線端末装置は、自己が通信先として選択した無線基地局装置の基地局識別情報を所定期間分保持するとともに、自己の他の無線基地局装置への移動動作のタイミングからの経過時間を計測し、上記無線端末装置は、上記複数の無線基地局装置のうち、第１の無線基地局装置から第２の無線基地局装置への移動動作の完了後、新たに無線基地局装置との通信を再開する際または新たに無線基地局装置への移動動作を開始する際、保持した上記基地局識別情報と新たに通信先として選択する上記無線基地局装置の基地局識別情報とが一致し、かつ自己の上記第２の無線基地局装置への移動動作のタイミングからの経過時間が所定値未満である場合には、所定情報を上記無線基地局装置に通知し、上記第１の無線基地局装置は、上記無線端末装置からの上記所定情報を含む上記通知を受けて、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００７５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【００７６】
（３３）またこの発明の別の局面に係わる無線通信システムは、無線端末装置と、複数の無線基地局装置とを備え、上記無線端末装置が移動動作を行なうことにより上記複数の無線基地局装置と通信可能な無線通信システムであって、上記無線端末装置は、自己が通信先として選択した無線基地局装置の基地局識別情報を所定期間分保持するとともに、自己の他の無線基地局装置への移動動作のタイミングからの経過時間を計測し、上記無線端末装置は、上記複数の無線基地局装置のうち、第１の無線基地局装置から第２の無線基地局装置への移動動作の完了後、新たに無線基地局装置との通信を再開する際または新たに無線基地局装置への移動動作を開始する際、自己の上記第２の無線基地局装置への移動動作のタイミングからの経過時間が所定値未満である場合には、保持した上記基地局識別情報を上記無線基地局装置に通知し、上記第１の無線基地局装置は、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整する。
【００７７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【００７８】
（３４）上記課題を解決するために、この発明のある局面に係わる無線端末装置は、ハンドオーバ動作を行なうことにより複数の無線基地局装置と通信可能な無線端末装置であって、上記無線基地局装置は、自己を通信先として選択する無線端末装置に端末識別情報を付与し、上記複数の無線基地局装置のうち、第１の無線基地局装置から第２の無線基地局装置への自己の無線端末装置のハンドオーバ動作が行なわれる場合に、上記第１の無線基地局装置の基地局識別情報、および上記第１の無線基地局装置から自己の無線端末装置に対して付与された端末識別情報を保持するための保持部と、上記第２の無線基地局装置へのハンドオーバ動作の完了後、自己の無線端末装置において、新たに無線基地局装置との通信を再開する場合または新たに無線基地局装置へのハンドオーバ動作を行なう場合に、上記保持部によって保持された上記基地局識別情報および上記端末識別情報を上記無線基地局装置に通知するための通知部とを備える。
【００７９】
このような構成により、不適切なハンドオーバ動作の発生の原因となった、無線端末装置が２つ前に通信接続を確立していた第１の無線基地局装置は、自己と通信接続を確立していた無線端末装置のうち、どの無線端末装置のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００８０】
（３５）またこの発明の別の局面に係わる無線端末装置は、ハンドオーバ動作を行なうことにより複数の無線基地局装置と通信可能な無線端末装置であって、上記複数の無線基地局装置のうち、第１の無線基地局装置から第２の無線基地局装置への自己の無線端末装置のハンドオーバ動作が行なわれる場合に、上記ハンドオーバ動作の種別を保持するための保持部と、上記第２の無線基地局装置へのハンドオーバ動作の完了後、自己の無線端末装置において、新たに無線基地局装置との通信を再開する場合または新たに無線基地局装置へのハンドオーバ動作を行なう場合に、上記保持部によって保持された上記ハンドオーバ動作の種別を上記無線基地局装置に通知するための通知部とを備える。
【００８１】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００８２】
（３６）またこの発明の別の局面に係わる無線端末装置は、ハンドオーバ動作を行なうことにより複数の無線基地局装置と通信可能な無線端末装置であって、上記複数の無線基地局装置のうち、第１の無線基地局装置から第２の無線基地局装置への自己の無線端末装置のハンドオーバ動作が行なわれる場合に、上記ハンドオーバ動作が行なわれた際の自己の無線端末装置の移動速度を保持するための保持部と、上記第２の無線基地局装置へのハンドオーバ動作の完了後、自己の無線端末装置において、新たに無線基地局装置との通信を再開する場合または新たに無線基地局装置へのハンドオーバ動作を行なう場合に、上記保持部によって保持された上記移動速度を上記無線基地局装置に通知するための通知部とを備える。
【００８３】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００８４】
（３７）上記課題を解決するために、この発明のある局面に係わる通信制御方法は、無線端末装置と、複数の無線基地局装置とを備え、上記無線端末装置がハンドオーバ動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置へのハンドオーバ動作を行なう場合に、上記第１の無線基地局装置の基地局識別情報、および上記第１の無線基地局装置から付与された端末識別情報を保持するステップと、上記無線端末装置が、上記第２の無線基地局装置へのハンドオーバ動作の完了後、新たに無線基地局装置との通信を再開する場合または新たに無線基地局装置へのハンドオーバ動作を行なう場合に、保持した上記基地局識別情報および上記端末識別情報を上記無線基地局装置に通知するステップとを含む。
【００８５】
このような構成により、不適切なハンドオーバ動作の発生の原因となった、無線端末装置が２つ前に通信接続を確立していた第１の無線基地局装置は、自己と通信接続を確立していた無線端末装置のうち、どの無線端末装置のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００８６】
（３８）またこの発明の別の局面に係わる通信制御方法は、無線端末装置と、複数の無線基地局装置とを備え、上記無線端末装置がハンドオーバ動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置へのハンドオーバ動作を行なう場合に、上記ハンドオーバ動作の種別を保持するステップと、上記無線端末装置が、上記第２の無線基地局装置へのハンドオーバ動作の完了後、新たに無線基地局装置との通信を再開する場合または新たに無線基地局装置へのハンドオーバ動作を行なう場合に、保持した上記ハンドオーバ動作の種別を上記無線基地局装置に通知するステップとを含む。
【００８７】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００８８】
（３９）またこの発明の別の局面に係わる通信制御方法は、無線端末装置と、複数の無線基地局装置とを備え、上記無線端末装置がハンドオーバ動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置へのハンドオーバ動作を行なう場合に、上記ハンドオーバ動作が行なわれた際の自己の移動速度を保持するステップと、上記無線端末装置が、上記第２の無線基地局装置へのハンドオーバ動作の完了後、新たに無線基地局装置との通信を再開する場合または新たに無線基地局装置へのハンドオーバ動作を行なう場合に、保持した上記移動速度を上記無線基地局装置に通知するステップとを含む。
【００８９】
このような構成により、不適切なハンドオーバ動作の発生の原因となった、無線端末装置が２つ前に通信接続を確立していた第１の無線基地局装置は、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【００９０】
（４０）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持するステップと、上記第１の無線基地局装置が、自己を通信先として選択していた上記無線端末装置の上記第２の無線基地局装置への移動動作のタイミングからの経過時間を計測するステップと、上記無線端末装置が、上記第２の無線基地局装置への移動動作の完了後、新たに無線基地局装置との通信を再開する場合または新たに無線基地局装置への移動動作を行なう場合に、保持した上記基地局識別情報および上記端末識別情報を上記無線基地局装置に通知するステップと、上記第１の無線基地局装置が、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整するステップとを含む。
【００９１】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【００９２】
（４１）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線基地局装置が、自己を通信先として選択する上記無線端末装置に端末識別情報を付与するステップと、上記無線端末装置が、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持するステップと、上記第１の無線基地局装置が、自己を通信先として選択していた上記無線端末装置の上記第２の無線基地局装置への移動動作のタイミングからの経過時間を計測するステップと、上記無線端末装置が、上記第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知するステップと、上記第１の無線基地局装置が、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを含む。
【００９３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。
【００９４】
（４２）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置への移動動作を行なう場合に、上記第１の無線基地局装置の基地局識別情報を保持するステップと、上記無線端末装置が、自己の上記第２の無線基地局装置への移動動作のタイミングからの経過時間を計測するステップと、上記無線端末装置が、上記第２の無線基地局装置への移動動作の完了後、新たに無線基地局装置との通信を再開する際または新たに無線基地局装置への移動動作を開始する際、保持した上記第１の無線基地局装置の基地局識別情報と新たに通信先として選択する上記無線基地局装置の基地局識別情報とが一致し、かつ上記経過時間が所定値未満である場合には、所定情報を上記無線基地局装置に通知するステップと、上記第１の無線基地局装置が、上記無線端末装置からの上記所定情報を含む上記通知を受けて、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整するステップとを含む。
【００９５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。
【００９６】
（４３）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線端末装置が、上記複数の無線基地局装置のうち、第１の無線基地局装置から第２の無線基地局装置への移動動作を行なう場合に、上記第１の無線基地局装置の基地局識別情報を保持するステップと、上記無線端末装置が、自己の上記第２の無線基地局装置への移動動作のタイミングからの経過時間を計測するステップと、上記無線端末装置が、上記第２の無線基地局装置への移動動作の完了後、新たに無線基地局装置との通信を再開する際または新たに無線基地局装置への移動動作を開始する際、上記経過時間が所定値未満である場合には、保持した上記基地局識別情報を上記無線基地局装置に通知するステップと、上記第１の無線基地局装置が、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整するステップとを含む。
【００９７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。
【００９８】
（４４）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、第１の無線基地局装置が、自己を通信先として選択する上記無線端末装置の端末識別情報を自己以外の装置から取得するステップと、上記第１の無線基地局装置が、自己を通信先として選択していた上記無線端末装置の第２の無線基地局装置への移動動作のタイミングからの経過時間を計測するステップと、上記無線端末装置が、上記第１の無線基地局装置から上記第２の無線基地局装置への移動動作の完了後、新たに無線基地局装置との通信を再開する場合または新たに無線基地局装置への移動動作を行なう場合には、自己の端末識別情報を上記無線基地局装置に通知するステップと、上記第１の無線基地局装置が、上記無線端末装置からの上記通知を受けて、上記無線端末装置から通知された上記端末識別情報が、取得した上記端末識別情報と一致し、かつ上記経過時間が所定値未満である場合には、上記無線端末装置による上記第１の無線基地局装置から上記第２の無線基地局装置への移動動作が不適切であったと判断するか、または上記無線端末装置による上記第１の無線基地局装置から上記第２の無線基地局装置への移動動作のタイミングを調整するステップとを含む。
【００９９】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置に固有の識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【０１００】
（４５）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線基地局装置が、自己を通信先として選択していた上記無線端末装置による自己から他の無線基地局装置への移動動作のタイミングからの経過時間を計測するステップと、上記無線端末装置が、自己が通信先として選択した無線基地局装置の基地局識別情報、および上記無線基地局装置から付与された端末識別情報を所定期間分保持するステップと、上記無線端末装置が、上記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した上記基地局識別情報および上記端末識別情報を上記無線基地局装置に通知するステップと、上記第１の無線基地局装置が、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを含む。
【０１０１】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【０１０２】
（４６）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線基地局装置が、自己を通信先として選択する上記無線端末装置に端末識別情報を付与するとともに、自己を通信先として選択していた上記無線端末装置による自己から他の無線基地局装置への移動動作のタイミングからの経過時間を計測するステップと、上記無線端末装置が、自己が通信先として選択した無線基地局装置の基地局識別情報、および上記無線基地局装置から付与された端末識別情報を所定期間分保持するステップと、上記無線端末装置が、上記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知するステップと、上記第１の無線基地局装置が、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを含む。
【０１０３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。そして、無線基地局装置においてより的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０１０４】
（４７）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線端末装置が、自己が通信先として選択した無線基地局装置の基地局識別情報を所定期間分保持するとともに、自己の他の無線基地局装置への移動動作のタイミングからの経過時間を計測するステップと、上記無線端末装置が、上記複数の無線基地局装置のうち、第１の無線基地局装置から第２の無線基地局装置への移動動作の完了後、新たに無線基地局装置との通信を再開する際または新たに無線基地局装置への移動動作を開始する際、保持した上記基地局識別情報と新たに通信先として選択する上記無線基地局装置の基地局識別情報とが一致し、かつ自己の上記第２の無線基地局装置への移動動作のタイミングからの経過時間が所定値未満である場合には、所定情報を上記無線基地局装置に通知するステップと、上記第１の無線基地局装置が、上記無線端末装置からの上記所定情報を含む上記通知を受けて、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを含む。
【０１０５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【０１０６】
（４８）またこの発明の別の局面に係わる通信制御方法は、無線端末装置と、複数の無線基地局装置とを備え、上記無線端末装置が移動動作を行なうことにより上記複数の無線基地局装置と通信可能な無線通信システムにおける通信制御方法であって、上記無線端末装置が、自己が通信先として選択した無線基地局装置の基地局識別情報を所定期間分保持するとともに、自己の他の無線基地局装置への移動動作のタイミングからの経過時間を計測するステップと、上記無線端末装置が、上記複数の無線基地局装置のうち、第１の無線基地局装置から第２の無線基地局装置への移動動作の完了後、新たに無線基地局装置との通信を再開する際または新たに無線基地局装置への移動動作を開始する際、自己の上記第２の無線基地局装置への移動動作のタイミングからの経過時間が所定値未満である場合には、保持した上記基地局識別情報を上記無線基地局装置に通知し、上記第１の無線基地局装置が、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを含む。
【０１０７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【０１０８】
（４９）上記課題を解決するために、この発明のある局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線端末装置が、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持するステップと、上記第１の無線基地局装置が、自己を通信先として選択していた上記無線端末装置の上記第２の無線基地局装置への移動動作のタイミングからの経過時間を計測するステップと、上記無線端末装置が、上記第２の無線基地局装置への移動動作の完了後、新たに無線基地局装置との通信を再開する場合または新たに無線基地局装置への移動動作を行なう場合に、保持した上記基地局識別情報および上記端末識別情報を上記無線基地局装置に通知するステップと、上記第１の無線基地局装置が、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１０９】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【０１１０】
（５０）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおける通信制御プログラムであって、コンピュータに、上記無線基地局装置が、自己を通信先として選択する上記無線端末装置に端末識別情報を付与するステップと、上記無線端末装置が、上記複数の無線基地局装置のうち、第１の無線基地局装置から第２の無線基地局装置への移動動作を行なう場合に、上記第１の無線基地局装置の基地局識別情報、および上記第１の無線基地局装置から付与された端末識別情報を保持するステップと、上記第１の無線基地局装置が、自己を通信先として選択していた上記無線端末装置の上記第２の無線基地局装置への移動動作のタイミングからの経過時間を計測するステップと、上記無線端末装置が、上記第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知するステップと、上記第１の無線基地局装置が、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１１１】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。
【０１１２】
（５１）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線端末装置が、上記複数の無線基地局装置のうち、第１の無線基地局装置から第２の無線基地局装置への移動動作を行なう場合に、上記第１の無線基地局装置の基地局識別情報を保持するステップと、上記無線端末装置が、自己の上記第２の無線基地局装置への移動動作のタイミングからの経過時間を計測するステップと、上記無線端末装置が、上記第２の無線基地局装置への移動動作の完了後、新たに無線基地局装置との通信を再開する際または新たに無線基地局装置への移動動作を開始する際、保持した上記第１の無線基地局装置の基地局識別情報と新たに通信先として選択する上記無線基地局装置の基地局識別情報とが一致し、かつ上記経過時間が所定値未満である場合には、所定情報を上記無線基地局装置に通知するステップと、上記第１の無線基地局装置が、上記無線端末装置からの上記所定情報を含む上記通知を受けて、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１１３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。
【０１１４】
（５２）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線端末装置が、上記複数の無線基地局装置のうち、第１の無線基地局装置から第２の無線基地局装置への移動動作を行なう場合に、上記第１の無線基地局装置の基地局識別情報を保持するステップと、上記無線端末装置が、自己の上記第２の無線基地局装置への移動動作のタイミングからの経過時間を計測するステップと、上記無線端末装置が、上記第２の無線基地局装置への移動動作の完了後、新たに無線基地局装置との通信を再開する際または新たに無線基地局装置への移動動作を開始する際、上記経過時間が所定値未満である場合には、保持した上記基地局識別情報を上記無線基地局装置に通知するステップと、上記第１の無線基地局装置が、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１１５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。
【０１１６】
（５３）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、第１の無線基地局装置が、自己を通信先として選択する上記無線端末装置の端末識別情報を自己以外の装置から取得するステップと、上記第１の無線基地局装置が、自己を通信先として選択していた上記無線端末装置の第２の無線基地局装置への移動動作のタイミングからの経過時間を計測するステップと、上記無線端末装置が、上記第１の無線基地局装置から上記第２の無線基地局装置への移動動作の完了後、新たに無線基地局装置との通信を再開する場合または新たに無線基地局装置への移動動作を行なう場合には、自己の端末識別情報を上記無線基地局装置に通知するステップと、上記第１の無線基地局装置が、上記無線端末装置からの上記通知を受けて、上記無線端末装置から通知された上記端末識別情報が、取得した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１１７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置に固有の識別情報の一致を検出条件とする構成により、無線基地局装置において無線端末装置ごとの上記経過時間を取得し、不適切な移動動作のより正確な検出が可能となる。また、無線基地局装置において無線端末装置を特定することができるため、より的確に移動動作を制御し、移動動作のさらなる最適化を図ることができる。
【０１１８】
（５４）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線基地局装置が、自己を通信先として選択していた上記無線端末装置による自己から他の無線基地局装置への移動動作のタイミングからの経過時間を計測するステップと、上記無線端末装置が、自己が通信先として選択した無線基地局装置の基地局識別情報、および上記無線基地局装置から付与された端末識別情報を所定期間分保持するステップと、上記無線端末装置が、上記複数の無線基地局装置のうち、第１の無線基地局装置から第２の無線基地局装置への移動動作の完了後、新たに無線基地局装置との通信を再開する場合または新たに無線基地局装置への移動動作を行なう場合には、保持した上記基地局識別情報および上記端末識別情報を上記無線基地局装置に通知するステップと、上記第１の無線基地局装置が、上記無線端末装置からの上記通知を受けて、上記無線端末装置から通知された上記基地局識別情報が自己の識別情報と一致し、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１１９】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【０１２０】
（５５）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおける通信制御プログラムであって、コンピュータに、上記無線基地局装置が、自己を通信先として選択する上記無線端末装置に端末識別情報を付与するとともに、自己を通信先として選択していた上記無線端末装置による自己から他の無線基地局装置への移動動作のタイミングからの経過時間を計測するステップと、上記無線端末装置が、自己が通信先として選択した無線基地局装置の基地局識別情報、および上記無線基地局装置から付与された端末識別情報を所定期間分保持するステップと、上記無線端末装置が、上記複数の無線基地局装置のうち、第１の無線基地局装置から第２の無線基地局装置への移動動作の完了後、新たに無線基地局装置との通信を再開する場合または新たに無線基地局装置への移動動作を行なう場合であって、保持した上記第１の無線基地局装置の基地局識別情報と新たに通信先として選択する上記無線基地局装置の基地局識別情報とが一致するときには、保持した上記端末識別情報を上記無線基地局装置に通知するステップと、上記第１の無線基地局装置が、上記無線端末装置からの上記通知を受けて、上記無線端末装置から通知された上記端末識別情報が、自己の付与した上記端末識別情報と一致し、かつ上記経過時間が所定値未満である場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１２１】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。そして、無線基地局装置においてより的確なハンドオーバ制御を行ない、ハンドオーバ動作のさらなる最適化を図ることができる。また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０１２２】
（５６）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線端末装置が、自己が通信先として選択した無線基地局装置の基地局識別情報を所定期間分保持するとともに、自己の他の無線基地局装置への移動動作のタイミングからの経過時間を計測するステップと、上記無線端末装置が、上記複数の無線基地局装置のうち、第１の無線基地局装置から第２の無線基地局装置への移動動作の完了後、新たに無線基地局装置との通信を再開する際または新たに無線基地局装置への移動動作を開始する際、保持した上記基地局識別情報と新たに通信先として選択する上記無線基地局装置の基地局識別情報とが一致し、かつ自己の上記第２の無線基地局装置への移動動作のタイミングからの経過時間が所定値未満である場合には、所定情報を上記無線基地局装置に通知するステップと、上記第１の無線基地局装置が、上記無線端末装置からの上記所定情報を含む上記通知を受けて、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１２３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測および基地局識別情報の一致確認を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【０１２４】
（５７）またこの発明の別の局面に係わる通信制御プログラムは、無線端末装置と、複数の無線基地局装置とを備え、上記無線端末装置が移動動作を行なうことにより上記複数の無線基地局装置と通信可能な無線通信システムにおいて用いられる通信制御プログラムであって、コンピュータに、上記無線端末装置が、自己が通信先として選択した無線基地局装置の基地局識別情報を所定期間分保持するとともに、自己の他の無線基地局装置への移動動作のタイミングからの経過時間を計測するステップと、上記無線端末装置が、上記複数の無線基地局装置のうち、第１の無線基地局装置から第２の無線基地局装置への移動動作の完了後、新たに無線基地局装置との通信を再開する際または新たに無線基地局装置への移動動作を開始する際、自己の上記第２の無線基地局装置への移動動作のタイミングからの経過時間が所定値未満である場合には、保持した上記基地局識別情報を上記無線基地局装置に通知し、上記第１の無線基地局装置が、上記無線端末装置からの上記通知を受けて、上記無線端末装置から通知された上記基地局識別情報が自己の識別情報と一致する場合には、上記無線端末装置による上記第１の無線基地局装置から上記第２の無線基地局装置への移動動作が不適切であったと判断するか、または無線端末装置による上記第１の無線基地局装置から上記第２の無線基地局装置への移動動作のタイミングを調整するステップとを実行させるためのプログラムである。
【０１２５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切な移動動作を検出することができる。また、無線基地局装置間で情報をやり取りする必要がなくなることから、コアネットワークにおける処理の簡易化および通信トラフィックの低減を図ることができる。そして、無線基地局装置は、不適切な移動動作を検出することにより、たとえば移動動作を制御するパラメータを調整して不適切な移動動作を抑制することができるため、良好な通信システムを構築することができる。したがって、不適切な移動動作を検出することにより、通信の安定化を図ることができる。さらに、無線端末装置において上記経過時間の計測を行なう構成により、不適切な移動動作のより正確な検出が可能となる。そして、無線基地局装置においてより的確に移動動作を制御し、移動動作のさらなる最適化を図ることができる。また、新たな無線基地局装置への移動動作を行なう際に、過去の移動元の無線基地局装置の識別情報および当該無線基地局装置から付与された識別情報を１つの無線基地局装置分だけ保持しておく構成と比べて、不適切な移動動作をより広範囲に検出することが可能となる。
【発明の効果】
【０１２６】
本発明によれば、不適切なハンドオーバ動作を検出することにより、通信の安定化を図ることができる。
【図面の簡単な説明】
【０１２７】
【図１】本発明の第１の実施の形態に係る無線通信システムの構成を示す図である。
【図２】本発明の第１の実施の形態に係る無線通信システムにおけるハンドオーバ動作のシーケンスの一例を示す図である。
【図３】本発明の第１の実施の形態に係る無線通信システムにおいて、不適切なハンドオーバ動作（Ｔｏｏ  Ｌａｔｅ  ＨＯ）が生じた状況の一例を示す図である。
【図４】本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【図５】本発明の第１の実施の形態に係る無線通信システムにおいて、不適切なハンドオーバ動作（Ｔｏｏ  Ｅａｒｌｙ  ＨＯ）が生じた状況の一例を示す図である。
【図６】本発明の第１の実施の形態に係る無線通信システムにおいて、不適切なハンドオーバ動作（Ｔｏｏ  Ｅａｒｌｙ  ＨＯ）が生じた状況の一例を示す図である。
【図７】本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【図８】本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図９】本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【図１０】本発明の第１の実施の形態に係る無線通信システムにおける、無線端末装置の受信品質のシミュレーション結果を示す図である。
【図１１】本発明の第１の実施の形態に係る無線通信システムにおいて、無線端末装置が測定結果通知を送信するイベントＡ１を示す図である。
【図１２】本発明の第１の実施の形態に係る無線通信システムにおいて、無線端末装置が測定結果通知を送信するイベントＡ２を示す図である。
【図１３】本発明の第１の実施の形態に係る無線通信システムにおいて、無線端末装置が測定結果通知を送信するイベントＡ３を示す図である。
【図１４】本発明の第１の実施の形態に係る無線通信システムにおいて、無線端末装置が測定結果通知を送信するイベントＡ４を示す図である。
【図１５】本発明の第１の実施の形態に係る無線通信システムにおいて、無線端末装置が測定結果通知を送信するイベントＡ５を示す図である。
【図１６】本発明の第１の実施の形態に係る無線通信システムにおいて、ヒステリシスＨＳの調整によるハンドオーバ動作のタイミング制御を示す図である。
【図１７】本発明の第１の実施の形態に係る無線通信システムにおいて、ＴＴＴの調整によるハンドオーバ動作のタイミング制御を示す図である。
【図１８】本発明の第１の実施の形態に係る無線通信システムにおいて、オフセットＯＳＴの調整によるハンドオーバ動作のタイミング制御を示す図である。
【図１９】本発明の第１の実施の形態に係る無線基地局装置の構成を示す図である。
【図２０】本発明の第１の実施の形態に係る無線基地局装置が”Ｔｏｏ  Ｅａｒｌｙ  ＨＯ”の検出処理を行なう際の動作手順の一例を定めたシーケンス図である。
【図２１】本発明の第１の実施の形態に係る無線基地局装置が”Ｔｏｏ  Ｅａｒｌｙ  ＨＯ”の検出処理を行なう際の動作手順の一例を定めたシーケンス図である。
【図２２】本発明の第１の実施の形態に係る無線基地局装置が”Ｔｏｏ  Ｅａｒｌｙ  ＨＯ”の検出処理を行なう際の動作手順の一例を定めたシーケンス図である。
【図２３】本発明の第１の実施の形態に係る無線基地局装置が”Ｔｏｏ  Ｅａｒｌｙ  ＨＯ”の検出処理を行なう際の動作手順の一例を定めたシーケンス図である。
【図２４】本発明の第１の実施の形態に係る無線基地局装置が”Ｔｏｏ  Ｅａｒｌｙ  ＨＯ”の検出処理を行なう際の動作手順の一例を定めたシーケンス図である。
【図２５】本発明の第１の実施の形態に係る無線通信システムにおいて、無線端末装置が送信するＲＬＦレポートの一例を示す図である。
【図２６】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２７】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２８】本発明の第１の実施の形態に係る無線基地局装置が”Ｐｉｎｇ  Ｐｏｎｇ  ＨＯ”の検出処理を行なう際の動作手順の一例を定めたシーケンス図である。
【図２９】本発明の第１の実施の形態に係る無線基地局装置が”Ｐｉｎｇ  Ｐｏｎｇ  ＨＯ”の検出処理を行なう際の動作手順の一例を定めたシーケンス図である。
【図３０】本発明の第１の実施の形態に係る無線基地局装置が”Ｐｉｎｇ  Ｐｏｎｇ  ＨＯ”の検出処理を行なう際の動作手順の一例を定めたシーケンス図である。
【図３１】本発明の第１の実施の形態に係る無線通信システムにおいて、無線端末装置が送信するＰｉｎｇＰｏｎｇレポートの一例を示す図である。
【図３２】本発明の第１の実施の形態に係る無線通信システムにおいて想定するシナリオの一例を示す図である。
【図３３】本発明の第２の実施の形態に係る無線通信システムにおいて想定するシナリオの一例を示す図である。
【図３４】本発明の第２の実施の形態に係る無線通信システムにおける、不適切なハンドオーバ動作（ＨＯ  ｔｏ  Ｗｒｏｎｇ  Ｃｅｌｌ）の検出処理およびハンドオーバ動作の最適化処理のシーケンスの一例を示す図である。
【図３５】本発明の第２の実施の形態に係る無線端末装置の構成を示す図である。
【図３６】本発明の第２の実施の形態に係る無線端末装置における制御部の構成を示す図である。
【図３７】本発明の第２の実施の形態に係る無線通信システムにおけるＲＬＦレポートの内容の一例を示す図である。
【図３８】本発明の第２の実施の形態に係る無線通信システムにおけるＲＬＦ通知の内容の一例を示す図である。
【図３９】本発明の第２の実施の形態に係る無線通信システムにおけるハンドオーバレポートの内容の一例を示す図である。
【図４０】本発明の第２の実施の形態に係る無線通信システムにおける、不適切なハンドオーバ動作（ＨＯ  ｔｏ  Ｗｒｏｎｇ  Ｃｅｌｌ）の検出処理およびハンドオーバ動作の最適化処理のシーケンスの一例を示す図である。
【発明を実施するための形態】
【０１２８】
以下、本発明の実施の形態について図面を用いて説明する。なお、図中同一または相当部分には同一符号を付してその説明は繰り返さない。
【０１２９】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【０１３０】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【０１３１】
また、ハンドオーバとは、通話中またはデータ通信中の無線端末装置の通信相手となる無線基地局装置が切り替えられることを意味する。
【０１３２】
また、無線端末装置がセルに在圏している、とは、無線端末装置が、当該セルを形成する無線基地局装置を通信先として選択し、かつ当該無線基地局装置と通信可能な状態または通信中である状態を意味する。
【０１３３】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０１３４】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０１３５】
本発明の実施の形態に係る無線通信システムにおいても、このような３ＧＰＰの定義を適用してもよい。
【０１３６】
また、上記定義と合わせて、あるいは別個に、以下のような定義を適用することも可能である。
【０１３７】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【０１３８】
また、フェムト基地局は、主に個人または法人の建物内に設置され、ユーザの事情により移動するまたは電源がオフとなる可能性がある無線基地局装置である。
【０１３９】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【０１４０】
＜第１の実施の形態＞
［構成および基本動作］
図１は、本発明の第１の実施の形態に係る無線通信システムの構成を示す図である。
【０１４１】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【０１４２】
無線基地局装置１０１Ａ，１０１Ｂは、たとえばフェムト基地局、ピコ基地局またはマクロ基地局である。
【０１４３】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【０１４４】
ここで、無線端末装置からコアネットワークへの方向を上り方向と称し、コアネットワークから無線端末装置への方向を下り方向と称する。
【０１４５】
本発明の第１の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【０１４６】
図２は、本発明の第１の実施の形態に係る無線通信システムにおけるハンドオーバ動作のシーケンスの一例を示す図である。
【０１４７】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【０１４８】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【０１４９】
次に、無線基地局装置１０１Ａは、設定した他の無線基地局装置から送信される無線信号の受信レベルを無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【０１５０】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【０１５１】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【０１５２】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【０１５３】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【０１５４】
次に、無線基地局装置１０１Ａは、無線基地局装置１０１Ｂを示すハンドオーバ要求を上位装置へ送信する（ステップＳ７）。
【０１５５】
次に、上位装置は、無線基地局装置１０１Ａからハンドオーバ要求を受信して、無線基地局装置１０１Ｂへ当該ハンドオーバ要求を送信する（ステップＳ８）。
【０１５６】
次に、無線基地局装置１０１Ｂは、上位装置からハンドオーバ要求を受信して、上位装置へ当該ハンドオーバ要求に対するハンドオーバ応答を送信する（ステップＳ９）。
【０１５７】
次に、上位装置は、無線基地局装置１０１Ｂからハンドオーバ応答を受信して、無線基地局装置１０１Ａへハンドオーバ指示を送信する（ステップＳ１０）。
【０１５８】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【０１５９】
次に、無線基地局装置１０１Ａは、上位装置へ自己の通信状態等を示す状態通知を送信する（ステップＳ１２）。
【０１６０】
次に、上位装置は、無線基地局装置１０１Ａから状態通知を受信して、無線基地局装置１０１Ｂへ無線端末装置２０２との通信内容等を示す状態通知を送信する（ステップＳ１３）。
【０１６１】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【０１６２】
次に、無線基地局装置１０１Ｂは、無線端末装置２０２からＲＲＣコネクション再構成完了通知を受信して、上位装置へハンドオーバ完了通知を送信する（ステップＳ１５）。
【０１６３】
次に、上位装置は、無線基地局装置１０１Ｂからハンドオーバ完了通知を受信して、端末情報解放指示を無線基地局装置１０１Ａへ送信する（ステップＳ１６）。
【０１６４】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【０１６５】
［不適切なハンドオーバ動作の例］
以下、無線端末装置２０２と通信中の無線基地局装置またはハンドオーバ元の無線基地局装置をサービング基地局とも称し、ハンドオーバ先の無線基地局装置を周辺基地局とも称する。
【０１６６】
図３は、本発明の第１の実施の形態に係る無線通信システムにおいて、不適切なハンドオーバ動作（Ｔｏｏ  Ｌａｔｅ  ＨＯ）が生じた状況の一例を示す図である。
【０１６７】
図４は、本発明の第１の実施の形態に係る無線通信システムにおける、不適切なハンドオーバ動作（Ｔｏｏ  Ｌａｔｅ  ＨＯ）およびその検出処理のシーケンスの一例を示す図である。
【０１６８】
”Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【０１６９】
”Ｔｏｏ  Ｌａｔｅ  ＨＯ”の検出方法は、たとえば以下のようになる。すなわち、無線端末装置２０２が無線基地局装置１０１ＡについてＲＬＦを起こした後に無線基地局装置１０１Ｂに対して無線リンクを再確立した場合、無線基地局装置１０１Ｂが無線基地局装置１０１Ａに対してＲＬＦ通知を送信する。これにより、無線基地局装置１０１Ａは”Ｔｏｏ  Ｌａｔｅ  ＨＯ”を検出する。
【０１７０】
ここでは、図３に示すように、無線端末装置２０２は、セルＣＡ内に位置し、無線基地局装置１０１Ａと通信中である場合を想定する。
【０１７１】
図３および図４を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ５１）。
【０１７２】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ５２）。
【０１７３】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ５３）。
【０１７４】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ５４）。
【０１７５】
ここで、ネットワーク側のハンドオーバの準備中、すなわち無線基地局装置１０１Ａおよび１０１Ｂが上記のようなハンドオーバのためのメッセージの送受信を行なっている間に、無線端末装置２０２が、セルＣＡの圏外、かつセルＣＢの圏内に移動する（ステップＳ５５）。
【０１７６】
この無線端末装置２０２の移動により、無線基地局装置１０１Ａから送信されるハンドオーバを指示するためのＲＲＣコネクション再構成指示（ステップＳ５６）が無線端末装置２０２に届かなくなり、ＲＬＦが発生してしまう（ステップＳ５７）。
【０１７７】
次に、無線端末装置２０２は、ＲＬＦ発生を検出すると、無線信号の受信電力の測定等によって周辺の無線基地局装置の探索を行ない、探索した無線基地局装置１０１Ｂに再接続するために、ＲＲＣコネクション再確立要求（RRC Connection Reestablishment Request）を送信する（ステップＳ５８）。
【０１７８】
次に、無線基地局装置１０１Ｂは、無線端末装置２０２からＲＲＣコネクション再確立要求を受信して、ＲＲＣコネクション再確立応答を無線端末装置２０２へ送信する（ステップＳ５９）。これにより、無線端末装置２０２および無線基地局装置１０１Ｂ間でＲＲＣコネクションが確立される。
【０１７９】
次に、無線端末装置２０２は、無線基地局装置１０１ＢへＲＲＣコネクション再確立完了通知（RRC Connection Reestablishment Complete）を送信する（ステップＳ６０）。
【０１８０】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ６１）。
【０１８１】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ６２）。ＲＬＦレポートは、ＲＬＦの発生した無線基地局装置のＰＣＩ（Physical Cell ID）、ＲＲＣコネクション再確立の発生した無線基地局装置のＰＣＩおよびＥＣＧＩ（E- UTRAN Cell Global Identifier）ならびに自己の無線端末装置２０２のＣ−ＲＮＴＩ（Cell Radio Network Temporary Identifier）等を含む。ここでは、ＲＬＦ発生のＰＣＩは無線基地局装置１０１ＡのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ａが付与したＩＤである。
【０１８２】
次に、無線基地局装置１０１Ｂは、無線端末装置２０２から受信したＲＬＦレポートの示すＰＣＩを参照することにより、無線基地局装置１０１ＡにおいてＲＬＦが発生したことを認識する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ａへ送信する（ステップＳ６３）。
【０１８３】
次に、無線基地局装置１０１Ａは、無線基地局装置１０１Ｂから受信したＲＬＦ通知のＰＣＩ、ＥＣＧＩおよびＣ−ＲＮＴＩを参照することにより、セルＣＢへの”Ｔｏｏ  Ｌａｔｅ  ＨＯ”が発生したことを認識する（ステップＳ６４）。
【０１８４】
次に、無線基地局装置１０１Ａは、セルＣＢへの”Ｔｏｏ  Ｌａｔｅ  ＨＯ”の発生が抑制されるように、ハンドオーバ動作の最適化処理を実行する（ステップＳ６５）。
【０１８５】
図５および図６は、本発明の第１の実施の形態に係る無線通信システムにおいて、不適切なハンドオーバ動作（Ｔｏｏ  Ｅａｒｌｙ  ＨＯ）が生じた状況の一例を示す図である。
【０１８６】
図５および図６を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１８７】
図７は、本発明の第１の実施の形態に係る無線通信システムにおける、不適切なハンドオーバ動作（Ｔｏｏ  Ｅａｒｌｙ  ＨＯ）およびその検出処理のシーケンスの一例を示す図である。
【０１８８】
”Ｔｏｏ  Ｅａｒｌｙ  ＨＯ”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１８９】
”Ｔｏｏ  Ｅａｒｌｙ  ＨＯ”の検出方法は、たとえば以下のようになる。すなわち、ハンドオーバ先の無線基地局装置１０１Ｂは、ＲＬＦレポートをハンドオーバ元の無線基地局装置１０１Ａから受信した場合において、当該受信タイミングからさかのぼって所定時間内に、当該無線端末装置２０２の自己へのハンドオーバの完了による端末情報解放指示を無線基地局装置１０１Ａへ送信していたときに、”Ｔｏｏ  Ｅａｒｌｙ  ＨＯ”である旨を無線基地局装置１０１Ａに通知する。
【０１９０】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”Ｔｏｏ  Ｅａｒｌｙ  ＨＯ”によってＲＬＦが発生したのかを判別することができる。
【０１９１】
ここでは、図５に示すように、無線端末装置２０２が、セルＣＡ内に位置し、無線基地局装置１０１Ａと通信中である状態から、セルＣＢ２内へ移動した場合（ステップＳ７０）を想定する。
【０１９２】
図５〜図７を参照して、まず、無線端末装置２０２は、無線基地局装置から送信される無線信号の受信電力を測定し、測定した受信電力の測定結果を示す測定結果通知を無線基地局装置１０１Ａ（Source eNB, Serving eNB)へ送信する（ステップＳ７１）。
【０１９３】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ７２）。
【０１９４】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ７３）。
【０１９５】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ７４）。
【０１９６】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ７５）。
【０１９７】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ７６）。
【０１９８】
次に、無線基地局装置１０１Ｂは、無線端末装置２０２からＲＲＣコネクション再構成完了通知を受信して、端末情報解放指示を無線基地局装置１０１Ａへ送信する（ステップＳ７７）。
【０１９９】
また、無線基地局装置１０１Ｂは、無線端末装置２０２のセルＣＢにおける滞在時間を計測するために、タイマをスタートさせる（ステップＳ７８）。
【０２００】
次に、無線基地局装置１０１Ａは、無線基地局装置１０１Ｂから端末情報解放指示を受信して、無線端末装置２０２に関する情報（UE Context）を解放する（ステップＳ７９）。
【０２０１】
以上により、無線端末装置２０２の無線基地局装置１０１Ａから無線基地局装置１０１Ｂへのハンドオーバが完了する（ステップＳ８０）。
【０２０２】
ここで、無線端末装置２０２が、測定結果通知（Measurement Report）を無線基地局装置１０１Ｂへ送信する前に、セルＣＢの圏外かつセルＣＡの圏内に移動する（ステップＳ８１）。
【０２０３】
そうすると、無線端末装置２０２は、無線基地局装置１０１Ｂと通信できなくなることから、ＲＬＦが発生してしまう（ステップＳ８３）。
【０２０４】
次に、無線端末装置２０２は、ＲＬＦ発生を検出すると、無線信号の受信電力の測定等によって周辺の無線基地局装置の探索を行ない、探索した無線基地局装置１０１Ａに再接続するために、ＲＲＣコネクション再確立要求（RRC Connection Reestablishment Request）を送信する（ステップＳ８４）。
【０２０５】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ８５）、ＲＲＣコネクション再確立拒絶を当該無線端末装置２０２へ送信する（ステップＳ８６）。
【０２０６】
次に、無線端末装置２０２は、ＲＲＣコネクション再確立拒絶を無線基地局装置１０１Ａから受信すると、無線基地局装置１０１Ａと通常の接続手順をスタートさせる（ステップＳ８７）。
【０２０７】
すなわち、まず、無線端末装置２０２は、ＲＲＣコネクション要求（RRC Connection Request）を無線基地局装置１０１Ａへ送信する（ステップＳ８８）。
【０２０８】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ８９）。
【０２０９】
次に、無線端末装置２０２は、無線基地局装置１０１ＡからＲＲＣコネクション情報を受信して、ＲＲＣコネクション完了通知（RRC Connection Setup Complete）を送信する（ステップＳ９０）。
【０２１０】
次に、無線基地局装置１０１Ａは、無線端末装置２０２からＲＲＣコネクション完了通知を受信して、セキュリティ情報（Security Mode Command）を無線端末装置２０２へ送信する（ステップＳ９１）。
【０２１１】
次に、無線端末装置２０２は、無線基地局装置１０１Ａからセキュリティ情報を受信して、セキュリティ完了通知（Security Mode Complete）を無線基地局装置１０１Ａへ送信する（ステップＳ９２）。
【０２１２】
次に、無線基地局装置１０１Ａは、無線端末装置２０２へＲＲＣコネクション再構成指示（RRC Connection Reconfiguration）を送信する（ステップＳ９３）。
【０２１３】
次に、無線端末装置２０２および無線基地局装置１０１Ａ間でＲＲＣコネクションが確立されると、無線端末装置２０２は、無線基地局装置１０１ＡへＲＲＣコネクション再構成完了通知（RRC Connection Reconfiguration Complete）を送信する（ステップＳ９４）。
【０２１４】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求（UE Information Request）を無線端末装置２０２へ送信する（ステップＳ９５）。
【０２１５】
次に、無線端末装置２０２は、無線基地局装置１０１Ａから端末情報要求を受信して、ＲＬＦレポートを含む端末情報応答（UE Information Response）を無線基地局装置１０１Ａへ送信する（ステップＳ９６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＡのＩＤであり、Ｃ−ＲＮＴＩは無線基地局装置１０１Ｂが付与したＩＤである。
【０２１６】
次に、無線基地局装置１０１Ａは、無線端末装置２０２から受信したＲＬＦレポートの示すＰＣＩを参照することにより、無線基地局装置１０１ＢにおいてＲＬＦが発生したことを認識し、セルＣＡへの”Ｔｏｏ  Ｌａｔｅ  ＨＯ”が発生したと判断する（ステップＳ９７）。
【０２１７】
次に、無線基地局装置１０１Ａは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ９８）。
【０２１８】
次に、無線基地局装置１０１Ｂは、無線基地局装置１０１ＡからＲＬＦ通知を受信すると、スタートさせておいたタイマを確認し、タイマが動作している場合、すなわちタイマをスタートさせてから所定時間経過していない場合には、セルＣＡへの”Ｔｏｏ  Ｌａｔｅ  ＨＯ”ではなく、セルＣＢへの”Ｔｏｏ  Ｅａｒｌｙ  ＨＯ”であると判断する。なお、無線基地局装置１０１Ｂは、無線基地局装置１０１ＡからＲＬＦ通知を受信したときにタイマが動作していない場合、すなわちタイマをスタートさせてから上記所定時間経過している場合には、セルＣＡへの”Ｔｏｏ  Ｌａｔｅ  ＨＯ”であると判断する。
【０２１９】
無線基地局装置１０１Ｂは、セルＣＢへの”Ｔｏｏ  Ｅａｒｌｙ  ＨＯ”であると判断すると（ステップＳ９９）、ハンドオーバレポートを無線基地局装置１０１Ａへ送信する（ステップＳ１００）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”Ｔｏｏ  Ｅａｒｌｙ  ＨＯ”を無線基地局装置１０１Ａに通知する。
【０２２０】
次に、無線基地局装置１０１Ａは、無線基地局装置１０１Ｂから当該ハンドオーバレポートを受信して、セルＣＢへの”Ｔｏｏ  Ｅａｒｌｙ  ＨＯ”が発生したことを認識し（ステップＳ１０１）、”Ｔｏｏ  Ｅａｒｌｙ  ＨＯ”の発生が抑制されるように、ハンドオーバ動作の最適化処理を実行する（ステップＳ１０２）。
【０２２１】
図８は、本発明の第１の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０２２２】
図８を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０２２３】
無線基地局装置１０１Ｃは、セルＣＣを形成し、セルＣＣ内に存在する無線端末装置２０２と無線信号を送受信することにより、当該無線端末装置２０２と通信することが可能である。
【０２２４】
図９は、本発明の第１の実施の形態に係る無線通信システムにおける、不適切なハンドオーバ動作（ＨＯ  ｔｏ  Ｗｒｏｎｇ  Ｃｅｌｌ）およびその検出処理のシーケンスの一例を示す図である。
【０２２５】
”ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０２２６】
”ＨＯ  ｔｏ  Ｗｒｏｎｇ  Ｃｅｌｌ”の検出方法は、たとえば以下のようになる。すなわち、ハンドオーバ先の無線基地局装置１０１Ｂは、ＲＬＦレポートをハンドオーバ元の無線基地局装置１０１Ａ以外の無線基地局装置１０１Ｃから受信した場合において、当該受信タイミングからさかのぼって所定時間内に、当該無線端末装置２０２の自己へのハンドオーバの完了による端末情報解放指示を無線基地局装置１０１Ａへ送信していたときに、”ＨＯ  ｔｏ  Ｗｒｏｎｇ  Ｃｅｌｌ”である旨を無線基地局装置１０１Ａに通知する。
【０２２７】
ここで、無線基地局装置１０１Ｂは、上記所定時間を計測するために、タイマを用いる。これにより、無線基地局装置１０１Ｂは、ＲＬＦレポートを受信した場合において、自己の”Ｔｏｏ  Ｌａｔｅ  ＨＯ”によってＲＬＦが発生したのか、無線基地局装置１０１Ａの”ＨＯ  ｔｏ  Ｗｒｏｎｇ  Ｃｅｌｌ”によってＲＬＦが発生したのかを判別することができる。
【０２２８】
ここでは、図８に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ１１０）を想定する。仮想セルＣＢＶは、無線基地局装置１０１Ａから無線基地局装置１０１Ｂへのハンドオーバを促進するために、パラメータであるオフセットＯＳＴに従ってセルＣＢから拡大された仮想的なセルである。この場合、オフセットＯＳＴは、無線基地局装置１０１Ａの保持するパラメータである。
【０２２９】
図８および図９を参照して、まず、無線端末装置２０２は、無線基地局装置から送信される無線信号の受信電力を測定し、測定した受信電力の測定結果を示す測定結果通知を無線基地局装置１０１Ａへ送信する（ステップＳ１１１）。
【０２３０】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１１２）。
【０２３１】
次に、無線基地局装置１０１Ａは、無線基地局装置１０１Ｂを示すハンドオーバ要求を、基地局間インタフェースであるＸ２インタフェース経由で無線基地局装置１０１Ｂへ送信する（ステップＳ１１３）。
【０２３２】
次に、無線基地局装置１０１Ｂは、無線基地局装置１０１Ａからハンドオーバ要求を受信して、無線基地局装置１０１Ａへ当該ハンドオーバ要求に対するハンドオーバ応答をＸ２インタフェース経由で送信する（ステップＳ１１４）。
【０２３３】
次に、無線基地局装置１０１Ａは、無線基地局装置１０１Ｂからハンドオーバ応答を受信して、無線端末装置２０２へＲＲＣコネクション再構成指示（RRC Connection Reconfiguration）を送信する（ステップＳ１１５）。
【０２３４】
次に、無線端末装置２０２および無線基地局装置１０１Ｂ間でＲＲＣコネクションが確立されると、無線端末装置２０２は、ＲＲＣコネクション再構成完了通知（RRC Connection Reconfiguration Complete）を無線基地局装置１０１Ｂへ送信する（ステップＳ１１６）。
【０２３５】
次に、無線基地局装置１０１Ｂは、無線端末装置２０２からＲＲＣコネクション再構成完了通知を受信して、端末情報解放指示を無線基地局装置１０１Ａへ送信する（ステップＳ１１７）。
【０２３６】
また、無線基地局装置１０１Ｂは、無線端末装置２０２のセルＣＢにおける滞在時間を計測するために、タイマをスタートさせる（ステップＳ１１８）。
【０２３７】
次に、無線基地局装置１０１Ａは、無線基地局装置１０１Ｂから端末情報解放指示を受信して、無線端末装置２０２に関する情報（UE Context）を解放する（ステップＳ１１９）。
【０２３８】
以上により、無線端末装置２０２の無線基地局装置１０１Ａから無線基地局装置１０１Ｂへのハンドオーバが完了する（ステップＳ１２０）。
【０２３９】
ここで、無線端末装置２０２が、測定結果通知（Measurement Report）を無線基地局装置１０１Ｂへ送信する前に、セルＣＢの圏外、かつ仮想セルＣＢＶおよびセルＣＣの圏内に移動する（ステップＳ１２１）。
【０２４０】
そうすると、無線端末装置２０２は、無線基地局装置１０１Ｃ（Other eNB）から送信される無線信号の干渉が大きく、無線基地局装置１０１Ｂと通信できなくなることから、ＲＬＦが発生してしまう（ステップＳ１２３）。
【０２４１】
次に、無線端末装置２０２は、ＲＬＦ発生を検出すると、無線信号の受信電力の測定等によって周辺の無線基地局装置の探索を行なう。この場合、無線基地局装置１０１Ｃからの無線信号の受信電力が最大となることから、無線端末装置２０２は、探索した無線基地局装置１０１Ｃに再接続するために、ＲＲＣコネクション再確立要求（RRC Connection Reestablishment Request）を無線基地局装置１０１Ｃへ送信する（ステップＳ１２４）。
【０２４２】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ１２５）、ＲＲＣコネクション再確立拒絶を当該無線端末装置２０２へ送信する（ステップＳ１２６）。
【０２４３】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ１２７）。
【０２４４】
すなわち、まず、無線端末装置２０２は、ＲＲＣコネクション要求（RRC Connection Request）を無線基地局装置１０１Ｃへ送信する（ステップＳ１２８）。
【０２４５】
次に、無線基地局装置１０１Ｃは、無線端末装置２０２からＲＲＣコネクション要求を受信して、ＲＲＣコネクション情報（RRC Connection Setup）を無線端末装置２０２へ送信する（ステップＳ１２９）。
【０２４６】
次に、無線端末装置２０２は、無線基地局装置１０１ＣからＲＲＣコネクション情報を受信して、ＲＲＣコネクション完了通知（RRC Connection Setup Complete）を送信する（ステップＳ１３０）。
【０２４７】
次に、無線基地局装置１０１Ｃは、無線端末装置２０２からＲＲＣコネクション完了通知を受信して、セキュリティ情報（Security Mode Command）を無線端末装置２０２へ送信する（ステップＳ１３１）。
【０２４８】
次に、無線端末装置２０２は、無線基地局装置１０１Ｃからセキュリティ情報を受信して、セキュリティ完了通知（Security Mode Complete）を無線基地局装置１０１Ｃへ送信する（ステップＳ１３２）。
【０２４９】
次に、無線基地局装置１０１Ｃは、無線端末装置２０２へＲＲＣコネクション再構成指示（RRC Connection Reconfiguration）を送信する（ステップＳ１３３）。
【０２５０】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知（RRC Connection Reconfiguration Complete）を送信する（ステップＳ１３４）。
【０２５１】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求（UE Information Request）を無線端末装置２０２へ送信する（ステップＳ１３５）。
【０２５２】
次に、無線端末装置２０２は、無線基地局装置１０１Ｃから端末情報要求を受信して、ＲＬＦレポートを含む端末情報応答（UE Information Response）を無線基地局装置１０１Ｃへ送信する（ステップＳ１３６）。ＲＬＦレポートは、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＢのＩＤであり、ＲＲＣコネクション再確立発生のＰＣＩおよびＥＣＧＩは無線基地局装置１０１ＣのＩＤであり、Ｃ−ＲＮＴＩは無線基地局装置１０１Ｂが付与したＩＤである。
【０２５３】
次に、無線基地局装置１０１Ｃは、無線端末装置２０２から受信したＲＬＦレポートの示すＰＣＩを参照することにより、無線基地局装置１０１ＢにおいてＲＬＦが発生したことを認識し、セルＣＣへの”Ｔｏｏ  Ｌａｔｅ  ＨＯ”が発生したと判断する（ステップＳ１３７）。
【０２５４】
次に、無線基地局装置１０１Ｃは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｂへ送信する（ステップＳ１３８）。
【０２５５】
次に、無線基地局装置１０１Ｂは、無線基地局装置１０１ＣからＲＬＦ通知を受信すると、スタートさせておいたタイマを確認し、タイマが動作している場合、すなわちタイマをスタートさせてから所定時間経過していない場合には、セルＣＣへの”Ｔｏｏ  Ｌａｔｅ  ＨＯ”ではないと判断し、さらに、無線基地局装置１０１Ａ以外の無線基地局装置１０１ＣからＲＬＦ通知を受信したことから、セルＣＢへの”Ｔｏｏ  Ｅａｒｌｙ  ＨＯ”ではなく、セルＣＢへの”ＨＯ  ｔｏ  Ｗｒｏｎｇ  Ｃｅｌｌ”であると判断する。なお、無線基地局装置１０１Ｂは、無線基地局装置１０１ＣからＲＬＦ通知を受信したときにタイマが動作していない場合、すなわちタイマをスタートさせてから上記所定時間経過している場合には、セルＣＣへの”Ｔｏｏ  Ｌａｔｅ  ＨＯ”であると判断する。
【０２５６】
無線基地局装置１０１Ｂは、セルＣＢへの”ＨＯ  ｔｏ  Ｗｒｏｎｇ  Ｃｅｌｌ”であると判断すると（ステップＳ１３９）、ハンドオーバレポートを無線基地局装置１０１Ａへ送信する（ステップＳ１４０）。このハンドオーバレポートは、たとえば”Ｈａｎｄｏｖｅｒ  Ｒｅｐｏｒｔ  Ｔｙｐｅ”というパラメータを含む。無線基地局装置１０１Ｂは、このパラメータを所定値に設定することにより、”ＨＯ  ｔｏ  Ｗｒｏｎｇ  Ｃｅｌｌ”を無線基地局装置１０１Ａに通知する。
【０２５７】
次に、無線基地局装置１０１Ａは、無線基地局装置１０１Ｂから当該ハンドオーバレポートを受信して、セルＣＢへの”ＨＯ  ｔｏ  Ｗｒｏｎｇ  Ｃｅｌｌ”が発生したことを認識し（ステップＳ１４１）、”ＨＯ  ｔｏ  Ｗｒｏｎｇ  Ｃｅｌｌ”の発生が抑制されるように、ハンドオーバ動作の最適化処理を実行する（ステップＳ１４２）。
【０２５８】
以上のような”Ｔｏｏ  Ｌａｔｅ  ＨＯ”、”Ｔｏｏ  Ｅａｒｌｙ  ＨＯ”および”ＨＯ  ｔｏ  Ｗｒｏｎｇ  Ｃｅｌｌ”の他に、不適切なハンドオーバ動作として”Ｐｉｎｇ  Ｐｏｎｇ  ＨＯ”がある。
【０２５９】
これは、ある無線端末装置について、２つの無線基地局装置が互いに他の無線基地局装置へのハンドオーバを判断する場合である。この”Ｐｉｎｇ  Ｐｏｎｇ  ＨＯ”が発生すると、無線端末装置および無線基地局装置間の接続が切断されることはないが、当該無線端末装置についてはハンドオーバ動作のための処理が繰り返され、通話およびデータ通信を行なうことができなくなり、また、上位ネットワーク側の負荷が増大してしまう。
【０２６０】
［ハンドオーバ動作の制御パラメータ］
図１０は、本発明の第１の実施の形態に係る無線通信システムにおける、無線端末装置の受信品質のシミュレーション結果を示す図である。
【０２６１】
図１０は、無線端末装置２０２が、時速３０ｋｍでピコ基地局付近を通過し、マクロ基地局付近を通過するまでの１００秒間における無線端末装置２０２のＲＳＳＩ（Received Signal Strength Indication）を示している。
【０２６２】
図１０において、グラフＧ１およびＧ３は、マクロ基地局から送信される無線信号のＲＳＳＩを示し、グラフＧ２およびＧ４は、ピコ基地局から送信される無線信号のＲＳＳＩを示している。また、グラフＧ１およびＧ２は、シャドウィング、すなわち無線端末装置２０２および他の物体間の相対的な位置変化に起因する、当該無線端末装置２０２における無線信号の受信電力の時間的な変化を考慮したシミュレーション結果であり、グラフＧ３およびＧ４は、シャドウィングを考慮しないシミュレーション結果である。
【０２６３】
図１０を参照して、無線端末装置２０２のピコ基地局からマクロ基地局へのハンドオーバの理想位置は、グラフの交点付近すなわち移動時間が約１７秒となる位置である。しかしながら、実際には、無線端末装置２０２の未来の通信環境を無線通信システムにおいて把握することは困難であるため、各種測定結果等に基づいてハンドオーバ動作のタイミングを調整することにより、ハンドオーバ動作の最適化を図ることが重要である。
【０２６４】
また、移動時間が１５秒から２０秒の期間では、各無線基地局装置からの無線信号の強弱が入り組んでいるため、たとえば”Ｔｏｏ  Ｅａｒｌｙ  ＨＯ”または”Ｐｉｎｇ  Ｐｏｎｇ  ＨＯ”が発生しやすくなる。また、移動時間が２０秒となるタイミング付近では、ピコ基地局からの無線信号の受信電力が急に小さくなり、マクロ基地局からの無線信号の受信電力が急に大きくなり、ＳＩＮＲ（Signal to Interference-plus-Noise Ratio）が急激に悪化するため、”Ｔｏｏ  Ｌａｔｅ  ＨＯ”が発生しやすくなる。
【０２６５】
ここで、３ＧＰＰで規定されたハンドオーバの最適化を図るＭＲＯ（Mobility Robustness Optimization）の評価関数をＹ＝ＭＲＯ（Ｘ）とすると、Ｙは、たとえば”Ｔｏｏ  Ｌａｔｅ  ＨＯ”の発生頻度、”Ｔｏｏ  Ｅａｒｌｙ  ＨＯ”の発生頻度、”ＨＯ  ｔｏ  Ｗｒｏｎｇ  Ｃｅｌｌ”の発生頻度、”Ｐｉｎｇ  Ｐｏｎｇ  ＨＯ”等の不必要なハンドオーバの発生頻度、またはＲＲＣコネクション情報を送信した直後すなわち無線端末装置２０２が無線基地局装置に接続された直後のハンドオーバの発生頻度である。
【０２６６】
また、たとえば、Ｘは、電力測定処理（Measurement）用のパラメータであり、ヒステリシスＨＳ：０ｄＢ〜＋１５ｄＢ、ＴＴＴ（Time to Trigger）：０ｍｓ〜５１２０ｍｓ、またはオフセットＯＳＴ（Cell Individual Offset）：−２４ｄＢ〜＋２４ｄＢである。あるいは、Ｘは、セル再選択処理用のパラメータである。
【０２６７】
たとえば、ヒステリシスＨＳおよびＴＴＴは後述するイベントごとに設定可能であり、オフセットＯＳＴはサービング基地局の形成するサービングセル、および周辺セルごとに設定可能である。
【０２６８】
ここでは、無線基地局装置は、無線端末装置２０２の上り送信負荷を軽減するために、測定結果通知（Measurement Report）を受信するとハンドオーバの判断を行なうものとする。すなわち、測定結果通知の送信タイミングとハンドオーバのタイミングとが対応するものとする。
【０２６９】
以下、測定結果通知を送信する各種イベントと電力測定処理のパラメータとの関係について説明する。
【０２７０】
図１１は、本発明の第１の実施の形態に係る無線通信システムにおいて、無線端末装置が測定結果通知を送信するイベントＡ１を示す図である。図１１において、横軸は時間であり、縦軸は無線端末装置２０２における無線信号の受信電力またはＳＩＮＲであり、ＳＶＣはサービングセルの受信電力またはＳＩＮＲすなわちサービング基地局が送信する無線信号の受信電力またはＳＩＮＲである。
【０２７１】
図１１を参照して、イベントＡ１では、閾値Ｔｈに対して正負の方向にヒステリシスＨＳが設定される。
【０２７２】
無線端末装置２０２は、サービングセルの受信電力またはＳＩＮＲが（Ｔｈ＋ＨＳ）よりも大きくなると、レポートオン状態へ遷移する（タイミングＴ１）。
【０２７３】
そして、無線端末装置２０２は、受信電力またはＳＩＮＲが（Ｔｈ−ＨＳ）よりも大きい、という条件が満たされた状態でタイミングＴ１からＴＴＴ経過すると、測定結果通知を送信する（タイミングＴ２）。
【０２７４】
次に、無線端末装置２０２は、当該条件が満たされた状態でタイミングＴ２からＴＴＴ経過すると、測定結果通知を送信する（タイミングＴ３）。
【０２７５】
次に、無線端末装置２０２は、タイミングＴ３からＴＴＴ経過するまでに当該条件が満たされなくなると、測定結果通知を送信せず、レポートオフ状態へ遷移する（タイミングＴ４）。
【０２７６】
ここで、無線端末装置２０２は、レポートオン状態およびレポートオフ状態間の遷移とは無関係に、たとえば周期的に電力測定処理を行なっており、直近の測定結果を測定結果通知として送信する。また、たとえば、無線端末装置２０２は、受信電力およびＳＩＮＲの各々について独立にレポートオン状態およびレポートオフ状態間の遷移を行なう。すなわち、無線端末装置２０２は、受信電力およびＳＩＮＲの一方について条件を満たせば、測定結果通知を送信する。
【０２７７】
図１２は、本発明の第１の実施の形態に係る無線通信システムにおいて、無線端末装置が測定結果通知を送信するイベントＡ２を示す図である。図の見方は図１１と同様である。
【０２７８】
図１２を参照して、イベントＡ２では、閾値Ｔｈに対して正負の方向にヒステリシスＨＳが設定される。
【０２７９】
無線端末装置２０２は、サービングセルの受信電力またはＳＩＮＲが（Ｔｈ−ＨＳ）よりも小さくなると、レポートオン状態へ遷移する（タイミングＴ１１）。
【０２８０】
そして、無線端末装置２０２は、受信電力またはＳＩＮＲが（Ｔｈ＋ＨＳ）よりも小さい、という条件が満たされた状態でタイミングＴ１１からＴＴＴ経過すると、測定結果通知を送信する（タイミングＴ１２）。
【０２８１】
次に、無線端末装置２０２は、当該条件が満たされた状態でタイミングＴ１２からＴＴＴ経過すると、測定結果通知を送信する（タイミングＴ１３）。
【０２８２】
次に、無線端末装置２０２は、タイミングＴ１３からＴＴＴ経過するまでに当該条件が満たされなくなると、測定結果通知を送信せず、レポートオフ状態へ遷移する（タイミングＴ１４）。
【０２８３】
図１３は、本発明の第１の実施の形態に係る無線通信システムにおいて、無線端末装置が測定結果通知を送信するイベントＡ３を示す図である。図１３において、横軸は時間であり、縦軸は無線端末装置２０２における無線信号の受信電力またはＳＩＮＲであり、ＳＶＣはサービングセルの受信電力またはＳＩＮＲであり、ＮＢＣは周辺セルの受信電力またはＳＩＮＲすなわち周辺基地局が送信する無線信号の受信電力またはＳＩＮＲである。
【０２８４】
図１３を参照して、イベントＡ３では、サービングセルの受信電力またはＳＩＮＲに対してオフセットＯＳＴ１が正方向に設定されており、さらに、正負の方向にヒステリシスＨＳが設定される。また、周辺セルの受信電力またはＳＩＮＲに対してオフセットＯＳＴ２が正方向に設定される。
【０２８５】
無線端末装置２０２は、｛（周辺セルの受信電力またはＳＩＮＲ）＋ＯＳＴ２｝が｛（サービングセルの受信電力またはＳＩＮＲ）＋ＯＳＴ１＋ＨＳ｝よりも大きくなると、レポートオン状態へ遷移する（タイミングＴ２１）。
【０２８６】
そして、無線端末装置２０２は、｛（周辺セルの受信電力またはＳＩＮＲ）＋ＯＳＴ２｝が｛（サービングセルの受信電力またはＳＩＮＲ）＋ＯＳＴ１−ＨＳ｝よりも大きい、という条件が満たされた状態でタイミングＴ２１からＴＴＴ経過すると、測定結果通知を送信する（タイミングＴ２２）。
【０２８７】
次に、無線端末装置２０２は、当該条件が満たされた状態でタイミングＴ２２からＴＴＴ経過すると、測定結果通知を送信する（タイミングＴ２３）。
【０２８８】
次に、無線端末装置２０２は、タイミングＴ２３からＴＴＴ経過するまでに当該条件が満たされなくなると、測定結果通知を送信せず、レポートオフ状態へ遷移する（タイミングＴ２４）。
【０２８９】
図１４は、本発明の第１の実施の形態に係る無線通信システムにおいて、無線端末装置が測定結果通知を送信するイベントＡ４を示す図である。図の見方は図１３と同様である。
【０２９０】
図１４を参照して、イベントＡ４では、周辺セルの受信電力またはＳＩＮＲに対してオフセットＯＳＴが正方向に設定されており、閾値Ｔｈに対して正負の方向にヒステリシスＨＳが設定される。
【０２９１】
無線端末装置２０２は、｛（周辺セルの受信電力またはＳＩＮＲ）＋ＯＳＴ｝が（Ｔｈ＋ＨＳ）よりも大きくなると、レポートオン状態へ遷移する（タイミングＴ３１）。
【０２９２】
そして、無線端末装置２０２は、｛（周辺セルの受信電力またはＳＩＮＲ）＋ＯＳＴ｝が（Ｔｈ−ＨＳ）よりも大きい、という条件が満たされた状態でタイミングＴ３１からＴＴＴ経過すると、測定結果通知を送信する（タイミングＴ３２）。
【０２９３】
次に、無線端末装置２０２は、当該条件が満たされた状態でタイミングＴ３２からＴＴＴ経過すると、測定結果通知を送信する（タイミングＴ３３）。
【０２９４】
次に、無線端末装置２０２は、タイミングＴ３３からＴＴＴ経過するまでに当該条件が満たされなくなると、測定結果通知を送信せず、レポートオフ状態へ遷移する（タイミングＴ３４）。
【０２９５】
図１５は、本発明の第１の実施の形態に係る無線通信システムにおいて、無線端末装置が測定結果通知を送信するイベントＡ５を示す図である。図の見方は図１３と同様である。
【０２９６】
図１５を参照して、イベントＡ５では、周辺セルの受信電力またはＳＩＮＲに対してオフセットＯＳＴが正方向に設定されており、閾値Ｔｈ１に対して正負の方向にヒステリシスＨＳ１が設定されており、閾値Ｔｈ２に対して正負の方向にヒステリシスＨＳ２が設定される。
【０２９７】
無線端末装置２０２は、サービングセルの受信電力またはＳＩＮＲが（Ｔｈ１−ＨＳ１）よりも小さくなり、かつ｛（周辺セルの受信電力またはＳＩＮＲ）＋ＯＳＴ｝が（Ｔｈ２＋ＨＳ２）よりも大きくなると、レポートオン状態へ遷移する（タイミングＴ４１）。
【０２９８】
そして、無線端末装置２０２は、サービングセルの受信電力またはＳＩＮＲが（Ｔｈ１＋ＨＳ１）よりも小さく、かつ｛（周辺セルの受信電力またはＳＩＮＲ）＋ＯＳＴ｝が（Ｔｈ２−ＨＳ２）よりも大きい、という条件が満たされた状態でタイミングＴ４１からＴＴＴ経過すると、測定結果通知を送信する（タイミングＴ４２）。
【０２９９】
次に、無線端末装置２０２は、タイミングＴ４２からＴＴＴ経過するまでに当該条件が満たされなくなると、測定結果通知を送信せず、レポートオフ状態へ遷移する（タイミングＴ４３）。
【０３００】
以上のように、イベントＡ１〜Ａ５で説明したパラメータ、すなわちヒステリシスＨＳ、ＴＴＴおよびオフセットＯＳＴを調整すれば、無線端末装置２０２のハンドオーバ動作のタイミングを制御することが可能である。
【０３０１】
図１６は、本発明の第１の実施の形態に係る無線通信システムにおいて、ヒステリシスＨＳの調整によるハンドオーバ動作のタイミング制御を示す図である。図１６は、イベントＡ３の場合を示す。
【０３０２】
図１６を参照して、ヒステリシスＨＳをゼロに設定した場合には、タイミングＴ５１においてレポ−トオン状態へ遷移し、タイミングＴ５３において測定結果通知が送信され、タイミングＴ５５においてレポートオフ状態へ遷移する。
【０３０３】
これに対して、ヒステリシスＨＳをゼロより大きく設定した場合には、タイミングＴ５１より後のタイミングＴ５２においてレポ−トオン状態へ遷移し、タイミングＴ５３より後のタイミングＴ５４において測定結果通知が送信され、タイミングＴ５５より後のタイミングＴ５６においてレポートオフ状態へ遷移する。
【０３０４】
すなわち、ヒステリシスＨＳを大きくすると、測定結果通知の送信タイミングすなわちハンドオーバ動作のタイミングを遅くすることができる。
【０３０５】
図１７は、本発明の第１の実施の形態に係る無線通信システムにおいて、ＴＴＴの調整によるハンドオーバ動作のタイミング制御を示す図である。図１７は、イベントＡ３の場合を示す。
【０３０６】
図１７を参照して、ＴＴＴを小さく設定した場合には、タイミングＴ６２において測定結果通知が送信される。
【０３０７】
これに対して、ＴＴＴを大きく設定した場合には、タイミングＴ６１より後のタイミングＴ６３において測定結果通知が送信される。
【０３０８】
すなわち、ＴＴＴを大きくすると、測定結果通知の送信タイミングすなわちハンドオーバ動作のタイミングを遅くすることができる。
【０３０９】
図１８は、本発明の第１の実施の形態に係る無線通信システムにおいて、オフセットＯＳＴの調整によるハンドオーバ動作のタイミング制御を示す図である。図１８は、イベントＡ３の場合を示す。
【０３１０】
図１８を参照して、オフセットＯＳＴをゼロに設定した場合には、タイミングＴ７１においてレポ−トオン状態へ遷移し、タイミングＴ７３において測定結果通知が送信され、タイミングＴ７６においてレポートオフ状態へ遷移する。
【０３１１】
これに対して、オフセットＯＳＴをゼロより小さく設定した場合には、タイミングＴ７１より後のタイミングＴ７２においてレポ−トオン状態へ遷移し、タイミングＴ７３より後のタイミングＴ７４において測定結果通知が送信され、タイミングＴ７６より前のタイミングＴ７５においてレポートオフ状態へ遷移する。
【０３１２】
すなわち、オフセットＯＳＴを小さくすると、測定結果通知の送信タイミングすなわちハンドオーバ動作のタイミングを遅くすることができる。また、レポートオフ状態からレポートオン状態への遷移が遅くなり、かつレポートオン状態からレポートオフ状態への遷移が早くなる。
【０３１３】
以上のように、ヒステリシスＨＳを大きくするか、ＴＴＴを大きくするか、あるいはオフセットＯＳＴを小さくすることにより、ハンドオーバ動作のタイミングが遅くなる。すなわち、無線端末装置２０２がサービング基地局に接続される時間が長くなることから、”Ｔｏｏ  Ｅａｒｌｙ  ＨＯ”、”ＨＯ  ｔｏ  Ｗｒｏｎｇ  Ｃｅｌｌ”および”Ｐｉｎｇ  Ｐｏｎｇ  ＨＯ”の発生頻度が減り、”Ｔｏｏ  Ｌａｔｅ  ＨＯ”の発生頻度が増えることになる。
【０３１４】
ここで、ヒステリシスＨＳ、ＴＴＴおよびオフセットＯＳＴを調整する効果の違いについて考察する。
【０３１５】
いずれのパラメータを調整しても、ハンドオーバのタイミングを調整することができるが、これらの効果は、干渉を含む地形、および無線端末装置の移動速度等によって異なる。
【０３１６】
ヒステリシスＨＳおよびオフセットＯＳＴを調整することは、セルを仮想的に大きくしたり小さくしたりして、ハンドオーバの行なわれる位置を調整することに相当する。たとえば、サービングセルのヒステリシスＨＳを大きくすることにより、無線信号の受信電力を大きく見せて、他セルへのハンドオーバが行なわれにくくする。また、周辺セルのオフセットＯＳＴを負の値に設定することにより、周辺セルからの無線信号の受信電力を小さく見せて、他セルへのハンドオーバが行なわれにくくする。
【０３１７】
また、ヒステリシスＨＳおよびオフセットＯＳＴは、無線端末装置の移動速度による影響を受けにくいパラメータである。
【０３１８】
ここで、無線基地局装置から無線端末装置２０２へ送信される測定開始要求（Measurement Configuration）およびＲＲＣコネクション再構成指示（RRC Connection Reconfiguration）には、たとえば、周辺セルごとにオフセットＯＳＴが設定され、イベントＡ１〜Ａ５のうちの少なくとも１つが設定され、設定イベントに対応するヒステリシスＨＳおよびＴＴＴが設定される。
【０３１９】
［無線基地局装置］
図１９は、本発明の第１の実施の形態に係る無線基地局装置の構成を示す図である。
図１９を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０３２０】
サーキュレータ９２は、アンテナ９１において受信された無線端末装置２０２からの無線信号を無線受信部９３へ出力し、また、無線送信部９４から受けた無線信号をアンテナ９１へ出力する。
【０３２１】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０３２２】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０３２３】
送信信号処理部９７は、コアネットワーク側から受信した通信データを所定のフレームフォーマットに変換した通信データまたは自ら生成した通信データに対してＯＦＤＭ（Orthogonal Frequency Division Multiplex）方式におけるＩＦＦＴ（Inverse Fast Fourier Transform）等の信号処理を行ない、この信号処理後のデジタル信号を無線送信部９４へ出力する。
【０３２４】
無線送信部９４は、送信信号処理部９７から受けたデジタル信号をアナログ信号に変換し、変換したアナログ信号を無線信号に周波数変換してサーキュレータ９２へ出力する。
【０３２５】
制御部９８は、無線基地局装置１０１における各ユニットおよびコアネットワークとの間で各種情報をやり取りする。
【０３２６】
図３〜図９では、不適切なハンドオーバ動作およびその検出処理について説明した。これらの検出処理では、無線基地局装置間においてＸ２インタフェース経由で情報をやり取りすることにより、不適切なハンドオーバ動作を検出する。
【０３２７】
しかしながら、無線通信システムにおいて、Ｘ２インタフェースを備える無線基地局装置が設けられるとは限らず、無線基地局装置間で情報をやり取りすることができない場合がある。このような場合でも、不適切なハンドオーバ動作を検出可能な構成が望まれる。
【０３２８】
そこで、本発明の第１の実施の形態に係る無線通信システムでは、以下のような動作により、”Ｔｏｏ  Ｅａｒｌｙ  ＨＯ”および”Ｐｉｎｇ  Ｐｏｎｇ  ＨＯ”を無線基地局装置単体で検出可能とする。
【０３２９】
［Ｔｏｏ  Ｅａｒｌｙ  ＨＯの検出処理］
ここでは、本発明の第１の実施の形態に係る無線基地局装置が”Ｔｏｏ  Ｅａｒｌｙ  ＨＯ”の検出処理を行なう際の動作について詳細に説明する。
【０３３０】
図２０は、本発明の第１の実施の形態に係る無線基地局装置が”Ｔｏｏ  Ｅａｒｌｙ  ＨＯ”の検出処理を行なう際の動作手順の一例を定めたシーケンス図である。
【０３３１】
図２０を参照して、この例では、無線基地局装置は、自己を通信先として選択する無線端末装置２０２にＣ−ＲＮＴＩ等の端末識別情報を付与する。まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ２０１）。
【０３３２】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ２０２）。
【０３３３】
ここで、無線端末装置２０２は、ハンドオーバ元となる無線基地局装置１０１ＡのＥＣＧＩ、および無線基地局装置１０１Ａから付与されたＣ−ＲＮＴＩを保持しておく（ステップＳ２０３）。
【０３３４】
次に、無線基地局装置１０１Ｂは、無線端末装置２０２からＲＲＣコネクション再構成完了通知を受信して、端末情報解放指示を上位装置経由で無線基地局装置１０１Ａへ送信する（ステップＳ２０４，Ｓ２０５）。
【０３３５】
次に、無線基地局装置１０１Ａは、無線基地局装置１０１Ｂから端末情報解放指示を受信するが、Ｃ−ＲＮＴＩ等の無線端末装置２０２に関する情報（UE Context）を解放せずに保持する（ステップＳ２０６）。
【０３３６】
次に、無線基地局装置１０１Ａは、無線端末装置２０２の無線基地局装置１０１Ｂへのハンドオーバ動作からの経過時間を計測するためのタイマをスタートさせる（ステップＳ２０７）。無線基地局装置１０１Ａは、この経過時間を無線端末装置２０２ごとに計測可能である。
【０３３７】
次に、無線端末装置２０２が無線基地局装置１０１Ｂと通信できなくなり、ＲＬＦが発生する（ステップＳ２０９）。
【０３３８】
次に、無線端末装置２０２は、ＲＬＦが発生すると、通信先とすべき無線基地局装置を検索する。より詳細には、無線端末装置２０２は、ＲＬＦの発生したセルに対応する無線基地局装置および周辺セルに対応する無線基地局装置から送信される無線信号の受信電力を測定する。そして、無線端末装置２０２は、測定結果に基づいて、通信先とすべき無線基地局装置を選択する（ステップＳ２１０）。
【０３３９】
次に、無線端末装置２０２は、無線基地局装置１０１Ａを通信先として選択すべきであると判断すると、保持しておいたＥＣＧＩおよびＣ−ＲＮＴＩを送信する（ステップＳ２１１）、すなわち、これらの情報を示すＲＬＦレポートをＲＲＣコネクション再確立要求に含めて無線基地局装置１０１Ａへ送信する（ステップＳ２１２）。
【０３４０】
次に、無線基地局装置１０１Ａは、無線端末装置２０２からＲＲＣコネクション再確立要求を受信して、スタートさせておいたタイマの確認、ならびに当該ＲＲＣコネクション再確立要求に含まれるＲＬＦレポートの示すＥＣＧＩと自己のＥＣＧＩとの比較、およびＲＬＦレポートの示すＣ−ＲＮＴＩと自己が付与したＣ−ＲＮＴＩとの比較を行なう。無線基地局装置１０１Ａは、当該タイマの値が所定の閾値未満であり、かつ両ＥＣＧＩおよび両Ｃ−ＲＮＴＩがそれぞれ一致する場合には、セルＣＡからセルＣＢへの”Ｔｏｏ  Ｅａｒｌｙ  ＨＯ”を検出する。たとえば、無線基地局装置１０１Ａは、無線端末装置２０２による無線基地局装置１０１Ａから無線基地局装置１０１Ｂへのハンドオーバは”Ｔｏｏ  Ｅａｒｌｙ  ＨＯ”であったと判断する（ステップＳ２１３）。
【０３４１】
次に、無線基地局装置１０１Ａは、セルＣＢへの”Ｔｏｏ  Ｅａｒｌｙ  ＨＯ”の発生が抑制されるように、ハンドオーバ動作の最適化処理を実行する（ステップＳ２１４）。なお、無線基地局装置１０１Ａは、解放せずに保持しておいた無線端末装置２０２に関する情報を用いて、当該無線端末装置２０２と通信することが可能である。
【０３４２】
また、無線基地局装置１０１Ａは、当該タイマの値が所定の閾値を超えると、保持した無線端末装置２０２に関する情報を解放する（ステップＳ２０８）。
【０３４３】
また、無線端末装置２０２は、ＥＣＧＩおよびＣ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ２１５）。
【０３４４】
このように、図２０に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０３４５】
無線基地局装置１０１Ａは、自己を通信先として選択していた無線端末装置２０２の無線基地局装置１０１Ｂへのハンドオーバ動作のタイミングからの経過時間を計測する。
【０３４６】
無線端末装置２０２は、無線基地局装置１０１Ｂへのハンドオーバ動作の完了後、ＲＬＦの発生等によって新たに無線基地局装置との通信を再開する場合、たとえば無線基地局装置に対する再接続動作を行なう場合には、保持した基地局識別情報および端末識別情報を再接続先の無線基地局装置、上記の例では無線基地局装置１０１Ａに通知する。
【０３４７】
無線基地局装置１０１Ａは、無線端末装置２０２からの上記通知を受けて、無線端末装置２０２から通知された基地局識別情報が自己の識別情報と一致し、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０３４８】
また、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０３４９】
図２１は、本発明の第１の実施の形態に係る無線基地局装置が”Ｔｏｏ  Ｅａｒｌｙ  ＨＯ”の検出処理を行なう際の動作手順の一例を定めたシーケンス図である。
【０３５０】
図２１を参照して、ステップＳ３４１〜Ｓ３５０の動作は、図２０に示すステップＳ２０１〜Ｓ２１０の動作と同様である。
【０３５１】
次に、無線端末装置２０２は、無線基地局装置１０１Ａを通信先として選択すべきであると判断すると、無線基地局装置１０１ＡのＥＣＧＩを取得する（ステップＳ３５１）。
【０３５２】
次に、無線端末装置２０２は、取得したＥＣＧＩと保持しておいたＥＣＧＩとの比較を行なう。無線端末装置２０２は、両ＥＣＧＩが一致する場合には、保持しておいたＣ−ＲＮＴＩを送信する（ステップＳ３５２）、すなわち、この情報を示すＲＬＦレポートをＲＲＣコネクション再確立要求に含めて無線基地局装置１０１Ａへ送信する（ステップＳ３５３）。
【０３５３】
次に、無線基地局装置１０１Ａは、無線端末装置２０２からＲＲＣコネクション再確立要求を受信して、スタートさせておいたタイマの確認、ならびに当該ＲＲＣコネクション再確立要求に含まれるＲＬＦレポートの示すＣ−ＲＮＴＩと自己が付与したＣ−ＲＮＴＩとの比較を行なう。無線基地局装置１０１Ａは、当該タイマの値が所定の閾値未満であり、かつ両Ｃ−ＲＮＴＩが一致する場合には、セルＣＡからセルＣＢへの”Ｔｏｏ  Ｅａｒｌｙ  ＨＯ”を検出する。たとえば、無線基地局装置１０１Ａは、無線端末装置２０２による無線基地局装置１０１Ａから無線基地局装置１０１Ｂへのハンドオーバは”Ｔｏｏ  Ｅａｒｌｙ  ＨＯ”であったと判断する（ステップＳ３５４）。
【０３５４】
次に、無線基地局装置１０１Ａは、セルＣＢへの”Ｔｏｏ  Ｅａｒｌｙ  ＨＯ”の発生が抑制されるように、ハンドオーバ動作の最適化処理を実行する（ステップＳ３５５）。なお、無線基地局装置１０１Ａは、解放せずに保持しておいた無線端末装置２０２に関する情報を用いて、当該無線端末装置２０２と通信することが可能である。
【０３５５】
また、無線基地局装置１０１Ａは、当該タイマの値が所定の閾値を超えると、保持した無線端末装置２０２に関する情報を解放する（ステップＳ３４８）。
【０３５６】
また、無線端末装置２０２は、Ｃ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３５６）。
【０３５７】
このように、図２１に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０３５８】
無線基地局装置１０１Ａは、自己を通信先として選択していた無線端末装置２０２の無線基地局装置１０１Ｂへのハンドオーバ動作のタイミングからの経過時間を計測する。
【０３５９】
無線端末装置２０２は、無線基地局装置１０１Ｂへのハンドオーバ動作の完了後、ＲＬＦの発生等によって新たに無線基地局装置との通信を再開する場合、たとえば無線基地局装置に対する再接続動作を行なう場合であって、保持した無線基地局装置１０１Ａの基地局識別情報と新たに通信先として選択する無線基地局装置の基地局識別情報とが一致するときには、保持した端末識別情報を再接続先の無線基地局装置、上記の例では無線基地局装置１０１Ａに通知する。
【０３６０】
無線基地局装置１０１Ａは、無線端末装置２０２からの上記通知を受けて、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０３６１】
また、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０３６２】
図２２は、本発明の第１の実施の形態に係る無線基地局装置が”Ｔｏｏ  Ｅａｒｌｙ  ＨＯ”の検出処理を行なう際の動作手順の一例を定めたシーケンス図である。
【０３６３】
図２２を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ１６１）。
【０３６４】
次に、無線端末装置２０２は、自己の無線基地局装置１０１Ｂへのハンドオーバ動作からの経過時間を計測するためのタイマをスタートさせる（ステップＳ１６２）。
【０３６５】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ１６３）。なお、無線端末装置２０２は、ＲＲＣコネクション再構成完了通知の送信後に上記タイマをスタートさせてもよい。
【０３６６】
ここで、無線端末装置２０２は、ハンドオーバ元となる無線基地局装置１０１ＡのＥＣＧＩを保持しておく（ステップＳ１６４）。
【０３６７】
次に、無線基地局装置１０１Ｂは、無線端末装置２０２からＲＲＣコネクション再構成完了通知を受信して、端末情報解放指示を上位装置経由で無線基地局装置１０１Ａへ送信する。無線基地局装置１０１Ａは、無線基地局装置１０１Ｂから端末情報解放指示を受信して、無線端末装置２０２に関する情報（UE Context）を解放する（ステップＳ１６５，Ｓ１６６）。
【０３６８】
次に、無線端末装置２０２が無線基地局装置１０１Ｂと通信できなくなり、ＲＬＦが発生する（ステップＳ１６７）。
【０３６９】
次に、無線端末装置２０２は、ＲＬＦが発生すると、通信先とすべき無線基地局装置を検索する。より詳細には、無線端末装置２０２は、ＲＬＦの発生したセルに対応する無線基地局装置および周辺セルに対応する無線基地局装置から送信される無線信号の受信電力を測定する。そして、無線端末装置２０２は、測定結果に基づいて、通信先とすべき無線基地局装置を選択する（ステップＳ１６８）。
【０３７０】
次に、無線端末装置２０２は、無線基地局装置１０１Ａを通信先として選択すべきであると判断すると、無線基地局装置１０１ＡのＥＣＧＩを取得する（ステップＳ１６９）。
【０３７１】
次に、無線端末装置２０２は、スタートさせておいたタイマの確認、および取得したＥＣＧＩと保持しておいたＥＣＧＩとの比較を行なう。無線端末装置２０２は、当該タイマの値が所定の閾値未満であり、かつ両ＥＣＧＩが一致する場合には、所定情報、具体的には、自己が無線基地局装置１０１Ａを少し前まで通信先として選択していた旨を示す情報を送信する（ステップＳ１７０）。すなわち、無線端末装置２０２は、所定情報を示すＲＬＦレポートをＲＲＣコネクション再確立要求に含めて無線基地局装置１０１Ａへ送信する（ステップＳ１７１）。この所定情報には、たとえばタイマの値が含まれる。
【０３７２】
次に、無線基地局装置１０１Ａは、無線端末装置２０２からＲＲＣコネクション再確立要求を受信して、当該ＲＲＣコネクション再確立要求に所定情報が含まれていることから、セルＣＡからセルＣＢへの”Ｔｏｏ  Ｅａｒｌｙ  ＨＯ”を検出する。たとえば、無線基地局装置１０１Ａは、無線端末装置２０２による無線基地局装置１０１Ａから無線基地局装置１０１Ｂへのハンドオーバは”Ｔｏｏ  Ｅａｒｌｙ  ＨＯ”であったと判断する（ステップＳ１７２）。
【０３７３】
次に、無線基地局装置１０１Ａは、セルＣＢへの”Ｔｏｏ  Ｅａｒｌｙ  ＨＯ”の発生が抑制されるように、ハンドオーバ動作の最適化処理を実行する（ステップＳ１７３）。
【０３７４】
また、無線端末装置２０２は、所定情報を無線基地局装置に通知した場合、または上記経過時間が上記所定値以上になると、保持したＥＣＧＩを消去する（ステップＳ１７４）。
【０３７５】
このように、図２２に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０３７６】
そして、無線端末装置２０２は、無線基地局装置１０１Ｂへのハンドオーバ動作の完了後、ＲＬＦ等の発生によって新たに無線基地局装置との通信を再開する際、たとえば無線基地局装置に対する再接続動作を行なう際、保持した無線基地局装置１０１Ａの基地局識別情報と新たに通信先として選択する無線基地局装置の基地局識別情報とが一致し、かつ上記経過時間が所定値未満である場合には、所定情報を再接続先の無線基地局装置、上記の例では無線基地局装置１０１Ａに通知する。
【０３７７】
無線基地局装置１０１Ａは、無線端末装置２０２からの上記所定情報を含む通知を受けて、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０３７８】
図２３は、本発明の第１の実施の形態に係る無線基地局装置が”Ｔｏｏ  Ｅａｒｌｙ  ＨＯ”の検出処理を行なう際の動作手順の一例を定めたシーケンス図である。
【０３７９】
図２３を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ１８１）。
【０３８０】
次に、無線端末装置２０２は、自己の無線基地局装置１０１Ｂへのハンドオーバ動作からの経過時間を計測するためのタイマをスタートさせる（ステップＳ１８２）。
【０３８１】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ１８３）。なお、無線端末装置２０２は、ＲＲＣコネクション再構成完了通知の送信後に上記タイマをスタートさせてもよい。
【０３８２】
ここで、無線端末装置２０２は、ハンドオーバ元となる無線基地局装置１０１ＡのＥＣＧＩを保持しておく（ステップＳ１８４）。
【０３８３】
次に、無線基地局装置１０１Ｂは、無線端末装置２０２からＲＲＣコネクション再構成完了通知を受信して、端末情報解放指示を上位装置経由で無線基地局装置１０１Ａへ送信する。無線基地局装置１０１Ａは、無線基地局装置１０１Ｂから端末情報解放指示を受信して、無線端末装置２０２に関する情報（UE Context）を解放する（ステップＳ１８５，Ｓ１８６）。
【０３８４】
次に、無線端末装置２０２が無線基地局装置１０１Ｂと通信できなくなり、ＲＬＦが発生する（ステップＳ１８７）。
【０３８５】
次に、無線端末装置２０２は、ＲＬＦが発生すると、通信先とすべき無線基地局装置を検索する。より詳細には、無線端末装置２０２は、ＲＬＦの発生したセルに対応する無線基地局装置および周辺セルに対応する無線基地局装置から送信される無線信号の受信電力を測定する。そして、無線端末装置２０２は、測定結果に基づいて、通信先とすべき無線基地局装置を選択する（ステップＳ１８８）。
【０３８６】
次に、無線端末装置２０２は、無線基地局装置１０１Ａを通信先として選択すべきであると判断すると、スタートさせておいたタイマを確認し、当該タイマの値が所定の閾値未満である場合には、保持しておいたＥＣＧＩを送信する（ステップＳ１８９）。すなわち、無線端末装置２０２は、無線基地局装置１０１ＡのＥＣＧＩを示すＲＬＦレポートをＲＲＣコネクション再確立要求に含めて無線基地局装置１０１Ａへ送信する（ステップＳ１９０）。このＲＬＦレポートには、たとえばタイマの値が含まれる。
【０３８７】
次に、無線基地局装置１０１Ａは、無線端末装置２０２からＲＲＣコネクション再確立要求を受信して、当該ＲＲＣコネクション再確立要求に含まれるＲＬＦレポートの示すＥＣＧＩと自己のＥＣＧＩとを比較し、両者が一致することから、セルＣＡからセルＣＢへの”Ｔｏｏ  Ｅａｒｌｙ  ＨＯ”を検出する。たとえば、無線基地局装置１０１Ａは、無線端末装置２０２による無線基地局装置１０１Ａから無線基地局装置１０１Ｂへのハンドオーバは”Ｔｏｏ  Ｅａｒｌｙ  ＨＯ”であったと判断する（ステップＳ１９１）。
【０３８８】
次に、無線基地局装置１０１Ａは、セルＣＢへの”Ｔｏｏ  Ｅａｒｌｙ  ＨＯ”の発生が抑制されるように、ハンドオーバ動作の最適化処理を実行する（ステップＳ１９２）。
【０３８９】
また、無線端末装置２０２は、ＥＣＧＩを無線基地局装置に通知した場合、または上記経過時間が上記所定値以上になると、保持したＥＣＧＩを消去する（ステップＳ１９３）。
【０３９０】
このように、図２３に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０３９１】
そして、無線端末装置２０２は、無線基地局装置１０１Ｂへのハンドオーバ動作の完了後、ＲＬＦ等の発生によって新たに無線基地局装置との通信を再開する際、たとえば無線基地局装置に対する再接続動作を行なう際、上記経過時間が所定値未満である場合には、保持した基地局識別情報を再接続先の無線基地局装置、上記の例では無線基地局装置１０１Ａに通知する。
【０３９２】
無線基地局装置１０１Ａは、無線端末装置２０２からの上記通知を受けて、無線端末装置２０２から通知された基地局識別情報が自己の識別情報と一致する場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０３９３】
図２４は、本発明の第１の実施の形態に係る無線基地局装置が”Ｔｏｏ  Ｅａｒｌｙ  ＨＯ”の検出処理を行なう際の動作手順の一例を定めたシーケンス図である。
【０３９４】
図２４を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ２２１）。
【０３９５】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ２２２）。
【０３９６】
次に、無線基地局装置１０１Ｂは、無線端末装置２０２からＲＲＣコネクション再構成完了通知を受信して、端末情報解放指示を上位装置経由で無線基地局装置１０１Ａへ送信する（ステップＳ２２３，Ｓ２２４）。
【０３９７】
次に、無線基地局装置１０１Ａは、無線基地局装置１０１Ｂから端末情報解放指示を受信するが、たとえば無線端末装置２０２との通信を開始する際に無線端末装置２０２から取得した無線端末装置２０２の固有ＩＤは保持しておく。あるいは、無線基地局装置１０１Ａは、無線端末装置２０２の固有ＩＤを上位装置から取得して保持しておく（ステップＳ２２５）。無線基地局装置１０１Ａは、この固有ＩＤにより、無線端末装置２０２を一意に特定可能である。
【０３９８】
次に、無線基地局装置１０１Ａは、無線端末装置２０２の無線基地局装置１０１Ｂへのハンドオーバ動作からの経過時間を計測するためのタイマをスタートさせる（ステップＳ２２６）。無線基地局装置１０１Ａは、この経過時間を無線端末装置２０２ごとに計測可能である。
【０３９９】
次に、無線端末装置２０２が無線基地局装置１０１Ｂと通信できなくなり、ＲＬＦが発生する（ステップＳ２２８）。
【０４００】
次に、無線端末装置２０２は、ＲＬＦが発生すると、通信先とすべき無線基地局装置を検索する。より詳細には、無線端末装置２０２は、ＲＬＦの発生したセルに対応する無線基地局装置および周辺セルに対応する無線基地局装置から送信される無線信号の受信電力を測定する。そして、無線端末装置２０２は、測定結果に基づいて、通信先とすべき無線基地局装置を選択する（ステップＳ２２９）。
【０４０１】
次に、無線端末装置２０２は、無線基地局装置１０１Ａを通信先として選択すべきであると判断すると、自己の固有ＩＤを送信する（ステップＳ２３０）、すなわち、固有ＩＤを示すＲＬＦレポートをＲＲＣコネクション再確立要求に含めて無線基地局装置１０１Ａへ送信する（ステップＳ２３１）。
【０４０２】
次に、無線基地局装置１０１Ａは、無線端末装置２０２からＲＲＣコネクション再確立要求を受信して、スタートさせておいたタイマの確認、および当該ＲＲＣコネクション再確立要求に含まれるＲＬＦレポートの示す固有ＩＤと保持した固有ＩＤとの比較を行なう。無線基地局装置１０１Ａは、当該タイマの値が所定の閾値未満であり、かつ両固有ＩＤが一致する場合には、セルＣＡからセルＣＢへの”Ｔｏｏ  Ｅａｒｌｙ  ＨＯ”を検出する。たとえば、無線基地局装置１０１Ａは、無線端末装置２０２による無線基地局装置１０１Ａから無線基地局装置１０１Ｂへのハンドオーバは”Ｔｏｏ  Ｅａｒｌｙ  ＨＯ”であったと判断する（ステップＳ２３２）。
【０４０３】
次に、無線基地局装置１０１Ａは、セルＣＢへの”Ｔｏｏ  Ｅａｒｌｙ  ＨＯ”の発生が抑制されるように、ハンドオーバ動作の最適化処理を実行する（ステップＳ２３３）。
【０４０４】
また、無線基地局装置１０１Ａは、当該タイマの値が所定の閾値を超えると、保持した固有ＩＤを解放する（ステップＳ２２７）。
【０４０５】
このように、図２４に示す例では、無線基地局装置１０１Ａは、自己を通信先として選択する無線端末装置２０２の端末識別情報すなわち固有ＩＤを自己以外の装置たとえば無線端末装置２０２または上位装置から取得する。また、無線基地局装置１０１Ａは、自己を通信先として選択していた無線端末装置２０２の無線基地局装置１０１Ｂへのハンドオーバ動作のタイミングからの経過時間を計測する。
【０４０６】
無線端末装置２０２は、無線基地局装置１０１Ａから無線基地局装置１０１Ｂへのハンドオーバ動作の完了後、ＲＬＦの発生等によって新たに無線基地局装置との通信を再開する場合、たとえば無線基地局装置に対する再接続動作を行なう場合には、自己の端末識別情報を再接続先の無線基地局装置、上記の例では無線基地局装置１０１Ａに通知する。
【０４０７】
無線基地局装置１０１Ａは、無線端末装置２０２からの上記通知を受けて、無線端末装置２０２から通知された端末識別情報が、取得した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４０８】
また、無線基地局装置１０１Ａは、自己を通信先として選択する無線端末装置２０２の無線基地局装置１０１Ｂへのハンドオーバ動作が完了しても、無線端末装置２０２の端末識別情報を保持し、上記経過時間が上記所定値以上になると端末識別情報を消去する。
【０４０９】
図２５は、本発明の第１の実施の形態に係る無線通信システムにおいて、無線端末装置が送信するＲＬＦレポートの一例を示す図である。
【０４１０】
図２５を参照して、このＲＬＦレポートは、無線端末装置２０２がサービング基地局の形成するサービングセル、および各周辺セルに対して最後に行なった電力測定処理の結果を含む。この電力測定処理の結果は、たとえばサービング基地局からの無線信号の受信電力またはＳＩＮＲ（Signal to Interference-plus-Noise Ratio）である。
【０４１１】
また、ＲＬＦレポートは、ＲＬＦの発生した際に通信先として選択していた無線基地局装置のＥＧＣＩ、キャリア周波数、ＰＣＩ、および当該無線基地局装置の形成するセルにおける無線端末装置２０２の滞在時間を含む。この滞在時間は、前述の無線端末装置２０２におけるタイマの値である。
【０４１２】
また、ＲＬＦレポートは、無線端末装置２０２の最後のハンドオーバ元となった無線基地局装置のＥＧＣＩ、当該無線基地局装置から付与されたＣ−ＲＮＴＩ、および当該無線基地局装置の形成するセルにおける無線端末装置２０２の滞在時間を含む。
【０４１３】
また、ＲＬＦレポートは、無線端末装置２０２の固有ＩＤを含む。なお、図２０〜図２４に示す各シーケンスにおいて、ＲＬＦレポートは、未使用の情報を含まなくてもよい。
【０４１４】
Ｃ−ＲＮＴＩまたは固有ＩＤを無線基地局装置に通知する構成により、無線基地局装置は、Ｃ−ＲＮＴＩまたは固有ＩＤの通知元の無線端末装置を特定することができるため、たとえばＣＱＩ（Channel Quality Indication）等の過去の通信履歴を用いて、より的確なハンドオーバ制御を行ない、ハンドオーバ動作のさらなる最適化を図ることができる。
【０４１５】
［Ｐｉｎｇ  Ｐｏｎｇ  ＨＯの検出処理］
次に、本発明の第１の実施の形態に係る無線基地局装置が”Ｐｉｎｇ  Ｐｏｎｇ  ＨＯ”の検出処理を行なう際の動作について詳細に説明する。
【０４１６】
図２６は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４１７】
図２６を参照して、この例では、無線基地局装置は、自己を通信先として選択する無線端末装置２０２にＣ−ＲＮＴＩ等の端末識別情報を付与する。まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ３０１）。
【０４１８】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ３０２）。
【０４１９】
ここで、無線端末装置２０２は、ハンドオーバ元となる無線基地局装置１０１ＡのＥＣＧＩ、および無線基地局装置１０１Ａから付与されたＣ−ＲＮＴＩを保持しておく（ステップＳ３０３）。
【０４２０】
次に、無線基地局装置１０１Ｂは、無線端末装置２０２からＲＲＣコネクション再構成完了通知を受信して、端末情報解放指示を上位装置経由で無線基地局装置１０１Ａへ送信する（ステップＳ３０４，Ｓ３０５）。
【０４２１】
次に、無線基地局装置１０１Ａは、無線基地局装置１０１Ｂから端末情報解放指示を受信するが、Ｃ−ＲＮＴＩ等の無線端末装置２０２に関する情報（UE Context）を解放せずに保持する（ステップＳ３０６）。
【０４２２】
次に、無線基地局装置１０１Ａは、無線端末装置２０２の無線基地局装置１０１Ｂへのハンドオーバ動作からの経過時間を計測するためのタイマをスタートさせる（ステップＳ３０７）。無線基地局装置１０１Ａは、この経過時間を無線端末装置２０２ごとに計測可能である。
【０４２３】
次に、無線基地局装置１０１Ｂは、無線基地局装置１０１Ａをハンドオーバ先として決定し、無線基地局装置１０１Ａへのハンドオーバ指示を含むＲＲＣコネクション再構成指示を無線端末装置２０２へ送信する（ステップＳ３０８）。
【０４２４】
次に、無線端末装置２０２は、無線基地局装置１０１ＢからＲＲＣコネクション再構成指示を受信して、保持しておいたＥＣＧＩおよびＣ−ＲＮＴＩをハンドオーバ先の無線基地局装置へ送信する（ステップＳ３１０）、すなわち、これらの情報を示すＰｉｎｇＰｏｎｇレポートをＲＲＣコネクション再構成完了通知に含めて無線基地局装置１０１Ａへ送信する（ステップＳ３１１）。
【０４２５】
次に、無線基地局装置１０１Ａは、無線端末装置２０２からＲＲＣコネクション再構成完了通知を受信して、スタートさせておいたタイマの確認、ならびに当該ＲＲＣコネクション再構成完了通知に含まれるＰｉｎｇＰｏｎｇレポートの示すＥＣＧＩと自己のＥＣＧＩとの比較、およびＰｉｎｇＰｏｎｇレポートの示すＣ−ＲＮＴＩと自己が付与したＣ−ＲＮＴＩとの比較を行なう。無線基地局装置１０１Ａは、当該タイマの値が所定の閾値未満であり、かつ両ＥＣＧＩおよび両Ｃ−ＲＮＴＩがそれぞれ一致する場合には、セルＣＡおよびセルＣＢ間の”Ｐｉｎｇ  Ｐｏｎｇ  ＨＯ”を検出する。たとえば、無線基地局装置１０１Ａは、無線端末装置２０２による無線基地局装置１０１Ａから無線基地局装置１０１Ｂへのハンドオーバは”Ｐｉｎｇ  Ｐｏｎｇ  ＨＯ”であったと判断する（ステップＳ３１２）。
【０４２６】
次に、無線基地局装置１０１Ａは、セルＣＡおよびセルＣＢ間の”Ｐｉｎｇ  Ｐｏｎｇ  ＨＯ”の発生が抑制されるように、ハンドオーバ動作の最適化処理を実行する（ステップＳ３１３）。なお、無線基地局装置１０１Ａは、解放せずに保持しておいた無線端末装置２０２に関する情報を用いて、当該無線端末装置２０２と通信することが可能である。
【０４２７】
また、無線基地局装置１０１Ａは、当該タイマの値が所定の閾値を超えると、保持した無線端末装置２０２に関する情報を解放する（ステップＳ３０９）。
【０４２８】
また、無線端末装置２０２は、ＥＣＧＩおよびＣ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３１４）。
【０４２９】
このように、図２６に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０４３０】
無線基地局装置１０１Ａは、自己を通信先として選択していた無線端末装置２０２の無線基地局装置１０１Ｂへのハンドオーバ動作のタイミングからの経過時間を計測する。
【０４３１】
無線端末装置２０２は、無線基地局装置１０１Ｂへのハンドオーバ動作の完了後、新たに無線基地局装置へのハンドオーバ動作を行なう場合には、保持した基地局識別情報および端末識別情報をハンドオーバ先の無線基地局装置、上記の例では無線基地局装置１０１Ａに通知する。
【０４３２】
無線基地局装置１０１Ａは、無線端末装置２０２からの上記通知を受けて、無線端末装置２０２から通知された基地局識別情報が自己の識別情報と一致し、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４３３】
また、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０４３４】
図２７は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４３５】
図２７を参照して、ステップＳ３６１〜Ｓ３６９の動作は、図２６に示すステップＳ３０１〜Ｓ３０９の動作と同様である。
【０４３６】
次に、無線端末装置２０２は、無線基地局装置１０１ＢからＲＲＣコネクション再構成指示を受信して、ハンドオーバ先となる無線基地局装置１０１ＡのＥＣＧＩを取得する（ステップＳ３７０）。
【０４３７】
次に、無線端末装置２０２は、取得したＥＣＧＩと保持しておいたＥＣＧＩとの比較を行なう。無線端末装置２０２は、両ＥＣＧＩが一致する場合には、保持しておいたＣ−ＲＮＴＩをハンドオーバ先の無線基地局装置へ送信する（ステップＳ３７１）、すなわち、これらの情報を示すＰｉｎｇＰｏｎｇレポートをＲＲＣコネクション再構成完了通知に含めて無線基地局装置１０１Ａへ送信する（ステップＳ３７２）。
【０４３８】
次に、無線基地局装置１０１Ａは、無線端末装置２０２からＲＲＣコネクション再構成完了通知を受信して、スタートさせておいたタイマの確認、ならびに当該ＲＲＣコネクション再構成完了通知に含まれるＰｉｎｇＰｏｎｇレポートの示すＣ−ＲＮＴＩと自己が付与したＣ−ＲＮＴＩとの比較を行なう。無線基地局装置１０１Ａは、当該タイマの値が所定の閾値未満であり、かつ両Ｃ−ＲＮＴＩが一致する場合には、セルＣＡおよびセルＣＢ間の”Ｐｉｎｇ  Ｐｏｎｇ  ＨＯ”を検出する。たとえば、無線基地局装置１０１Ａは、無線端末装置２０２による無線基地局装置１０１Ａから無線基地局装置１０１Ｂへのハンドオーバは”Ｐｉｎｇ  Ｐｏｎｇ  ＨＯ”であったと判断する（ステップＳ３７３）。
【０４３９】
次に、無線基地局装置１０１Ａは、セルＣＡおよびセルＣＢ間の”Ｐｉｎｇ  Ｐｏｎｇ  ＨＯ”の発生が抑制されるように、ハンドオーバ動作の最適化処理を実行する（ステップＳ３７４）。なお、無線基地局装置１０１Ａは、解放せずに保持しておいた無線端末装置２０２に関する情報を用いて、当該無線端末装置２０２と通信することが可能である。
【０４４０】
また、無線基地局装置１０１Ａは、当該タイマの値が所定の閾値を超えると、保持した無線端末装置２０２に関する情報を解放する（ステップＳ３６９）。
【０４４１】
また、無線端末装置２０２は、Ｃ−ＲＮＴＩを無線基地局装置に通知した場合、または自己の無線基地局装置１０１Ｂへのハンドオーバ動作のタイミングから所定時間経過後、保持したＥＣＧＩおよびＣ−ＲＮＴＩを消去する（ステップＳ３７５）。
【０４４２】
このように、図２７に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０４４３】
無線基地局装置１０１Ａは、自己を通信先として選択していた無線端末装置２０２の無線基地局装置１０１Ｂへのハンドオーバ動作のタイミングからの経過時間を計測する。
【０４４４】
無線端末装置２０２は、無線基地局装置１０１Ｂへのハンドオーバ動作の完了後、新たに無線基地局装置へのハンドオーバ動作を行なう場合であって、保持した無線基地局装置１０１Ａの基地局識別情報と新たに通信先として選択する無線基地局装置の基地局識別情報とが一致するときには、保持した端末識別情報をハンドオーバ先の無線基地局装置、上記の例では無線基地局装置１０１Ａに通知する。
【０４４５】
無線基地局装置１０１Ａは、無線端末装置２０２からの上記通知を受けて、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４４６】
また、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０４４７】
図２８は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４４８】
図２８を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ２４１）。
【０４４９】
次に、無線端末装置２０２は、自己の無線基地局装置１０１Ｂへのハンドオーバ動作からの経過時間を計測するためのタイマをスタートさせる（ステップＳ２４２）。
【０４５０】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ２４３）。
【０４５１】
ここで、無線端末装置２０２は、ハンドオーバ元となる無線基地局装置１０１ＡのＥＣＧＩを保持しておく（ステップＳ２４４）。
【０４５２】
次に、無線基地局装置１０１Ｂは、無線端末装置２０２からＲＲＣコネクション再構成完了通知を受信して、端末情報解放指示を上位装置経由で無線基地局装置１０１Ａへ送信する。無線基地局装置１０１Ａは、無線基地局装置１０１Ｂから端末情報解放指示を受信して、無線端末装置２０２に関する情報（UE Context）を解放する（ステップＳ２４５，Ｓ２４６）。
【０４５３】
次に、無線基地局装置１０１Ｂは、無線基地局装置１０１Ａをハンドオーバ先として決定し、無線基地局装置１０１Ａへのハンドオーバ指示を含むＲＲＣコネクション再構成指示を無線端末装置２０２へ送信する（ステップＳ２４７）。
【０４５４】
次に、無線端末装置２０２は、無線基地局装置１０１ＢからＲＲＣコネクション再構成指示を受信して、ハンドオーバ先となる無線基地局装置１０１ＡのＥＣＧＩを取得する（ステップＳ２４８）。
【０４５５】
次に、無線端末装置２０２は、スタートさせておいたタイマの確認、および取得したＥＣＧＩと保持しておいたＥＣＧＩとの比較を行なう。無線端末装置２０２は、当該タイマの値が所定の閾値未満であり、かつ両ＥＣＧＩが一致する場合には、所定情報、具体的には、自己が無線基地局装置１０１Ａを少し前まで通信先として選択していた旨を示す情報を送信する（ステップＳ２４９）。すなわち、無線端末装置２０２は、所定情報を示すＰｉｎｇＰｏｎｇレポートをＲＲＣコネクション再構成完了通知に含めて無線基地局装置１０１Ａへ送信する（ステップＳ２５０）。
【０４５６】
次に、無線基地局装置１０１Ａは、無線端末装置２０２からＲＲＣコネクション再構成完了通知を受信して、当該ＲＲＣコネクション再構成完了通知に所定情報が含まれていることから、セルＣＡおよびセルＣＢ間の”Ｐｉｎｇ  Ｐｏｎｇ  ＨＯ”を検出する。たとえば、無線基地局装置１０１Ａは、無線端末装置２０２による無線基地局装置１０１Ａから無線基地局装置１０１Ｂへのハンドオーバは”Ｐｉｎｇ  Ｐｏｎｇ  ＨＯ”であったと判断する（ステップＳ２５１）。
【０４５７】
次に、無線基地局装置１０１Ａは、セルＣＡおよびセルＣＢ間の”Ｐｉｎｇ  Ｐｏｎｇ  ＨＯ”の発生が抑制されるように、ハンドオーバ動作の最適化処理を実行する（ステップＳ２５２）。
【０４５８】
また、無線端末装置２０２は、所定情報を無線基地局装置に通知した場合、または上記経過時間が上記所定値以上になると、保持したＥＣＧＩを消去する（ステップＳ２５３）。
【０４５９】
このように、図２８に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０４６０】
そして、無線端末装置２０２は、無線基地局装置１０１Ｂへのハンドオーバ動作の完了後、新たに無線基地局装置へのハンドオーバ動作を開始する際、保持した無線基地局装置１０１Ａの基地局識別情報と新たに通信先として選択する無線基地局装置の基地局識別情報とが一致し、かつ上記経過時間が所定値未満である場合には、所定情報をハンドオーバ先の無線基地局装置に通知する。
【０４６１】
無線基地局装置１０１Ａは、無線端末装置２０２からの上記所定情報を含む通知を受けて、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４６２】
図２９は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４６３】
図２９を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ２６１）。
【０４６４】
次に、無線端末装置２０２は、自己の無線基地局装置１０１Ｂへのハンドオーバ動作からの経過時間を計測するためのタイマをスタートさせる（ステップＳ２６２）。
【０４６５】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ２６３）。
【０４６６】
ここで、無線端末装置２０２は、ハンドオーバ元となる無線基地局装置１０１ＡのＥＣＧＩを保持しておく（ステップＳ２６４）。
【０４６７】
次に、無線基地局装置１０１Ｂは、無線端末装置２０２からＲＲＣコネクション再構成完了通知を受信して、端末情報解放指示を上位装置経由で無線基地局装置１０１Ａへ送信する。無線基地局装置１０１Ａは、無線基地局装置１０１Ｂから端末情報解放指示を受信して、無線端末装置２０２に関する情報（UE Context）を解放する（ステップＳ２６５，Ｓ２６６）。
【０４６８】
次に、無線基地局装置１０１Ｂは、無線基地局装置１０１Ａをハンドオーバ先として決定し、無線基地局装置１０１Ａへのハンドオーバ指示を含むＲＲＣコネクション再構成指示を無線端末装置２０２へ送信する（ステップＳ２６７）。
【０４６９】
次に、無線端末装置２０２は、無線基地局装置１０１ＢからＲＲＣコネクション再構成指示を受信して、スタートさせておいたタイマを確認し、当該タイマの値が所定の閾値未満である場合には、保持しておいたＥＣＧＩをハンドオーバ先の無線基地局装置へ送信する（ステップＳ２６８）。すなわち、無線端末装置２０２は、無線基地局装置１０１ＡのＥＣＧＩを示すＰｉｎｇＰｏｎｇレポートをＲＲＣコネクション再構成完了通知に含めて無線基地局装置１０１Ａへ送信する（ステップＳ２６９）。
【０４７０】
次に、無線基地局装置１０１Ａは、無線端末装置２０２からＲＲＣコネクション再構成完了通知を受信して、当該ＲＲＣコネクション再構成完了通知に含まれるＰｉｎｇＰｏｎｇレポートの示すＥＣＧＩと自己のＥＣＧＩとを比較し、両者が一致することから、セルＣＡおよびセルＣＢ間の”Ｐｉｎｇ  Ｐｏｎｇ  ＨＯ”を検出する。たとえば、無線基地局装置１０１Ａは、無線端末装置２０２による無線基地局装置１０１Ａから無線基地局装置１０１Ｂへのハンドオーバは”Ｐｉｎｇ  Ｐｏｎｇ  ＨＯ”であったと判断する（ステップＳ２７０）。
【０４７１】
次に、無線基地局装置１０１Ａは、セルＣＡおよびセルＣＢ間の”Ｐｉｎｇ  Ｐｏｎｇ  ＨＯ”の発生が抑制されるように、ハンドオーバ動作の最適化処理を実行する（ステップＳ２７１）。
【０４７２】
また、無線端末装置２０２は、ＥＣＧＩを無線基地局装置に通知した場合、または上記経過時間が上記所定値以上になると、保持したＥＣＧＩを消去する（ステップＳ２７２）。
【０４７３】
このように、図２９に示す例では、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０４７４】
そして、無線端末装置２０２は、無線基地局装置１０１Ｂへのハンドオーバ動作の完了後、新たに無線基地局装置へのハンドオーバ動作を開始する際、上記経過時間が所定値未満である場合には、保持した基地局識別情報をハンドオーバ先の無線基地局装置に通知する。
【０４７５】
無線基地局装置１０１Ａは、無線端末装置２０２からの上記通知を受けて、無線端末装置２０２から通知された基地局識別情報が自己の識別情報と一致する場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４７６】
図３０は、本発明の第１の実施の形態に係る無線基地局装置が”Ｐｉｎｇ  Ｐｏｎｇ  ＨＯ”の検出処理を行なう際の動作手順の一例を定めたシーケンス図である。
【０４７７】
図３０を参照して、まず、図２に示すハンドオーバ動作と同様に、無線基地局装置１０１Ａが無線基地局装置１０１Ｂをハンドオーバ先として決定した後、無線基地局装置１０１Ａは、無線基地局装置１０１Ｂへのハンドオーバ指示を含むＲＲＣコネクション再構成指示を無線端末装置２０２へ送信する（ステップＳ３２１）。
【０４７８】
次に、無線端末装置２０２および無線基地局装置１０１Ｂ間でＲＲＣコネクションが確立されると、無線端末装置２０２は、ハンドオーバ完了通知を含むＲＲＣコネクション再構成完了通知を無線基地局装置１０１Ｂへ送信する（ステップＳ３２２）。
【０４７９】
次に、無線基地局装置１０１Ｂは、無線端末装置２０２からＲＲＣコネクション再構成完了通知を受信して、端末情報解放指示を上位装置経由で無線基地局装置１０１Ａへ送信する（ステップＳ３２３，Ｓ３２４）。
【０４８０】
次に、無線基地局装置１０１Ａは、無線基地局装置１０１Ｂから端末情報解放指示を受信するが、たとえば無線端末装置２０２との通信を開始する際に無線端末装置２０２から取得した無線端末装置２０２の固有ＩＤは保持しておく。あるいは、無線基地局装置１０１Ａは、無線端末装置２０２の固有ＩＤを上位装置から取得して保持しておく（ステップＳ３２５）。無線基地局装置１０１Ａは、この固有ＩＤにより、無線端末装置２０２を一意に特定可能である。
【０４８１】
次に、無線基地局装置１０１Ａは、無線端末装置２０２の無線基地局装置１０１Ｂへのハンドオーバ動作からの経過時間を計測するためのタイマをスタートさせる（ステップＳ３２６）。無線基地局装置１０１Ａは、この経過時間を無線端末装置２０２ごとに計測可能である。
【０４８２】
次に、無線基地局装置１０１Ｂは、無線基地局装置１０１Ａをハンドオーバ先として決定し、無線基地局装置１０１Ａへのハンドオーバ指示を含むＲＲＣコネクション再構成指示を無線端末装置２０２へ送信する（ステップＳ３２８）。
【０４８３】
次に、無線端末装置２０２は、無線基地局装置１０１ＢからＲＲＣコネクション再構成指示を受信して、自己の固有ＩＤをハンドオーバ先の無線基地局装置へ送信する（ステップＳ３２９）、すなわち、固有ＩＤを示すＰｉｎｇＰｏｎｇレポートをＲＲＣコネクション再構成完了通知に含めて無線基地局装置１０１Ａへ送信する（ステップＳ３３０）。
【０４８４】
次に、無線基地局装置１０１Ａは、無線端末装置２０２からＲＲＣコネクション再構成完了通知を受信して、スタートさせておいたタイマの確認、および当該ＲＲＣコネクション再確立要求に含まれるＰｉｎｇＰｏｎｇレポートの示す固有ＩＤと保持した固有ＩＤとの比較を行なう。無線基地局装置１０１Ａは、当該タイマの値が所定の閾値未満であり、かつ両固有ＩＤが一致する場合には、セルＣＡおよびセルＣＢ間の”Ｐｉｎｇ  Ｐｏｎｇ  ＨＯ”を検出する。たとえば、無線基地局装置１０１Ａは、無線端末装置２０２による無線基地局装置１０１Ａから無線基地局装置１０１Ｂへのハンドオーバは”Ｐｉｎｇ  Ｐｏｎｇ  ＨＯ”であったと判断する（ステップＳ３３１）。
【０４８５】
次に、無線基地局装置１０１Ａは、セルＣＡおよびセルＣＢ間の”Ｐｉｎｇ  Ｐｏｎｇ  ＨＯ”の発生が抑制されるように、ハンドオーバ動作の最適化処理を実行する（ステップＳ３３２）。
【０４８６】
また、無線基地局装置１０１Ａは、当該タイマの値が所定の閾値を超えると、保持した固有ＩＤを解放する（ステップＳ３２７）。
【０４８７】
このように、図３０に示す例では、無線基地局装置１０１Ａは、自己を通信先として選択する無線端末装置２０２の端末識別情報すなわち固有ＩＤを自己以外の装置たとえば無線端末装置２０２または上位装置から取得する。また、無線基地局装置１０１Ａは、自己を通信先として選択していた無線端末装置２０２の無線基地局装置１０１Ｂへのハンドオーバ動作のタイミングからの経過時間を計測する。
【０４８８】
無線端末装置２０２は、無線基地局装置１０１Ａから無線基地局装置１０１Ｂへのハンドオーバ動作の完了後、新たに無線基地局装置へのハンドオーバ動作を行なう場合には、自己の端末識別情報をハンドオーバ先の無線基地局装置、上記の例では無線基地局装置１０１Ａに通知する。
【０４８９】
無線基地局装置１０１Ａは、無線端末装置２０２からの上記通知を受けて、無線端末装置２０２から通知された端末識別情報が、取得した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断する。そして、無線基地局装置１０１Ａは、無線端末装置２０２による無線基地局装置１０１Ａから無線基地局装置１０１Ｂへのハンドオーバ動作のタイミングを調整する、具体的には、たとえば、ヒステリシスＨＳ、ＴＴＴおよびオフセットＯＳＴ等のパラメータを調整する。
【０４９０】
また、無線基地局装置１０１Ａは、自己を通信先として選択する無線端末装置２０２の無線基地局装置１０１Ｂへのハンドオーバ動作が完了しても、無線端末装置２０２の端末識別情報を保持し、上記経過時間が上記所定値以上になると端末識別情報を消去する。
【０４９１】
なお、本発明の第１の実施の形態に係る無線通信システムでは、無線基地局装置は、所定の条件を満たす場合に”Ｔｏｏ  Ｅａｒｌｙ  ＨＯ”および”Ｐｉｎｇ  Ｐｏｎｇ  ＨＯ”を判断し、これらの不適切なハンドオーバ動作の発生が抑制されるように、ハンドオーバ動作の最適化処理すなわちハンドオーバ動作のタイミング制御を実行する構成であるとしたが、これに限定するものではない。無線基地局装置は、ハンドオーバ動作のタイミング制御を実行せず、たとえば”Ｔｏｏ  Ｅａｒｌｙ  ＨＯ”および”Ｐｉｎｇ  Ｐｏｎｇ  ＨＯ”の検出結果を保存するか、または当該検出結果を管理装置へ通知する構成であってもよい。また、無線基地局装置は、”Ｔｏｏ  Ｅａｒｌｙ  ＨＯ”および”Ｐｉｎｇ  Ｐｏｎｇ  ＨＯ”を判断するステップを実行することなく、上記所定の条件を満たす場合にハンドオーバ動作のタイミング制御を実行する構成であってもよい。
【０４９２】
図３１は、本発明の第１の実施の形態に係る無線通信システムにおいて、無線端末装置が送信するＰｉｎｇＰｏｎｇレポートの一例を示す図である。
【０４９３】
図３１を参照して、このＰｉｎｇＰｏｎｇレポートは、無線端末装置２０２がサービング基地局の形成するサービングセル、および各周辺セルに対して最後に行なった電力測定処理の結果を含む。この電力測定処理の結果は、たとえばサービング基地局からの無線信号の受信電力またはＳＩＮＲ（Signal to Interference-plus-Noise Ratio）である。
【０４９４】
また、ＰｉｎｇＰｏｎｇレポートは、無線端末装置２０２の最後のハンドオーバ元となった無線基地局装置のＥＧＣＩ、当該無線基地局装置から付与されたＣ−ＲＮＴＩ、および当該無線基地局装置の形成するセルにおける無線端末装置２０２の滞在時間を含む。
【０４９５】
また、ＰｉｎｇＰｏｎｇレポートは、無線端末装置２０２の最後から２番目のハンドオーバ元となった無線基地局装置のＥＧＣＩ、当該無線基地局装置から付与されたＣ−ＲＮＴＩ、および当該無線基地局装置の形成するセルにおける無線端末装置２０２の滞在時間を含む。この滞在時間は、前述の無線端末装置２０２におけるタイマの値である。
【０４９６】
また、ＰｉｎｇＰｏｎｇレポートは、無線端末装置２０２の固有ＩＤを含む。なお、図２６〜図３０に示す各シーケンスにおいて、ＰｉｎｇＰｏｎｇレポートは、未使用の情報を含まなくてもよい。
【０４９７】
Ｃ−ＲＮＴＩまたは固有ＩＤを無線基地局装置に通知する構成により、無線基地局装置は、Ｃ−ＲＮＴＩまたは固有ＩＤの通知元の無線端末装置を特定することができるため、たとえばＣＱＩ（Channel Quality Indication）等の過去の通信履歴を用いて、より的確なハンドオーバ制御を行ない、ハンドオーバ動作のさらなる最適化を図ることができる。
【０４９８】
ところで、非特許文献１に記載されるような不適切なハンドオーバ動作が行なわれると、通信システムにおいて、通信断および通信トラフィックの増大等、種々の問題が生じる。
【０４９９】
これに対して、本発明の第１の実施の形態に係る無線通信システムでは、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０５００】
無線基地局装置１０１Ａは、自己を通信先として選択していた無線端末装置２０２の無線基地局装置１０１Ｂへのハンドオーバ動作のタイミングからの経過時間を計測する。
【０５０１】
無線端末装置２０２は、無線基地局装置１０１Ｂへのハンドオーバ動作の完了後、新たに無線基地局装置との通信を再開する場合または新たに無線基地局装置へのハンドオーバ動作を行なう場合には、保持した基地局識別情報および端末識別情報を当該無線基地局装置に通知する。
【０５０２】
無線基地局装置１０１Ａは、無線端末装置２０２からの上記通知を受けて、無線端末装置２０２から通知された基地局識別情報が自己の識別情報と一致し、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断するか、または無線端末装置２０２による無線基地局装置１０１Ａから無線基地局装置１０１Ｂへのハンドオーバ動作のタイミングを調整する。
【０５０３】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５０４】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。
【０５０５】
したがって、本発明の第１の実施の形態に係る無線通信システムでは、不適切なハンドオーバ動作を検出することにより、通信の安定化を図ることができる。
【０５０６】
さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。
【０５０７】
また、本発明の第１の実施の形態に係る無線通信システムでは、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０５０８】
このような構成により、無線基地局装置は、無線端末装置に付与したＣ−ＲＮＴＩ等の識別情報の保持および解放を適切に行なうことができる。特に、フェムト基地局では、同時に接続される無線端末装置の数がマクロ基地局およびピコ基地局と比べて少ないことから、無線基地局装置がハンドオーバ後も無線端末装置の情報を保持しておく構成は、フェムト基地局において有利であり、より効果的である。
【０５０９】
また、本発明の第１の実施の形態に係る無線通信システムでは、無線端末装置２０２は、基地局識別情報および端末識別情報を無線基地局装置に通知した場合、または自己の無線基地局装置１０１Ｂへのハンドオーバ動作のタイミングから所定時間経過後、保持した基地局識別情報および端末識別情報を消去する。
【０５１０】
このような構成により、無線端末装置において、無線基地局装置のＥＣＧＩ等の識別情報および無線基地局装置から付与されたＣ−ＲＮＴＩ等の識別情報の解放を適切なタイミングで行なうことができる。
【０５１１】
また、本発明の第１の実施の形態に係る無線通信システムでは、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。
【０５１２】
無線基地局装置１０１Ａは、自己を通信先として選択していた無線端末装置２０２の無線基地局装置１０１Ｂへのハンドオーバ動作のタイミングからの経過時間を計測する。
【０５１３】
無線端末装置２０２は、無線基地局装置１０１Ｂへのハンドオーバ動作の完了後、新たに無線基地局装置へのハンドオーバ動作を行なう場合であって、保持した無線基地局装置１０１Ａの基地局識別情報と新たに通信先として選択する無線基地局装置の基地局識別情報とが一致するときには、保持した端末識別情報をハンドオーバ先の無線基地局装置に通知する。
【０５１４】
無線基地局装置１０１Ａは、無線端末装置２０２からの上記通知を受けて、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断するか、または無線端末装置２０２による無線基地局装置１０１Ａから無線基地局装置１０１Ｂへのハンドオーバ動作のタイミングを調整する。
【０５１５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５１６】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。
【０５１７】
したがって、本発明の第１の実施の形態に係る無線通信システムでは、不適切なハンドオーバ動作を検出することにより、通信の安定化を図ることができる。
【０５１８】
さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。
【０５１９】
また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。
【０５２０】
また、本発明の第１の実施の形態に係る無線通信システムでは、無線基地局装置１０１Ａは、自己を通信先として選択する無線端末装置２０２の無線基地局装置１０１Ｂへのハンドオーバ動作が完了しても、無線端末装置２０２に付与した端末識別情報を保持し、上記経過時間が上記所定値以上になると端末識別情報を消去する。
【０５２１】
このような構成により、無線基地局装置は、無線端末装置に付与したＣ−ＲＮＴＩ等の識別情報の保持および解放を適切に行なうことができる。特に、フェムト基地局では、同時に接続される無線端末装置の数がマクロ基地局およびピコ基地局と比べて少ないことから、無線基地局装置がハンドオーバ後も無線端末装置の情報を保持しておく構成は、フェムト基地局において有利であり、より効果的である。
【０５２２】
また、本発明の第１の実施の形態に係る無線通信システムでは、無線端末装置２０２は、端末識別情報を無線基地局装置に通知した場合、または自己の無線基地局装置１０１Ｂへのハンドオーバ動作のタイミングから所定時間経過後、保持した基地局識別情報および端末識別情報を消去する。
【０５２３】
このような構成により、無線端末装置において、無線基地局装置のＥＣＧＩ等の識別情報および無線基地局装置から付与されたＣ−ＲＮＴＩ等の識別情報の解放を適切なタイミングで行なうことができる。
【０５２４】
また、本発明の第１の実施の形態に係る無線通信システムでは、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０５２５】
そして、無線端末装置２０２は、無線基地局装置１０１Ｂへのハンドオーバ動作の完了後、新たに無線基地局装置との通信を再開する際または新たに無線基地局装置へのハンドオーバ動作を開始する際、保持した無線基地局装置１０１Ａの基地局識別情報と新たに通信先として選択する無線基地局装置の基地局識別情報とが一致し、かつ上記経過時間が所定値未満である場合には、所定情報を当該無線基地局装置に通知する。
【０５２６】
無線基地局装置１０１Ａは、無線端末装置２０２からの上記所定情報を含む通知を受けて、無線端末装置２０２による無線基地局装置１０１Ａから無線基地局装置１０１Ｂへのハンドオーバ動作が不適切であったと判断するか、または無線端末装置２０２による無線基地局装置１０１Ａから無線基地局装置１０１Ｂへのハンドオーバ動作のタイミングを調整する。
【０５２７】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５２８】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。
【０５２９】
したがって、本発明の第１の実施の形態に係る無線通信システムでは、不適切なハンドオーバ動作を検出することにより、通信の安定化を図ることができる。
【０５３０】
さらに、無線端末装置において上記経過時間の計測および基地局識別情報の一致確認を行なう構成により、不適切なハンドオーバ動作のより正確な検出が可能となる。そして、無線基地局装置においてより的確なハンドオーバ制御を行ない、ハンドオーバ動作のさらなる最適化を図ることができる。
【０５３１】
また、本発明の第１の実施の形態に係る無線通信システムでは、無線端末装置２０２は、所定情報を無線基地局装置に通知した場合、または上記経過時間が上記所定値以上になると、保持した基地局識別情報を消去する。
【０５３２】
このような構成により、無線端末装置において、無線基地局装置のＥＣＧＩ等の識別情報の解放を適切なタイミングで行なうことができる。
【０５３３】
また、本発明の第１の実施の形態に係る無線通信システムでは、無線端末装置２０２は、無線通信システムにおける複数の無線基地局装置のうち、たとえば無線基地局装置１０１Ａから無線基地局装置１０１Ｂへのハンドオーバ動作を行なう場合に、無線基地局装置１０１ＡのＥＣＧＩ等の基地局識別情報を保持する。また、無線端末装置２０２は、自己の無線基地局装置１０１Ｂへのハンドオーバ動作のタイミングからの経過時間を計測する。
【０５３４】
そして、無線端末装置２０２は、無線基地局装置１０１Ｂへのハンドオーバ動作の完了後、新たに無線基地局装置との通信を再開する際または新たに無線基地局装置へのハンドオーバ動作を開始する際、上記経過時間が所定値未満である場合には、保持した基地局識別情報を当該無線基地局装置に通知する。
【０５３５】
無線基地局装置１０１Ａは、無線端末装置２０２からの上記通知を受けて、無線端末装置２０２から通知された基地局識別情報が自己の識別情報と一致する場合には、無線端末装置２０２による無線基地局装置１０１Ａから無線基地局装置１０１Ｂへのハンドオーバ動作が不適切であったと判断するか、または無線端末装置２０２による無線基地局装置１０１Ａから無線基地局装置１０１Ｂへのハンドオーバ動作のタイミングを調整する。
【０５３６】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５３７】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。
【０５３８】
したがって、本発明の第１の実施の形態に係る無線通信システムでは、不適切なハンドオーバ動作を検出することにより、通信の安定化を図ることができる。
【０５３９】
さらに、無線端末装置において上記経過時間の計測を行なう構成により、不適切なハンドオーバ動作のより正確な検出が可能となる。そして、無線基地局装置においてより的確なハンドオーバ制御を行ない、ハンドオーバ動作のさらなる最適化を図ることができる。
【０５４０】
また、本発明の第１の実施の形態に係る無線通信システムでは、無線端末装置２０２は、基地局識別情報を無線基地局装置に通知した場合、または上記経過時間が上記所定値以上になると、保持した基地局識別情報を消去する。
【０５４１】
このような構成により、無線端末装置において、無線基地局装置のＥＣＧＩ等の識別情報の解放を適切なタイミングで行なうことができる。
【０５４２】
また、本発明の第１の実施の形態に係る無線通信システムでは、無線基地局装置１０１Ａは、自己を通信先として選択する無線端末装置２０２の端末識別情報すなわち固有ＩＤを自己以外の装置から取得する。また、無線基地局装置１０１Ａは、自己を通信先として選択していた無線端末装置２０２の無線基地局装置１０１Ｂへのハンドオーバ動作のタイミングからの経過時間を計測する。
【０５４３】
無線端末装置２０２は、無線基地局装置１０１Ａから無線基地局装置１０１Ｂへのハンドオーバ動作の完了後、新たに無線基地局装置との通信を再開する場合または新たに無線基地局装置へのハンドオーバ動作を行なう場合には、自己の端末識別情報を当該無線基地局装置に通知する。
【０５４４】
無線基地局装置１０１Ａは、無線端末装置２０２からの上記通知を受けて、無線端末装置２０２から通知された端末識別情報が、取得した端末識別情報と一致し、かつ上記経過時間が所定値未満である場合には、無線端末装置２０２による無線基地局装置１０１Ａから無線基地局装置１０１Ｂへのハンドオーバ動作が不適切であったと判断するか、または無線端末装置２０２による無線基地局装置１０１Ａから無線基地局装置１０１Ｂへのハンドオーバ動作のタイミングを調整する。
【０５４５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５４６】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。
【０５４７】
したがって、本発明の第１の実施の形態に係る無線通信システムでは、不適切なハンドオーバ動作を検出することにより、通信の安定化を図ることができる。
【０５４８】
さらに、無線端末装置に固有の識別情報の一致を検出条件とする構成により、無線基地局装置において無線端末装置ごとの上記経過時間を取得し、不適切なハンドオーバ動作のより正確な検出が可能となる。また、無線基地局装置において無線端末装置を特定することができるため、より的確なハンドオーバ制御を行ない、ハンドオーバ動作のさらなる最適化を図ることができる。
【０５４９】
また、本発明の第１の実施の形態に係る無線通信システムでは、無線基地局装置１０１Ａは、自己を通信先として選択する無線端末装置２０２の無線基地局装置１０１Ｂへのハンドオーバ動作が完了しても、無線端末装置２０２の端末識別情報を保持し、上記経過時間が上記所定値以上になると端末識別情報を消去する。
【０５５０】
このような構成により、無線基地局装置は、無線端末装置に固有の識別情報の保持および解放を適切に行なうことができる。特に、フェムト基地局では、同時に接続される無線端末装置の数がマクロ基地局およびピコ基地局と比べて少ないことから、無線基地局装置がハンドオーバ後も無線端末装置の情報を保持しておく構成は、フェムト基地局において有利であり、より効果的である。
【０５５１】
なお、図２０、図２１、図２６および図２７に示すシーケンスにおいて、無線基地局装置および無線端末装置は、以下のような動作を行ってもよい。
【０５５２】
すなわち、無線端末装置２０２は、端末識別情報を、無線基地局装置に対する接続動作中、または接続動作の完了直後に当該無線基地局装置へ送信する、具体的には、たとえば、端末識別情報をＲＲＣコネクション情報（RRC Connection Setup）に含めて上記無線基地局装置へ送信する。
【０５５３】
このように、無線端末装置から無線基地局装置への端末識別情報の通知を、無線端末装置および無線基地局装置間で情報の送受信が可能になってからなるべく早いタイミングで、具体的には、接続動作中または接続動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【０５５４】
あるいは、無線端末装置２０２は、端末識別情報を、無線基地局装置に対する再接続動作中、または再接続動作の完了直後に当該無線基地局装置へ送信する、具体的には、たとえば、端末識別情報をＲＲＣコネクション再確立要求（RRC Connection Reestablishment Request）に含めて上記無線基地局装置へ送信する。
【０５５５】
このように、無線端末装置から無線基地局装置への端末識別情報の通知を、無線端末装置および無線基地局装置間で情報の送受信が可能になってからなるべく早いタイミングで、具体的には、再接続動作中または再接続動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【０５５６】
あるいは、無線端末装置２０２は、端末識別情報を、無線基地局装置へのハンドオーバ動作中、またはハンドオーバ動作の完了直後に当該無線基地局装置へ送信する。
【０５５７】
このように、無線端末装置から無線基地局装置への端末識別情報の通知を、無線端末装置および無線基地局装置間で情報の送受信が可能になってからなるべく早いタイミングで、具体的には、ハンドオーバ動作中またはハンドオーバ動作の完了直後に行なう。このような構成により、不適切なハンドオーバ動作の発生を早期に把握し、ハンドオーバ動作のパラメータを調整することができるため、不適切なハンドオーバ動作の再発をより効果的に防ぐことができる。
【０５５８】
あるいは、無線端末装置２０２は、端末識別情報を、無線基地局装置からの要求に応じて当該無線基地局装置へ送信する。
【０５５９】
無線基地局装置の設置場所によっては、周辺の地理的情報などに応じてハンドオーバ動作のパラメータを固定的に設定する場合がある。上記のように、無線端末装置２０２が、無線基地局装置から求められた場合のみ端末識別情報を送信する構成により、上記のような場所に設置される無線基地局装置に対して、ハンドオーバ動作のパラメータ調整を促すような情報が無線端末装置から無駄に送信されることを防ぐことができる。
【０５６０】
また、無線基地局装置は、無線端末装置２０２による自己から他の無線基地局装置へのハンドオーバ動作からの経過時間が所定値未満の場合には、上記無線端末装置２０２に付与した端末識別情報と同じ端末識別情報を、自己を新たに通信先として選択する無線端末装置２０２に対して付与しない。
【０５６１】
無線基地局装置において複数の無線端末装置２０２に同じ識別情報を付与してしまうと、無線端末装置２０２が端末識別情報を送信してきても、どのハンドオーバ動作からの経過時間を参照すれば良いかが分からなくなる。上記のように、所定時間内は過去に割り当てた端末識別情報を新規の無線端末装置２０２に対して割り当てない構成により、使用すべき上記経過時間を正しく取得し、不適切なハンドオーバ動作をより正確に検出することが可能となる。
【０５６２】
無線端末装置２０２は、ハンドオーバ動作の実行回数、無線基地局装置に対する接続動作の実行回数および無線基地局装置に対する再接続動作の実行回数のうちのいずれか１つ、または少なくともいずれか２つの組み合わせの合計、が所定回数を超えると、保持した端末識別情報を消去する。
【０５６３】
接続動作、再接続動作、およびハンドオーバ動作のたびに無線基地局装置から付与された端末識別番号を記憶すると、無線端末装置２０２の使用可能なメモリ領域が大幅に減少してしまう。上記のように、規定の回数を超えた場合に端末識別情報を消去する構成により、無線端末装置２０２の使用可能なメモリ領域の大幅な減少を防ぐことが可能となる。
【０５６４】
また、本発明の第１の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の第１の実施の形態において、「ハンドオーバ」を「移動」に置き換えた構成および動作についても、本発明は適用される。
【０５６５】
また、本発明の第１の実施の形態に係る無線通信システムでは、無線端末装置のハンドオーバ動作のタイミングからの経過時間をタイマによって得る構成である。この「ハンドオーバ動作のタイミング」は、上記各シーケンスにおいて例示したタイミングに限らず、ハンドオーバ動作におけるいずれのタイミングであってもよい。すなわち、ハンドオーバを行なうことを決定するタイミング等、ハンドオーバ動作の直前、最中および直後のいずれのタイミングであってもよい。
【０５６６】
また、本発明の第１の実施の形態に係る無線通信システムでは、無線基地局装置の一致を確認するためにＥＣＧＩを用いる構成であるとしたが、これに限定するものではない。ＥＣＧＩの代わりにＰＣＩを用いる構成であってもよい。
【０５６７】
また、本発明の第１の実施の形態に係る無線通信システムでは、無線端末装置が、ハンドオーバ元の無線基地局装置の基地局識別情報および当該無線基地局装置から付与された端末識別情報を所定期間分保持し、この所定期間における基地局識別情報および端末識別情報のリストを無線端末装置または無線基地局装置において一致判定に用いる構成であってもよい。
【０５６８】
すなわち、図２０および図２６に示すシーケンスと同様に、無線基地局装置は、自己を通信先として選択する無線端末装置２０２に端末識別情報を付与するとともに、自己を通信先として選択していた無線端末装置２０２による自己から他の無線基地局装置への移動動作のタイミングからの経過時間を計測する。
【０５６９】
無線端末装置２０２は、自己が通信先として選択した無線基地局装置の基地局識別情報、および当該無線基地局装置から付与された端末識別情報を所定期間分保持する。
【０５７０】
また、無線端末装置２０２は、複数の無線基地局装置のうち、無線基地局装置１０１Ａから無線基地局装置１０１Ｂへの移動動作の完了後、新たに無線基地局装置との通信を再開する場合または新たに無線基地局装置への移動動作を行なう場合には、保持した基地局識別情報および端末識別情報を無線基地局装置に通知する。
【０５７１】
そして、無線基地局装置１０１Ａは、無線端末装置２０２からの上記通知を受けて、無線端末装置２０２から通知された基地局識別情報が自己の識別情報と一致し、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへの移動動作が不適切であったと判断するか、または無線端末装置２０２による無線基地局装置１０１Ａから無線基地局装置１０１Ｂへの移動動作のタイミングを調整する。
【０５７２】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５７３】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。
【０５７４】
さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。そして、無線基地局装置においてより的確なハンドオーバ制御を行ない、ハンドオーバ動作のさらなる最適化を図ることができる。
【０５７５】
また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０５７６】
すなわち、図２１および図２７に示すシーケンスと同様に、無線基地局装置は、自己を通信先として選択する無線端末装置２０２に端末識別情報を付与するとともに、自己を通信先として選択していた無線端末装置２０２による自己から他の無線基地局装置への移動動作のタイミングからの経過時間を計測する。
【０５７７】
無線端末装置２０２は、自己が通信先として選択した無線基地局装置の基地局識別情報、および当該無線基地局装置から付与された端末識別情報を所定期間分保持する。
【０５７８】
また、無線端末装置２０２は、複数の無線基地局装置のうち、無線基地局装置１０１Ａから無線基地局装置１０１Ｂへの移動動作の完了後、新たに無線基地局装置との通信を再開する際または新たに無線基地局装置への移動動作を開始する際、保持した基地局識別情報と新たに通信先として選択する無線基地局装置の基地局識別情報とが一致する場合には、保持した端末識別情報を無線基地局装置に通知する。
【０５７９】
そして、無線基地局装置１０１Ａは、無線端末装置２０２からの上記通知を受けて、無線端末装置２０２から通知された端末識別情報が、自己の付与した端末識別情報と一致し、かつ上記経過時間が所定値未満である場合には、無線端末装置２０２による無線基地局装置１０１Ａから無線基地局装置１０１Ｂへの移動動作が不適切であったと判断するか、または無線端末装置２０２による無線基地局装置１０１Ａから無線基地局装置１０１Ｂへの移動動作のタイミングを調整する。
【０５８０】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５８１】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。
【０５８２】
さらに、基地局識別情報の一致に加えて、無線基地局装置が無線端末装置に付与した端末識別情報の一致を検出条件とする構成により、無線基地局装置において無線端末装置ごとの上記経過時間を取得し、不適切なハンドオーバ動作のより正確な検出が可能となる。そして、無線基地局装置においてより的確なハンドオーバ制御を行ない、ハンドオーバ動作のさらなる最適化を図ることができる。
【０５８３】
また、無線端末装置が過去に通信相手として選択したことのある無線基地局装置だけに端末識別情報を通知する構成により、無線端末装置が基地局識別情報を無線基地局装置へ無駄に送信することを防ぎ、また、無線基地局装置が無線端末装置から通知された基地局識別情報と自己の基地局識別情報とが一致するか否かを判断する動作を省くことができる。
【０５８４】
また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０５８５】
あるいは、図２２および図２８に示すシーケンスと同様に、無線端末装置２０２は、自己が通信先として選択した無線基地局装置の基地局識別情報を所定期間分保持するとともに、自己の他の無線基地局装置への移動動作のタイミングからの経過時間を計測する。
【０５８６】
また、無線端末装置２０２は、複数の無線基地局装置のうち、無線基地局装置１０１Ａから無線基地局装置１０１Ｂへの移動動作の完了後、新たに無線基地局装置との通信を再開する際または新たに無線基地局装置への移動動作を開始する際、保持した基地局識別情報と新たに通信先として選択する無線基地局装置の基地局識別情報とが一致し、かつ自己の無線基地局装置１０１Ｂへの移動動作のタイミングからの経過時間が所定値未満である場合には、所定情報を無線基地局装置に通知する。
【０５８７】
そして、無線基地局装置１０１Ａは、無線端末装置２０２からの所定情報を含む通知を受けて、無線端末装置２０２による無線基地局装置１０１Ａから無線基地局装置１０１Ｂへの移動動作が不適切であったと判断するか、または無線端末装置２０２による無線基地局装置１０１Ａから無線基地局装置１０１Ｂへの移動動作のタイミングを調整する。
【０５８８】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５８９】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。
【０５９０】
さらに、無線端末装置において上記経過時間の計測および基地局識別情報の一致確認を行なう構成により、不適切なハンドオーバ動作のより正確な検出が可能となる。そして、無線基地局装置においてより的確なハンドオーバ制御を行ない、ハンドオーバ動作のさらなる最適化を図ることができる。
【０５９１】
また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０５９２】
あるいは、図２３および図２９に示すシーケンスと同様に、無線端末装置２０２は、自己が通信先として選択した無線基地局装置の基地局識別情報を所定期間分保持するとともに、自己の他の無線基地局装置への移動動作のタイミングからの経過時間を計測する。
【０５９３】
また、無線端末装置２０２は、複数の無線基地局装置のうち、無線基地局装置１０１Ａから無線基地局装置１０１Ｂへの移動動作の完了後、新たに無線基地局装置との通信を再開する際または新たに無線基地局装置への移動動作を開始する際、自己の無線基地局装置１０１Ｂへの移動動作のタイミングからの経過時間が所定値未満である場合には、保持した基地局識別情報を無線基地局装置に通知する。
【０５９４】
そして、無線基地局装置１０１Ａは、無線端末装置２０２からの上記通知を受けて、無線端末装置２０２から通知された基地局識別情報が自己の識別情報と一致する場合には、無線端末装置２０２による無線基地局装置１０１Ａから無線基地局装置１０１Ｂへの移動動作が不適切であったと判断するか、または無線端末装置２０２による無線基地局装置１０１Ａから無線基地局装置１０１Ｂへの移動動作のタイミングを調整する。
【０５９５】
このような構成により、無線端末装置によるハンドオーバのタイミングが早すぎる”Ｔｏｏ  Ｅａｒｌｙ  ＨＯ”および無線端末装置によるハンドオーバが無線基地局装置間で繰り返される”Ｐｉｎｇ  Ｐｏｎｇ  ＨＯ”を、無線基地局装置単体で検出することが可能となる。すなわち、無線基地局装置間で情報をやり取りすることができない場合でも、不適切なハンドオーバ動作を検出することができる。また、無線基地局装置間で情報をやり取りする必要がなくなることから、コアネットワークにおける処理の簡易化および通信トラフィックの低減を図ることができる。
【０５９６】
そして、無線基地局装置は、不適切なハンドオーバ動作を検出することにより、たとえばハンドオーバ動作を制御するパラメータを調整して不適切なハンドオーバ動作を抑制することができるため、良好な通信システムを構築することができる。したがって、不適切なハンドオーバ動作を検出することにより、通信の安定化を図ることができる。
【０５９７】
さらに、無線端末装置において上記経過時間の計測を行なう構成により、不適切なハンドオーバ動作のより正確な検出が可能となる。そして、無線基地局装置においてより的確なハンドオーバ制御を行ない、ハンドオーバ動作のさらなる最適化を図ることができる。
【０５９８】
また、新たな無線基地局装置へハンドオーバする際に、過去のハンドオーバ元の無線基地局装置の識別情報および当該無線基地局装置から付与された識別情報を１つの無線基地局装置分だけ保持しておく構成と比べて、不適切なハンドオーバ動作をより広範囲に検出することが可能となる。
【０５９９】
なお、無線端末装置が基地局識別情報または端末識別情報を保持する上記「所定期間」は、種々考えられる。たとえば、無線端末装置は、基地局識別情報または端末識別情報を取得してから所定時間経過するまで保持してもよいし、現在から所定時間前までに取得した基地局識別情報または端末識別情報を保持してもよいし、新たなハンドオーバ動作のタイミングから所定時間前までに取得した基地局識別情報または端末識別情報を保持してもよい。
【０６００】
次に、本発明の他の実施の形態について図面を用いて説明する。なお、図中同一または相当部分には同一符号を付してその説明は繰り返さない。
【０６０１】
＜第２の実施の形態＞
本実施の形態は、第１の実施の形態に係る無線通信システムと異なるケースを想定した無線通信システムに関する。以下で説明する内容以外は第１の実施の形態に係る無線通信システムと同様である。
【０６０２】
図３２は、本発明の第１の実施の形態に係る無線通信システムにおいて想定するシナリオの一例を示す図である。
【０６０３】
図３２を参照して、無線基地局装置１０１Ｂの形成するセルＣＢは、無線基地局装置１０１Ｂの設置エリアを含むセルＣＢ１と、無線基地局装置１０１Ａの形成するセルＣＡ内に形成された、無線基地局装置１０１Ｂの設置エリアを含まないセルＣＢ２とで構成される。セルＣＡおよびセルＣＢは一部が重複している。
【０６０４】
本発明の第１の実施の形態に係る無線通信システムでは、無線基地局装置１０１Ａおよび無線基地局装置１０１Ｂ間にＸ２インタフェースが存在しない状況において、無線基地局装置１０１Ａから無線基地局装置１０１Ｂへの無線端末装置２０２のハンドオーバがたとえば”Ｔｏｏ  Ｅａｒｌｙ  ＨＯ”であることを検出する。
【０６０５】
具体的には、無線端末装置２０２がセルＣＡ内に位置し、無線基地局装置１０１Ａと通信中である状態から、セルＣＢ２へ移動し、さらにセルＣＢ２を出てセルＣＡへ移動する。この場合、セルＣＡからセルＣＢ２への移動に伴って無線基地局装置１０１Ａから無線基地局装置１０１Ｂへのハンドオーバ動作が行われる。無線端末装置２０２は、ハンドオーバ先の無線基地局装置１０１Ｂから付与されたＣ−ＲＮＴＩ等を保持する。そして、セルＣＢ２からセルＣＡへの移動によるＲＬＦ発生後、通信先とすべき無線基地局装置１０１Ａに当該Ｃ−ＲＮＴＩ等を示すＲＬＦレポートを無線基地局装置１０１Ａへ送信する。このＲＬＦレポートにより、”Ｔｏｏ  Ｅａｒｌｙ  ＨＯ”の検出が可能となる。
【０６０６】
この動作では、無線端末装置２０２は、自己が直前にＲＲＣコネクションを確立していた無線基地局装置１０１Ｂから付与されたＣ−ＲＮＴＩを保持するだけである。
【０６０７】
このため、”Ｔｏｏ  Ｅａｒｌｙ  ＨＯ”または”ＨＯ  ｔｏ  Ｗｒｏｎｇ  Ｃｅｌｌ”の発生の原因となった無線基地局装置１０１、すなわち当該無線端末装置２０２が２つ前に通信接続を確立していた無線基地局装置１０１Ａは、どの無線端末装置２０２のハンドオーバ動作に問題があったかまでは特定することができない。
【０６０８】
無線基地局装置１０１は、すべての無線端末装置２０２について実行基準等が同じハンドオーバ動作を行うとは限らない。たとえば、無線基地局装置間の負荷調整、および無線端末装置２０２の移動速度に応じてハンドオーバ動作の実行基準を変える場合がある。
【０６０９】
そこで、本発明の第２の実施の形態に係る無線通信システムでは、以下のような動作により、不適切なハンドオーバ動作の詳細な解析、そして、これによるハンドオーバ動作の適切なタイミング制御等を可能とする。
【０６１０】
図３３は、本発明の第２の実施の形態に係る無線通信システムにおいて想定するシナリオの一例を示す図である。
【０６１１】
図３３を参照して、たとえば、無線基地局装置１０１Ａおよび無線基地局装置１０１Ｂはマクロ基地局であり、無線基地局装置１０１Ｃはピコ基地局である。無線基地局装置１０１Ａの形成するセルＣＡおよび無線基地局装置１０１Ｂの形成するセルＣＢは一部が重複しており、無線基地局装置１０１Ｃの形成するセルＣＣの大部分が、この重複領域に含まれる。
【０６１２】
ここでは、無線端末装置２０２がセルＣＡ内に位置し、無線基地局装置１０１Ａと通信中である状態から、セルＣＣへ移動し、さらにセルＣＣを出てセルＣＢへ移動する場合を想定する。
【０６１３】
図３４は、本発明の第２の実施の形態に係る無線通信システムにおける、不適切なハンドオーバ動作（ＨＯ  ｔｏ  Ｗｒｏｎｇ  Ｃｅｌｌ）の検出処理およびハンドオーバ動作の最適化処理のシーケンスの一例を示す図である。図３４では、説明を簡単にするために、詳細な情報の送受信については示していないが、たとえば図９に示す各種情報が送受信される。
【０６１４】
図３４を参照して、無線端末装置２０２のセルＣＡからセルＣＣへの移動に伴って行われる無線基地局装置１０１Ａから無線基地局装置１０１Ｃへのハンドオーバ動作において、無線基地局装置１０１Ａは、無線端末装置２０２へＲＲＣコネクション再構成指示（RRC Connection Reconfiguration）を送信する（ステップＳ４０１）。
【０６１５】
次に、無線基地局装置１０１Ａは、無線端末装置２０２に付与したたとえば１番のＣ−ＲＮＴＩ（以下、Ｃ−ＲＮＴＩ（１）と称する。）および当該ハンドオーバ動作の種別を示すハンドオーバ種別情報を保持する（ステップＳ４０２）。
【０６１６】
ここで、ハンドオーバ種別情報は、たとえば、０〜７の番号であり、この番号によってハンドオーバ動作の内容が判別可能となる。具体的には、たとえば、移動速度が小さい無線端末装置２０２用のハンドオーバ動作、移動速度が中程度の無線端末装置２０２用のハンドオーバ動作、移動速度が大きい無線端末装置２０２用のハンドオーバ動作、無線基地局装置間の負荷調整のためのハンドオーバ動作、およびセル半径拡張のためのハンドオーバ動作が、それぞれ異なる番号に対応付けされる。ここで、「セル半径拡張のためのハンドオーバ動作」とは、小型基地局へのハンドオーバ動作を促進するためにオフセットＯＳＴ等の調整が行われたハンドオーバ動作を意味する。
【０６１７】
また、無線端末装置２０２は、ＲＲＣコネクション再構成指示を受信しても、ハンドオーバ元となる無線基地局装置１０１ＡのＥＣＧＩ、および無線基地局装置１０１Ａから付与されたＣ−ＲＮＴＩ（１）を保持しておく（ステップＳ４０３）。
【０６１８】
次に、無線端末装置２０２および無線基地局装置１０１Ｃ間でＲＲＣコネクションが確立されると、無線端末装置２０２は、ＲＲＣコネクション再構成完了通知（RRC Connection Reconfiguration Complete）を無線基地局装置１０１Ｃへ送信する（ステップＳ４０４）。
【０６１９】
次に、無線基地局装置１０１Ｃは、無線端末装置２０２のセルＣＣにおける滞在時間を計測するために、タイマをスタートさせる（ステップＳ４０５）。
【０６２０】
ここで、無線端末装置２０２が、測定結果通知（Measurement Report）を無線基地局装置１０１Ｃへ送信する前に、セルＣＣの圏外、かつセルＣＢの圏内に移動する。そうすると、無線端末装置２０２は、無線基地局装置１０１Ｂから送信される無線信号の干渉が大きく、無線基地局装置１０１Ｃと通信できなくなることから、ＲＬＦが発生してしまう（ステップＳ４０６）。
【０６２１】
次に、無線端末装置２０２は、ＲＬＦ発生を検出すると、無線信号の受信電力の測定等によって周辺の無線基地局装置の探索を行なう。この場合、無線基地局装置１０１Ｂからの無線信号の受信電力が最大となることから、無線端末装置２０２は、探索した無線基地局装置１０１Ｂに再接続するために、ＲＲＣコネクション再確立要求（RRC Connection Reestablishment Request）を無線基地局装置１０１Ｂへ送信する（ステップＳ４０７）。
【０６２２】
次に、たとえば図９に示すシーケンスと同様に、無線基地局装置１０１ＣからＲＲＣコネクション再確立拒絶が無線端末装置２０２へ送信され、無線端末装置２０２による無線基地局装置１０１Ｃとの通常の接続手順が開始され、その後、無線端末装置２０２および無線基地局装置１０１Ｃ間でＲＲＣコネクションが確立する。
【０６２３】
そして、無線基地局装置１０１Ｂは、”rlf-InfoAvailable”を含むＲＲＣコネクション再構成完了通知を無線端末装置２０２から受信して、当該無線端末装置２０２についてＲＬＦの発生があったことを認識し、ＲＬＦの詳細な情報を取得するため、端末情報要求（UE Information Request）を当該無線端末装置２０２へ送信する。
【０６２４】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ４０８）。
【０６２５】
ここで、ＲＬＦレポートは、たとえば、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＣのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ｂが付与したＩＤである。さらに、ＲＬＦレポートは、無線端末装置２０２の２つ前の接続先、すなわち無線端末装置２０２が無線基地局装置１０１Ｃの前にＲＲＣコネクションを確立していた無線基地局装置１０１Ａが当該無線端末装置２０２に付与したＣ−ＲＮＴＩ、および無線基地局装置１０１ＡのＰＣＩおよびＥＣＧＩを含む。
【０６２６】
次に、無線基地局装置１０１Ｂは、無線端末装置２０２から受信したＲＬＦレポートの示す無線基地局装置１０１ＣのＰＣＩを参照することにより、無線基地局装置１０１ＣにおいてＲＬＦが発生したことを認識し、セルＣＢへの”Ｔｏｏ  Ｌａｔｅ  ＨＯ”が発生したと判断する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｃへ送信する（ステップＳ４０９）。
【０６２７】
次に、無線基地局装置１０１Ｃは、無線基地局装置１０１ＢからＲＬＦ通知を受信すると、スタートさせておいたタイマを確認し、タイマが動作している場合、すなわちタイマをスタートさせてから所定時間経過していない場合には、セルＣＢへの”Ｔｏｏ  Ｌａｔｅ  ＨＯ”ではないと判断し、さらに、無線基地局装置１０１Ａ以外の無線基地局装置１０１ＢからＲＬＦ通知を受信したことから、セルＣＣへの”Ｔｏｏ  Ｅａｒｌｙ  ＨＯ”ではなく、セルＣＣへの”ＨＯ  ｔｏ  Ｗｒｏｎｇ  Ｃｅｌｌ”であると判断する。なお、無線基地局装置１０１Ｃは、無線基地局装置１０１ＢからＲＬＦ通知を受信したときにタイマが動作していない場合、すなわちタイマをスタートさせてから上記所定時間経過している場合には、セルＣＢへの”Ｔｏｏ  Ｌａｔｅ  ＨＯ”であると判断する。
【０６２８】
無線基地局装置１０１Ｃは、セルＣＣへの”ＨＯ  ｔｏ  Ｗｒｏｎｇ  Ｃｅｌｌ”であると判断すると、当該ＲＬＦ通知の内容を含むハンドオーバレポートを無線基地局装置１０１Ａへ送信する。このハンドオーバレポートは、たとえば”Ｈａｎｄｏｖｅｒ  Ｒｅｐｏｒｔ  Ｔｙｐｅ”というパラメータを含む。無線基地局装置１０１Ｃは、このパラメータを所定値に設定することにより、”ＨＯ  ｔｏ  Ｗｒｏｎｇ  Ｃｅｌｌ”を無線基地局装置１０１Ａに通知する（ステップＳ４１０）。
【０６２９】
次に、無線基地局装置１０１Ａは、無線基地局装置１０１Ｃからハンドオーバレポートを受信して、セルＣＣへの”ＨＯ  ｔｏ  Ｗｒｏｎｇ  Ｃｅｌｌ”が発生したことを認識し、”ＨＯ  ｔｏ  Ｗｒｏｎｇ  Ｃｅｌｌ”の発生が抑制されるように、ハンドオーバ動作の最適化処理を実行する。
【０６３０】
より詳細には、無線基地局装置１０１Ａは、当該ハンドオーバレポートに含まれる、当該無線端末装置２０２の２つ前の接続先の無線基地局装置１０１のＰＣＩおよびＥＣＧＩならびに無線端末装置２０２に付与されたＣ−ＲＮＴＩと、自己のＰＣＩおよびＥＣＧＩならびに保持している情報、すなわち自己が過去に無線端末装置２０２に付与したＣ−ＲＮＴＩ（１）とを照合する。
【０６３１】
そして、無線基地局装置１０１Ａは、当該ハンドオーバレポートの内容と保持している内容とが一致することから、保持しているＣ−ＲＮＴＩ（１）に対応するハンドオーバ種別情報に基づいて、Ｃ−ＲＮＴＩ（１）に対応する種別のハンドオーバ動作の最適化処理、たとえばハンドオーバ動作の実行基準を補正する。すなわち、無線基地局装置１０１Ａは、当該ハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ４１１）。
【０６３２】
図９に示す動作では、無線基地局装置１０１は、”ＨＯ  ｔｏ  Ｗｒｏｎｇ  Ｃｅｌｌ”を検出することが可能である一方で、自己とＲＲＣコネクションを確立していた無線端末装置２０２のうち、どの無線端末装置２０２のハンドオーバ動作が”ＨＯ  ｔｏ  Ｗｒｏｎｇ  Ｃｅｌｌ”であったかまでは認識することができない。
【０６３３】
これに対して、本発明の第２の実施の形態に係る無線通信システムでは、無線端末装置２０２は、最後に受信したＲＲＣコネクション再構成指示に含まれるＣ−ＲＮＴＩ等の情報を保持し、ＲＬＦが発生したときにＲＬＦレポートによって無線基地局装置１０１に報告する。すなわち、無線端末装置２０２の２つ前の接続先の無線基地局装置１０１に関する情報をＲＬＦレポートに含める構成により、無線基地局装置１０１において、どの無線端末装置２０２のハンドオーバ動作が”ＨＯ  ｔｏ  Ｗｒｏｎｇ  Ｃｅｌｌ”であったかを認識することが可能となる。
【０６３４】
図３５は、本発明の第２の実施の形態に係る無線端末装置の構成を示す図である。
【０６３５】
図３５を参照して、無線端末装置２０２は、アンテナ８１と、サーキュレータ８２と、無線受信部８３と、無線送信部８４と、信号処理部８５と、制御部８８と、入出力部８９とを備える。信号処理部８５は、受信信号処理部８６と、送信信号処理部８７とを含む。信号処理部８５および制御部８８は、ＣＰＵ（Central Processing Unit）またはＤＳＰ（Digital Signal Processor）等によって実現される。
【０６３６】
サーキュレータ８２は、アンテナ８１において受信された無線基地局装置１０１からの無線信号を無線受信部８３へ出力し、また、無線送信部８４から受けた無線信号をアンテナ８１へ出力する。
【０６３７】
無線受信部８３は、サーキュレータ８２から受けた無線信号をベースバンド信号またはＩＦ（Intermediate Frequency）信号に周波数変換し、この周波数変換した信号をデジタル信号に変換して受信信号処理部８６へ出力する。
【０６３８】
受信信号処理部８６は、無線受信部８３から受けたデジタル信号に対してＯＦＤＭ（Orthogonal Frequency Division Multiplex）方式におけるＦＦＴ（Fast Fourier Transform）等の信号処理を行ない、この信号処理後のデジタル信号の一部または全部を制御部８８へ出力する。
【０６３９】
制御部８８は、受信信号処理部８６から受けたデジタル信号を、たとえば音声データおよび映像データに変換し、必要に応じてアナログ信号に変換する。そして、制御部８８は、スピーカ、マイク、ディスプレイおよびキー入力装置等を含む入出力部８９へ出力する。
【０６４０】
また、制御部８８は、たとえば、音声データ、およびキー入力装置において受け付けた無線端末装置２０２を制御するための制御信号等を入出力部８９から受ける。そして、制御部８８は、入出力部８９から受けた音声データおよび制御信号に所定の信号処理を行なって通信データを生成し、送信信号処理部８７へ出力する。
【０６４１】
送信信号処理部８７は、制御部８８から受けた通信データ、または自ら生成した通信データに対してＣＤＭＡ（Code Division Multiple Access）方式における拡散処理等の信号処理を行ない、この信号処理後のデジタル信号を無線送信部８４へ出力する。
【０６４２】
無線送信部８４は、送信信号処理部８７から受けたデジタル信号をアナログ信号に変換し、変換したアナログ信号を無線信号に周波数変換してサーキュレータ８２へ出力する。
【０６４３】
図３６は、本発明の第２の実施の形態に係る無線端末装置における制御部の構成を示す図である。
【０６４４】
図３６を参照して、制御部８８は、保持部１１と、通知部１２とを含む。
【０６４５】
図３４で説明したように、保持部１１は、無線基地局装置１０１Ａから無線基地局装置１０１Ｃへの自己の無線端末装置２０２のハンドオーバ動作が行なわれる場合に、無線基地局装置１０１ＡのＥＣＧＩ等の基地局識別情報、および無線基地局装置１０１Ａから自己の無線端末装置２０２に対して付与されたＣ−ＲＮＴＩ等の端末識別情報を保持する。
【０６４６】
そして、通知部１２は、無線基地局装置１０１Ｃへのハンドオーバ動作の完了後、自己の無線端末装置２０２において、新たに無線基地局装置１０１との通信を再開する場合、たとえば無線基地局装置１０１に対する再接続動作を行なう場合に、保持部１１によって保持された基地局識別情報および端末識別情報を当該無線基地局装置１０１に通知する。
【０６４７】
たとえば、無線基地局装置１０１Ａは、自己を通信先として選択する無線端末装置２０２の無線基地局装置１０１Ｃへのハンドオーバ動作が完了しても、当該無線端末装置２０２に付与した端末識別情報を保持する。また、たとえば、無線基地局装置１０１Ａは、無線端末装置２０２による自己から無線基地局装置１０１Ｃへのハンドオーバ動作の種別を保持する。
【０６４８】
そして、無線基地局装置１０１Ａは、無線端末装置２０２が通知した基地局識別情報および端末識別情報を取得し、保持した端末識別情報と取得した端末識別情報との照合、および自己の基地局識別情報と取得した基地局識別情報との照合を行う。
【０６４９】
なお、通知部１２は、たとえば図２６に示す動作のように、自己の無線端末装置２０２において、無線基地局装置１０１Ｃへのハンドオーバ動作の完了後、新たに無線基地局装置１０１へのハンドオーバ動作を行なう場合に、保持部１１によって保持された基地局識別情報および端末識別情報を当該無線基地局装置１０１に通知する構成であってもよい。
【０６５０】
また、図３４に示すシーケンスにおいて、無線基地局装置１０１の代わりに、あるいは無線基地局装置１０１とともに、無線端末装置２０２が、ハンドオーバ種別情報を保持し、ＲＬＦレポートに含める構成であってもよい。
【０６５１】
すなわち、保持部１１は、無線基地局装置１０１Ａから無線基地局装置１０１Ｃへの自己の無線端末装置２０２のハンドオーバ動作が行なわれる場合に、当該ハンドオーバ動作の種別を保持する。
【０６５２】
そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持されたハンドオーバ動作の種別を当該無線基地局装置１０１に通知する。
【０６５３】
また、図３４に示すシーケンスにおいて、無線基地局装置１０１の代わりに、あるいは無線基地局装置１０１とともに、無線端末装置２０２が、ハンドオーバ動作の際の自己の移動速度を保持し、ＲＬＦレポートに含める構成であってもよい。
【０６５４】
すなわち、保持部１１は、無線基地局装置１０１Ａから無線基地局装置１０１Ｃへの自己の無線端末装置２０２のハンドオーバ動作が行なわれる場合に、当該ハンドオーバ動作が行われた際の自己の無線端末装置２０２の移動速度を保持する。
【０６５５】
そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された移動速度を当該無線基地局装置１０１に通知する。
【０６５６】
また、無線基地局装置１０１Ａは、無線端末装置２０２による自己から無線基地局装置１０１Ｃへのハンドオーバ動作が行われた際の当該無線端末装置２０２の移動速度を保持する構成であってもよい。
【０６５７】
また、図３４に示すシーケンスにおいて、無線基地局装置１０１Ａは、無線基地局装置１０１Ｃから受信したハンドオーバレポートに含まれる後述の”ｔｉｍｅＣｏｎｎＦａｉｌｕｒｅ−ｒ１０”を用いて、ハンドオーバ動作のタイミングの制御度合いを決定してもよい。
【０６５８】
なお、無線基地局装置１０１は、無線端末装置２０２から他の無線基地局装置１０１に通知された基地局識別情報および端末識別情報を当該他の無線基地局装置１０１から取得する構成に限らず、自己に戻って来た無線端末装置２０２、すなわち自己に対する再接続動作または自己へのハンドオーバ動作を行う無線端末装置２０２が自己に通知した基地局識別情報および端末識別情報と、保持している基地局識別情報および端末識別情報とを照合する場合も考えられる。
【０６５９】
図３７は、本発明の第２の実施の形態に係る無線通信システムにおけるＲＬＦレポートの内容の一例を示す図である。
【０６６０】
図３７を参照して、このＲＬＦレポートは、ＬＴＥにおけるＲＬＦレポートに新たな情報を追加したものである。
【０６６１】
具体的には、パラメータ”ｐｒｅｖｉｏｕｓＰＣｅｌｌＲｎｔｉ”が追加され、無線端末装置２０２が最後に受信したＲＲＣコネクション再構成指示に含まれるＣ−ＲＮＴＩが設定される（ＰＬ２）。
【０６６２】
また、パラメータ”ｔｉｍｅＣｏｎｎＦａｉｌｕｒｅ−ｒ１０”には、無線基地局装置１０１とＲＲＣコネクションを確立した無線端末装置２０２においてＲＬＦが発生するまでの時間が設定される（ＰＬ１）。
【０６６３】
図３８は、本発明の第２の実施の形態に係る無線通信システムにおけるＲＬＦ通知の内容の一例を示す図である。
【０６６４】
図３８を参照して、このＲＬＦ通知は、たとえばＬＴＥにおけるＲＬＦ通知と同じ内容である。
【０６６５】
ＲＬＦ通知における”ＵＥ  ＲＬＦ  Ｒｅｐｏｒｔ  Ｃｏｎｔａｉｎｅｒ”に、ＲＬＦレポートの内容が格納される。すなわち、”ｐｒｅｖｉｏｕｓＰＣｅｌｌＲｎｔｉ”は既存のＲＬＦ通知に含まれることになるため、本発明の第２の実施の形態に係る無線通信システムにおいても、ＬＴＥにおけるＲＬＦ通知を使用することができる。
【０６６６】
図３９は、本発明の第２の実施の形態に係る無線通信システムにおけるハンドオーバレポートの内容の一例を示す図である。
【０６６７】
図３９を参照して、このハンドオーバレポートは、ＬＴＥにおけるハンドオーバレポートに新たな情報を追加したものである。
【０６６８】
具体的には、パラメータ”Ｃ−ＲＮＴＩ”が追加され、ＲＬＦレポートにおける”ｐｒｅｖｉｏｕｓＰＣｅｌｌＲｎｔｉ”の示すＣ−ＲＮＴＩが設定される（ＰＬ１１）。
【０６６９】
また、パラメータ” Ｔｉｍｅ  Ｏｆ  Ｓｔａｙ”が追加され、ＲＬＦレポートにおける”ｔｉｍｅＣｏｎｎＦａｉｌｕｒｅ−ｒ１０”の示す時間が設定される（ＰＬ１２）。
【０６７０】
図３３〜図３９では、Ｃ−ＲＮＴＩを用いて不適切なハンドオーバ動作の詳細な解析を行う例を説明したが、Ｃ−ＲＮＴＩに限らず、ハンドオーバ動作の種別を識別可能なものであれば、どんな情報を用いてもよい。たとえば、Ｃ−ＲＮＴＩの代わりにハンドオーバ識別情報自体を用いてもよい。
【０６７１】
図４０は、本発明の第２の実施の形態に係る無線通信システムにおける、不適切なハンドオーバ動作（ＨＯ  ｔｏ  Ｗｒｏｎｇ  Ｃｅｌｌ）の検出処理およびハンドオーバ動作の最適化処理のシーケンスの一例を示す図である。図４０は、説明を簡単にするために、詳細な情報の送受信については示していないが、たとえば図９に示す各種情報が送受信される。ここで想定するシナリオは、図３４と同様に、図３３に示すシナリオである。
【０６７２】
図４０を参照して、無線端末装置２０２のセルＣＡからセルＣＣへの移動に伴って行われる無線基地局装置１０１Ａから無線基地局装置１０１Ｃへのハンドオーバ動作において、無線基地局装置１０１Ａは、無線端末装置２０２へＲＲＣコネクション再構成指示（RRC Connection Reconfiguration）を送信する。このＲＲＣコネクション再構成指示には、当該ハンドオーバ動作の種別を示すハンドオーバ種別情報が含まれる（ステップＳ４２１）。
【０６７３】
次に、無線基地局装置１０１Ａは、ハンドオーバ種別情報を保持する（ステップＳ４２２）。
【０６７４】
また、無線端末装置２０２は、ＲＲＣコネクション再構成指示を受信した後、ハンドオーバ元となる無線基地局装置１０１ＡのＥＣＧＩ、およびハンドオーバ種別情報を保持しておく（ステップＳ４２３）。
【０６７５】
次に、無線端末装置２０２および無線基地局装置１０１Ｃ間でＲＲＣコネクションが確立されると、無線端末装置２０２は、ＲＲＣコネクション再構成完了通知（RRC Connection Reconfiguration Complete）を無線基地局装置１０１Ｃへ送信する（ステップＳ４２４）。
【０６７６】
次に、無線基地局装置１０１Ｃは、無線端末装置２０２のセルＣＣにおける滞在時間を計測するために、タイマをスタートさせる（ステップＳ４２５）。
【０６７７】
ここで、無線端末装置２０２が、測定結果通知（Measurement Report）を無線基地局装置１０１Ｃへ送信する前に、セルＣＣの圏外、かつセルＣＢの圏内に移動する。そうすると、無線端末装置２０２は、無線基地局装置１０１Ｂから送信される無線信号の干渉が大きく、無線基地局装置１０１Ｃと通信できなくなることから、ＲＬＦが発生してしまう（ステップＳ４２６）。
【０６７８】
次に、無線端末装置２０２は、ＲＬＦ発生を検出すると、無線信号の受信電力の測定等によって周辺の無線基地局装置の探索を行なう。この場合、無線基地局装置１０１Ｂからの無線信号の受信電力が最大となることから、無線端末装置２０２は、探索した無線基地局装置１０１Ｂに再接続するために、ＲＲＣコネクション再確立要求（RRC Connection Reestablishment Request）を無線基地局装置１０１Ｂへ送信する（ステップＳ４２７）。
【０６７９】
次に、たとえば図９に示すシーケンスと同様に、無線基地局装置１０１ＣからＲＲＣコネクション再確立拒絶が無線端末装置２０２へ送信され、無線端末装置２０２による無線基地局装置１０１Ｃとの通常の接続手順が開始され、その後、無線端末装置２０２および無線基地局装置１０１Ｃ間でＲＲＣコネクションが確立する。
【０６８０】
そして、無線基地局装置１０１Ｂは、”rlf-InfoAvailable”を含むＲＲＣコネクション再構成完了通知を無線端末装置２０２から受信して、当該無線端末装置２０２についてＲＬＦの発生があったことを認識し、ＲＬＦの詳細な情報を取得するため、端末情報要求（UE Information Request）を当該無線端末装置２０２へ送信する。
【０６８１】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ４２８）。
【０６８２】
ここで、ＲＬＦレポートは、たとえば、ＲＬＦの発生した無線基地局装置のＰＣＩ、ＲＲＣコネクション再確立の発生した無線基地局装置のＰＣＩおよびＥＣＧＩならびに自己の無線端末装置２０２のＣ−ＲＮＴＩを含む。ここでは、ＲＬＦ発生のＰＣＩは無線基地局装置１０１ＣのＩＤであり、ＲＲＣコネクション再確立発生のＰＣＩおよびＥＣＧＩは無線基地局装置１０１ＢのＩＤであり、Ｃ−ＲＮＴＩは無線基地局装置１０１Ｂが付与したＩＤである。さらに、ＲＬＦレポートは、無線端末装置２０２の２つ前の接続先、すなわち無線端末装置２０２が無線基地局装置１０１Ｃの前にＲＲＣコネクションを確立していた無線基地局装置１０１Ａから、無線基地局装置１０１Ｃへのハンドオーバ動作のハンドオーバ種別情報、および無線基地局装置１０１ＡのＰＣＩおよびＥＣＧＩを含む。
【０６８３】
次に、無線基地局装置１０１Ｂは、無線端末装置２０２から受信したＲＬＦレポートの示す無線基地局装置１０１ＣのＰＣＩを参照することにより、無線基地局装置１０１ＣにおいてＲＬＦが発生したことを認識し、セルＣＢへの”Ｔｏｏ  Ｌａｔｅ  ＨＯ”が発生したと判断する。そして、無線基地局装置１０１Ｂは、”Ｔｏｏ  Ｌａｔｅ  ＨＯ”であることを通知するために、当該ＲＬＦレポートの内容を含むＲＬＦ通知（RLF INDICATION）をＸ２インタフェース経由で無線基地局装置１０１Ｃへ送信する（ステップＳ４２９）。
【０６８４】
次に、無線基地局装置１０１Ｃは、無線基地局装置１０１ＢからＲＬＦ通知を受信すると、スタートさせておいたタイマを確認し、タイマが動作している場合、すなわちタイマをスタートさせてから所定時間経過していない場合には、セルＣＢへの”Ｔｏｏ  Ｌａｔｅ  ＨＯ”ではないと判断し、さらに、無線基地局装置１０１Ａ以外の無線基地局装置１０１ＢからＲＬＦ通知を受信したことから、セルＣＣへの”Ｔｏｏ  Ｅａｒｌｙ  ＨＯ”ではなく、セルＣＣへの”ＨＯ  ｔｏ  Ｗｒｏｎｇ  Ｃｅｌｌ”であると判断する。なお、無線基地局装置１０１Ｃは、無線基地局装置１０１ＢからＲＬＦ通知を受信したときにタイマが動作していない場合、すなわちタイマをスタートさせてから上記所定時間経過している場合には、セルＣＢへの”Ｔｏｏ  Ｌａｔｅ  ＨＯ”であると判断する。
【０６８５】
無線基地局装置１０１Ｃは、セルＣＣへの”ＨＯ  ｔｏ  Ｗｒｏｎｇ  Ｃｅｌｌ”であると判断すると、当該ＲＬＦ通知の内容を含むハンドオーバレポートを無線基地局装置１０１Ａへ送信する。このハンドオーバレポートは、たとえば”Ｈａｎｄｏｖｅｒ  Ｒｅｐｏｒｔ  Ｔｙｐｅ”というパラメータを含む。無線基地局装置１０１Ｃは、このパラメータを所定値に設定することにより、”ＨＯ  ｔｏ  Ｗｒｏｎｇ  Ｃｅｌｌ”を無線基地局装置１０１Ａに通知する（ステップＳ４１０）。
【０６８６】
次に、無線基地局装置１０１Ａは、無線基地局装置１０１Ｃからハンドオーバレポートを受信して、セルＣＣへの”ＨＯ  ｔｏ  Ｗｒｏｎｇ  Ｃｅｌｌ”が発生したことを認識し、”ＨＯ  ｔｏ  Ｗｒｏｎｇ  Ｃｅｌｌ”の発生が抑制されるように、ハンドオーバ動作の最適化処理を実行する。
【０６８７】
より詳細には、無線基地局装置１０１Ａは、当該ハンドオーバレポートに含まれる、当該無線端末装置２０２の２つ前の接続先の無線基地局装置１０１のＰＣＩおよびＥＣＧＩならびに当該無線基地局装置１０１をハンドオーバ元とするハンドオーバ動作のハンドオーバ種別情報と、自己のＰＣＩおよびＥＣＧＩならびに保持しているハンドオーバ種別情報とを照合する。
【０６８８】
そして、無線基地局装置１０１Ａは、当該ハンドオーバレポートの内容と保持している内容とが一致することから、保持しているハンドオーバ種別情報の示す種別のハンドオーバ動作の最適化処理、たとえばハンドオーバ動作の実行基準を補正する。すなわち、無線基地局装置１０１Ａは、当該ハンドオーバ動作のタイミングが遅くなるようにパラメータを設定する。具体的には、たとえば、ヒステリシスＨＳを大きくするか、ＴＴＴを大きくするか、あるいはオフセットＯＳＴを小さくする（ステップＳ４３１）。
【０６８９】
このように、図４０に示す例では、無線基地局装置１０１が、ＲＲＣコネクション再構成指示にハンドオーバ動作の種別を示すハンドオーバ種別情報を含めて送信し、無線端末装置２０２が、ハンドオーバ種別情報および当該無線基地局装置１０１の識別情報を保持し、ＲＬＦが発生したときにＲＬＦレポートによって無線基地局装置１０１に報告する。すなわち、無線端末装置２０２の２つ前の接続先の無線基地局装置１０１の識別情報、および当該無線基地局装置１０１をハンドオーバ元とするハンドオーバ動作の種別をＲＬＦレポートに含める構成により、無線基地局装置１０１において、どのような種別のハンドオーバ動作が”ＨＯ  ｔｏ  Ｗｒｏｎｇ  Ｃｅｌｌ”であったかを認識することが可能となる。
【０６９０】
すなわち、図４０に示す例では、保持部１１は、無線基地局装置１０１Ａから無線基地局装置１０１Ｃへの自己の無線端末装置２０２のハンドオーバ動作が行なわれる場合に、当該ハンドオーバ動作の種別を保持する。
【０６９１】
そして、通知部１２は、無線基地局装置１０１Ｃへのハンドオーバ動作の完了後、自己の無線端末装置２０２において、新たに無線基地局装置１０１との通信を再開する場合、たとえば無線基地局装置１０１に対する再接続動作を行なう場合に、保持部１１によって保持されたハンドオーバ動作の種別を当該無線基地局装置１０１に通知する。
【０６９２】
また、たとえば、保持部１１は、無線基地局装置１０１Ａから無線基地局装置１０１Ｃへの自己の無線端末装置２０２のハンドオーバ動作が行なわれる場合に、無線基地局装置１０１ＡのＥＣＧＩ等の基地局識別情報を保持する。
【０６９３】
そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された基地局識別情報を当該無線基地局装置１０１に通知する。
【０６９４】
また、たとえば、無線基地局装置１０１Ａは、自己を通信先として選択する無線端末装置２０２の無線基地局装置１０１Ｃへのハンドオーバ動作が完了しても、当該ハンドオーバ動作の種別を保持する。
【０６９５】
そして、無線基地局装置１０１Ａは、無線端末装置２０２が通知した基地局識別情報およびハンドオーバ動作の種別を取得し、自己の基地局識別情報と取得した基地局識別情報との照合を行い、一致した場合に、ハンドオーバ動作のタイミング制御等に当該ハンドオーバ動作の種別を用いる。
【０６９６】
このようにハンドオーバ動作の種別を用いる構成では、図３７〜図３９に示す各メッセージには、Ｃ−ＲＮＴＩの代わりにハンドオーバ種別情報が格納される。
【０６９７】
なお、通知部１２は、たとえば図２６に示す動作のように、自己の無線端末装置２０２において、無線基地局装置１０１Ｃへのハンドオーバ動作の完了後、新たに無線基地局装置１０１へのハンドオーバ動作を行なう場合に、保持部１１によって保持されたハンドオーバ動作の種別を当該無線基地局装置１０１に通知する構成であってもよい。
【０６９８】
また、無線端末装置２０２は、ハンドオーバ種別情報と合わせてＣ−ＲＮＴＩを保持し、ＲＬＦレポートに含める構成であってもよい。
【０６９９】
また、無線端末装置２０２がハンドオーバ種別情報を無線基地局装置１０１Ａに通知することから、無線基地局装置１０１Ａは、ハンドオーバ動作が行われた後、当該ハンドオーバ動作のハンドオーバ種別情報を保持しない構成であってもよい。
【０７００】
また、図４０に示す例において、ハンドオーバ種別情報の代わりに、ハンドオーバ動作の際の無線端末装置２０２の移動速度を用いる構成であってもよい。
【０７０１】
すなわち、保持部１１は、無線基地局装置１０１Ａから無線基地局装置１０１Ｃへの自己の無線端末装置２０２のハンドオーバ動作が行なわれる場合に、当該ハンドオーバ動作が行われた際の自己の無線端末装置２０２の移動速度を保持する。
【０７０２】
そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された移動速度を当該無線基地局装置１０１に通知する。
【０７０３】
また、たとえば、保持部１１は、無線基地局装置１０１Ａから無線基地局装置１０１Ｃへの自己の無線端末装置２０２のハンドオーバ動作が行なわれる場合に、無線基地局装置１０１ＡのＥＣＧＩ等の基地局識別情報を保持する。
【０７０４】
そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された基地局識別情報を当該無線基地局装置１０１に通知する。
【０７０５】
また、たとえば、無線基地局装置１０１Ａは、自己を通信先として選択する無線端末装置２０２の無線基地局装置１０１Ｃへのハンドオーバ動作が完了しても、当該ハンドオーバ動作が行われた際の当該無線端末装置２０２の移動速度を保持する。
【０７０６】
そして、無線基地局装置１０１Ａは、無線端末装置２０２が通知した基地局識別情報および移動速度を取得し、自己の基地局識別情報と取得した基地局識別情報との照合を行い、一致した場合に、ハンドオーバ動作のタイミング制御等に当該移動速度を用いる。
【０７０７】
このように移動速度を用いる構成では、図３７〜図３９に示す各メッセージには、Ｃ−ＲＮＴＩの代わりに移動速度が格納される。
【０７０８】
以上のように、本発明の第２の実施の形態に係る無線通信システムでは、無線端末装置２０２は、無線基地局装置１０１Ａから無線基地局装置１０１Ｃへのハンドオーバ動作を行なう場合に、無線基地局装置１０１ＡのＥＣＧＩ等の基地局識別情報、および無線基地局装置１０１Ａから付与されたＣ−ＲＮＴＩ等の端末識別情報を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、保持した基地局識別情報および端末識別情報を当該無線基地局装置１０１に通知する。より詳細には、無線端末装置２０２において、保持部１１は、無線基地局装置１０１Ａから無線基地局装置１０１Ｃへの自己の無線端末装置２０２のハンドオーバ動作が行なわれる場合に、無線基地局装置１０１ＡのＥＣＧＩ等の基地局識別情報、および無線基地局装置１０１Ａから自己の無線端末装置２０２に対して付与されたＣ−ＲＮＴＩ等の端末識別情報を保持する。そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された基地局識別情報および端末識別情報を当該無線基地局装置１０１に通知する。
【０７０９】
このような構成により、不適切なハンドオーバ動作の発生の原因となった、無線端末装置２０２が２つ前に通信接続を確立していた無線基地局装置１０１Ａは、自己と通信接続を確立していた無線端末装置２０２のうち、どの無線端末装置２０２のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【０７１０】
また、本発明の第２の実施の形態に係る無線通信システムでは、無線基地局装置１０１Ａは、自己を通信先として選択する無線端末装置２０２の無線基地局装置１０１Ｃへのハンドオーバ動作が完了しても、当該無線端末装置２０２に付与した端末識別情報を保持する。
【０７１１】
このような構成により、無線基地局装置１０１Ａにおいて、自己が付与した端末識別情報と無線端末装置２０２が通知する端末識別情報との照合を容易に行うことができる。
【０７１２】
また、本発明の第２の実施の形態に係る無線通信システムでは、無線基地局装置１０１Ａは、さらに、無線端末装置２０２による自己から無線基地局装置１０１Ｃへのハンドオーバ動作の種別を保持する。
【０７１３】
このような構成により、無線基地局装置１０１Ａにおいて、問題のあったハンドオーバ動作の種別を容易に認識することができるため、不適切なハンドオーバ動作をより詳細に解析し、ハンドオーバ動作の最適化処理をより適切に行うことができる。また、無線端末装置２０２においてハンドオーバ動作の種別を保持し、無線基地局装置１０１に通知する必要がなくなるため、無線端末装置２０２の構成および処理の簡易化を図ることができる。
【０７１４】
また、本発明の第２の実施の形態に係る無線通信システムでは、無線基地局装置１０１Ａは、さらに、無線端末装置２０２による自己から無線基地局装置１０１Ｃへのハンドオーバ動作が行われた際の当該無線端末装置２０２の移動速度を保持する。
【０７１５】
このような構成により、無線基地局装置１０１Ａにおいて、問題のあったハンドオーバ動作の際の無線端末装置２０２の移動速度を容易に認識することができるため、不適切なハンドオーバ動作をより詳細に解析し、ハンドオーバ動作の最適化処理をより適切に行うことができる。また、無線端末装置２０２において移動速度を保持し、無線基地局装置１０１に通知する必要がなくなるため、無線端末装置２０２の構成および処理の簡易化を図ることができる。
【０７１６】
また、本発明の第２の実施の形態に係る無線通信システムでは、無線端末装置２０２は、無線基地局装置１０１Ａから無線基地局装置１０１Ｃへのハンドオーバ動作を行なう場合に、さらに、当該ハンドオーバ動作の種別を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、さらに、保持したハンドオーバ動作の種別を当該無線基地局装置１０１に通知する。
【０７１７】
このような構成により、無線基地局装置１０１Ａにおいて、問題のあったハンドオーバ動作の種別を容易に認識することができるため、不適切なハンドオーバ動作をより詳細に解析し、ハンドオーバ動作の最適化処理をより適切に行うことができる。また、無線基地局装置１０１においてハンドオーバ動作の種別を保持する必要がなくなるため、無線基地局装置１０１の構成および処理の簡易化を図ることができる。
【０７１８】
また、本発明の第２の実施の形態に係る無線通信システムでは、無線端末装置２０２は、無線基地局装置１０１Ａから無線基地局装置１０１Ｃへのハンドオーバ動作を行なう場合に、さらに、当該ハンドオーバ動作が行われた際の自己の移動速度を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、さらに、保持した移動速度を当該無線基地局装置１０１に通知する。
【０７１９】
このような構成により、無線基地局装置１０１Ａにおいて、問題のあったハンドオーバ動作の際の無線端末装置２０２の移動速度を容易に認識することができるため、不適切なハンドオーバ動作をより詳細に解析し、ハンドオーバ動作の最適化処理をより適切に行うことができる。また、無線基地局装置１０１において移動速度を保持する必要がなくなるため、無線基地局装置１０１の構成および処理の簡易化を図ることができる。
【０７２０】
また、本発明の第２の実施の形態に係る無線通信システムでは、無線端末装置２０２は、無線基地局装置１０１Ａから無線基地局装置１０１Ｃへのハンドオーバ動作を行なう場合に、当該ハンドオーバ動作の種別を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、保持したハンドオーバ動作の種別を当該無線基地局装置１０１に通知する。より詳細には、無線端末装置２０２において、保持部１１は、無線基地局装置１０１Ａから無線基地局装置１０１Ｃへの自己の無線端末装置２０２のハンドオーバ動作が行なわれる場合に、当該ハンドオーバ動作の種別を保持する。そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持されたハンドオーバ動作の種別を当該無線基地局装置１０１に通知する。
【０７２１】
このような構成により、不適切なハンドオーバ動作の発生の原因となった、無線端末装置２０２が２つ前に通信接続を確立していた無線基地局装置１０１Ａは、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【０７２２】
また、本発明の第２の実施の形態に係る無線通信システムでは、無線基地局装置１０１Ａは、自己を通信先として選択する無線端末装置２０２の無線基地局装置１０１Ｃへのハンドオーバ動作が完了しても、当該ハンドオーバ動作の種別を保持する。
【０７２３】
このような構成により、無線基地局装置１０１Ａにおいて、自己が過去に実行判断を行ったハンドオーバ動作の種別と無線端末装置２０２が通知するハンドオーバ動作の種別との照合を容易に行うことができる。
【０７２４】
また、本発明の第２の実施の形態に係る無線通信システムでは、無線端末装置２０２は、無線基地局装置１０１Ａから無線基地局装置１０１Ｃへのハンドオーバ動作を行なう場合に、さらに、無線基地局装置１０１ＡのＥＣＧＩ等の基地局識別情報を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、さらに、保持した基地局識別情報を当該無線基地局装置１０１に通知する。
【０７２５】
このような構成により、無線基地局装置１０１Ａにおいて、自己が過去に実行判断を行ったハンドオーバ動作の種別と無線端末装置２０２が通知するハンドオーバ動作の種別との照合をさらに容易に行うことができる。
【０７２６】
また、本発明の第２の実施の形態に係る無線通信システムでは、無線端末装置２０２は、無線基地局装置１０１Ａから無線基地局装置１０１Ｃへのハンドオーバ動作を行なう場合に、当該ハンドオーバ動作が行われた際の自己の移動速度を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、保持した移動速度を当該無線基地局装置１０１に通知する。より詳細には、無線端末装置２０２において、保持部１１は、無線基地局装置１０１Ａから無線基地局装置１０１Ｃへの自己の無線端末装置２０２のハンドオーバ動作が行なわれる場合に、当該ハンドオーバ動作が行われた際の自己の無線端末装置２０２の移動速度を保持する。そして、通知部１２は、無線基地局装置１０１Ｃへのハンドオーバ動作の完了後、自己の無線端末装置２０２において、新たに無線基地局装置１０１との通信を再開する場合または新たに無線基地局装置１０１へのハンドオーバ動作を行なう場合に、保持部１１によって保持された移動速度を当該無線基地局装置１０１に通知する。
【０７２７】
このような構成により、不適切なハンドオーバ動作の発生の原因となった、無線端末装置２０２が２つ前に通信接続を確立していた無線基地局装置１０１Ａは、自己をハンドオーバ先とするハンドオーバ動作のうち、どの種別のハンドオーバ動作に問題があったかを特定することができる。これにより、不適切なハンドオーバ動作の詳細な解析、および当該解析結果を用いたハンドオーバ動作の適切なタイミング制御等が可能となり、通信の安定化を図ることができる。
【０７２８】
また、本発明の第２の実施の形態に係る無線通信システムでは、無線基地局装置１０１Ａは、自己を通信先として選択する無線端末装置２０２の無線基地局装置１０１Ｃへのハンドオーバ動作が完了しても、当該ハンドオーバ動作が行われた際の当該無線端末装置２０２の移動速度を保持する。
【０７２９】
このような構成により、無線基地局装置１０１Ａにおいて、自己が過去に実行判断を行ったハンドオーバ動作の際の無線端末装置２０２の移動速度と無線端末装置２０２が通知する移動速度との照合を容易に行うことができるため、問題のあったハンドオーバ動作の種別を容易に認識することができる。
【０７３０】
また、本発明の第２の実施の形態に係る無線通信システムでは、無線端末装置２０２は、無線基地局装置１０１Ａから無線基地局装置１０１Ｃへのハンドオーバ動作を行なう場合に、さらに、無線基地局装置１０１ＡのＥＣＧＩ等の基地局識別情報を保持する。そして、無線端末装置２０２は、無線基地局装置１０１Ｃへのハンドオーバ動作の完了後、新たに無線基地局装置１０１との通信を再開する場合または新たに無線基地局装置１０１へのハンドオーバ動作を行なう場合に、さらに、保持した基地局識別情報を当該無線基地局装置１０１に通知する。
【０７３１】
このような構成により、無線基地局装置１０１Ａにおいて、自己が過去に実行判断を行ったハンドオーバ動作の際の無線端末装置２０２の移動速度と無線端末装置２０２が通知する移動速度との照合をさらに容易に行うことができるため、問題のあったハンドオーバ動作の種別をさらに容易に認識することができる。
【０７３２】
なお、本発明の第２の実施の形態に係る無線通信システムでは、無線端末装置２０２は、ハンドオーバ種別情報を無線基地局装置１０１から取得する構成であるとしたが、これに限定するものではない。無線端末装置２０２は、自己のハンドオーバ動作の種別を示すハンドオーバ種別情報を作成して保持し、ＲＬＦレポートに含めて無線基地局装置１０１に報告する構成であってもよい。
【０７３３】
また、本発明の第２の実施の形態に係る無線通信システムでは、無線端末装置２０２は、自己の移動速度を無線基地局装置１０１から取得する構成であるとしたが、これに限定するものではない。無線端末装置２０２は、自己の移動速度を測定して保持し、ＲＬＦレポートに含めて無線基地局装置１０１に報告する構成であってもよい。
【０７３４】
その他の構成および動作は第１の実施の形態に係る無線通信システムと同様であるため、ここでは詳細な説明を繰り返さない。
【０７３５】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０７３６】
１１  保持部
１２  通知部
８１  アンテナ
８２  サーキュレータ
８３  無線受信部
８４  無線送信部
８５  信号処理部
８６  受信信号処理部
８７  送信信号処理部
８８  制御部
８９  入出力部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ  無線基地局装置
２０２  無線端末装置
【図１】
2013110727.tif 000003
【図２】
2013110727.tif 000004
【図３】
2013110727.tif 000005
【図４】
2013110727.tif 000006
【図５】
2013110727.tif 000007
【図６】
2013110727.tif 000008
【図７】
2013110727.tif 000009
【図８】
2013110727.tif 000010
【図９】
2013110727.tif 000011
【図１０】
2013110727.tif 000012
【図１１】
2013110727.tif 000013
【図１２】
2013110727.tif 000014
【図１３】
2013110727.tif 000015
【図１４】
2013110727.tif 000016
【図１５】
2013110727.tif 000017
【図１６】
2013110727.tif 000018
【図１７】
2013110727.tif 000019
【図１８】
2013110727.tif 000020
【図１９】
2013110727.tif 000021
【図２０】
2013110727.tif 000022
【図２１】
2013110727.tif 000023
【図２２】
2013110727.tif 000024
【図２３】
2013110727.tif 000025
【図２４】
2013110727.tif 000026
【図２５】
2013110727.tif 000027
【図２６】
2013110727.tif 000028
【図２７】
2013110727.tif 000029
【図２８】
2013110727.tif 000030
【図２９】
2013110727.tif 000031
【図３０】
2013110727.tif 000032
【図３１】
2013110727.tif 000033
【図３２】
2013110727.tif 000034
【図３３】
2013110727.tif 000035
【図３４】
2013110727.tif 000036
【図３５】
2013110727.tif 000037
【図３６】
2013110727.tif 000038
【図３７】
2013110727.tif 000039
【図３８】
2013110727.tif 000040
【図３９】
2013110727.tif 000041
【図４０】
2013110727.tif 000042